(57)【要約】  本願は、無線通信技術の分野に関するものであり、データバッファリング方法を提供する。方法は、セッション管理機能エンティティが第２ユーザプレーン機能エンティティおよび第１ユーザプレーン機能エンティティそれぞれと相互作用することで、第１ユーザプレーン機能エンティティが第２ユーザプレーン機能エンティティを介してアクセスネットワークデバイスに第１セッションの第１ダウンリンクデータを送信する段階であって、第１ユーザプレーン機能エンティティは、第１セッションのアンカである、段階と、セッション管理機能エンティティが、予め設定された条件に基づいて、第１セッションの第２ダウンリンクデータをバッファリングするよう第１ユーザプレーン機能エンティティに通知する段階であって、第２ダウンリンクデータは、第１セッションが非アクティブ状態に切り替えられた後に受信される、段階とを含む。実施形態で提供される解決策に基づいて、端末により受信されたダウンリンクデータが順不同であるという問題が回避され得る。加えて、バッファリングされたダウンリンクデータが、更なる転送トンネルを確立することも転送トンネルを再び解放することもなく取得され得ることから、ＵＰＦエンティティ間のシグナリング相互作用が減少する。従って、遅延が減少し、ユーザ体験が向上する。
2020520137.tif 000002
【特許請求の範囲】
【請求項１】
データバッファリング方法であって、
セッション管理機能エンティティが第２ユーザプレーン機能エンティティおよび第１ユーザプレーン機能エンティティそれぞれと相互作用することで、前記第１ユーザプレーン機能エンティティが前記第２ユーザプレーン機能エンティティを介してアクセスネットワークデバイスに第１セッションの第１ダウンリンクデータを送信する段階であって、前記第１ユーザプレーン機能エンティティは、前記第１セッションのアンカである、段階と、
前記セッション管理機能エンティティが、予め設定された条件に基づいて、前記第１セッションの第２ダウンリンクデータをバッファリングするよう前記第１ユーザプレーン機能エンティティに通知する段階であって、前記第２ダウンリンクデータは、前記第１セッションが非アクティブ状態に切り替えられた後に前記第１ユーザプレーン機能エンティティにより受信されるダウンリンクデータである、段階と
を備える方法。
【請求項２】
前記予め設定された条件は、
前記第１セッションが第１セッション・サービス連続性モードを有することをセッション・サービス連続性情報が示すこと、
端末デバイスが高モビリティデバイスであることをモビリティ情報が示すこと、または、
前記セッション管理機能エンティティおよび前記第１ユーザプレーン機能エンティティが同じオペレータネットワークに属すること
のうちの少なくとも１つを含む、請求項１に記載の方法。
【請求項３】
前記方法は更に、
前記セッション管理機能エンティティが第３ユーザプレーン機能エンティティおよび前記第１ユーザプレーン機能エンティティそれぞれと相互作用することで、前記第１ユーザプレーン機能エンティティが前記第３ユーザプレーン機能エンティティを介して前記アクセスネットワークデバイスに前記第２ダウンリンクデータおよび第３ダウンリンクデータを送信する段階
を備え、
前記第３ダウンリンクデータは、前記第１セッションがアクティブ状態に切り替えられた後に前記第１ユーザプレーン機能エンティティにより受信されるダウンリンクデータである、
請求項１または２に記載の方法。
【請求項４】
前記セッション管理機能エンティティが、予め設定された条件に基づいて、前記第１セッションの第２ダウンリンクデータをバッファリングするよう前記第１ユーザプレーン機能エンティティに通知する前記段階は、
前記セッション管理機能エンティティが、前記予め設定された条件に基づいて、前記第２ダウンリンクデータをバッファリングするためのバッファデバイスとして前記第１ユーザプレーン機能エンティティを選択する段階と、
前記セッション管理機能エンティティが、前記第２ダウンリンクデータを受信した後に前記第２ダウンリンクデータをバッファリングするよう前記第１ユーザプレーン機能エンティティに通知する段階と
を有する、請求項１から３の何れか一項に記載の方法。
【請求項５】
前記セッション管理機能エンティティがモビリティ管理機能エンティティからモビリティ属性を受信する段階であって、前記モビリティ情報は、前記モビリティ属性である、段階、または、
前記セッション管理機能エンティティがモビリティ統計情報を取得する段階であって、前記モビリティ情報は、前記モビリティ統計情報である、段階、または、
前記セッション管理機能エンティティがモビリティ管理機能エンティティからモビリティ属性を受信し、モビリティ統計情報を取得し、前記モビリティ属性および前記モビリティ統計情報に基づいて前記モビリティ情報を決定する段階であって、前記モビリティ属性は、少なくとも１つの高モビリティ属性または低モビリティ属性を含み、前記モビリティ統計情報は、前記端末デバイスの移動速度または滞在時間を示すために使用される、段階
を更に備える、請求項２から４の何れか一項に記載の方法。
【請求項６】
前記セッション管理機能エンティティがモビリティ統計情報を取得する前記段階は、
前記セッション管理機能エンティティが前記モビリティ管理機能エンティティから前記モビリティ統計情報を受信する段階、または、
前記セッション管理機能エンティティがネットワークデータ分析デバイスから前記モビリティ統計情報を取得する段階
を有する、請求項５に記載の方法。
【請求項７】
前記セッション管理機能エンティティが、前記第２ダウンリンクデータをバッファリングするためのバッファデバイスとして前記第１ユーザプレーン機能エンティティを選択する前記段階の後、
前記セッション管理機能エンティティが前記第２ユーザプレーン機能エンティティを解放する段階
を更に備える、請求項４から６の何れか一項に記載の方法。
【請求項８】
前記セッション管理機能エンティティおよび前記第３ユーザプレーン機能エンティティは、ホームルーティングされたローミングシナリオにおいて訪問先公衆陸上移動体ネットワークＶＰＬＭＮに配置され、前記方法は更に、
前記セッション管理機能エンティティが前記バッファデバイスを調整する段階であって、調整された前記バッファデバイスは、前記第１セッションが非アクティブ状態に切り替えられた後に前記第１セッションの第４ダウンリンクデータをバッファリングするために使用される、段階
を備える、請求項３から７の何れか一項に記載の方法。
【請求項９】
前記セッション管理機能エンティティが前記バッファデバイスを調整する前記段階は、
前記セッション管理機能エンティティが前記第３ユーザプレーン機能エンティティを前記バッファデバイスとして決定する段階、または、
前記セッション管理機能エンティティが前記セッション管理機能エンティティを前記バッファデバイスとして決定する段階
を有する、請求項８に記載の方法。
【請求項１０】
データバッファリング方法であって、
セッション管理機能エンティティが第２ユーザプレーン機能エンティティおよび第１ユーザプレーン機能エンティティそれぞれと相互作用することで、前記第１ユーザプレーン機能エンティティが前記第２ユーザプレーン機能エンティティを介してアクセスネットワークデバイスに第１セッションの第１ダウンリンクデータを送信する段階であって、前記第１ユーザプレーン機能エンティティは、前記第１セッションのアンカである、段階と、
前記セッション管理機能エンティティが、予め設定された条件に基づいて、前記第１セッションの第２ダウンリンクデータをバッファリングするよう前記第２ユーザプレーン機能エンティティに通知する段階であって、前記予め設定された条件は、前記第１セッションが第３セッション・サービス連続性モードを有することをセッション・サービス連続性情報が示すこと、および、前記第２ダウンリンクデータが、前記第１セッションが非アクティブ状態に切り替えられた後に前記第２ユーザプレーン機能エンティティにより受信されるダウンリンクデータであることを含む、段階と、
前記セッション管理機能エンティティが第３ユーザプレーン機能エンティティおよび前記第２ユーザプレーン機能エンティティそれぞれと相互作用することで、前記第２ユーザプレーン機能エンティティが前記第３ユーザプレーン機能エンティティを介して前記アクセスネットワークデバイスに前記第２ダウンリンクデータを送信し、かつ、前記第１ユーザプレーン機能エンティティが前記第２ユーザプレーン機能エンティティおよび前記第３ユーザプレーン機能エンティティを介して前記アクセスネットワークデバイスに第３ダウンリンクデータを送信する段階であって、前記第３ダウンリンクデータは、前記第１セッションがアクティブ状態に切り替えられた後に前記第１ユーザプレーン機能エンティティにより受信されるダウンリンクデータである、段階と
を備える方法。
【請求項１１】
前記セッション管理機能エンティティが、予め設定された条件に基づいて、前記第１セッションの第２ダウンリンクデータをバッファリングするよう前記第２ユーザプレーン機能エンティティに通知する前記段階は、
前記セッション管理機能エンティティが、前記予め設定された条件に基づいて、前記第２ダウンリンクデータをバッファリングするためのバッファデバイスとして前記第２ユーザプレーン機能エンティティを選択する段階と、
前記セッション管理機能エンティティが、前記第２ダウンリンクデータを受信した後に前記第２ダウンリンクデータをバッファリングするよう前記第２ユーザプレーン機能エンティティに通知する段階と
を有する、請求項１０に記載の方法。
【請求項１２】
データバッファリング方法であって、
セッション管理機能ネットワーク要素が第２ユーザプレーン機能ネットワーク要素および第１ユーザプレーン機能ネットワーク要素それぞれと相互作用することで、前記第１ユーザプレーン機能ネットワーク要素が前記第２ユーザプレーン機能ネットワーク要素を介して第１セッションの第１ダウンリンクデータを送信する段階であって、前記第２ユーザプレーン機能ネットワーク要素は、アクセスネットワークデバイスに接続されている、前記第１セッションのユーザプレーン機能ネットワーク要素である、段階と、
前記第１セッションが非アクティブ状態に入るとき、前記セッション管理機能ネットワーク要素が前記第２ユーザプレーン機能ネットワーク要素を解放する段階と
を備える方法。
【請求項１３】
前記セッション管理機能ネットワーク要素が、第２ダウンリンクデータを受信した後に前記第２ダウンリンクデータをバッファリングするよう前記第１ユーザプレーン機能ネットワーク要素に通知する段階、または、
前記セッション管理機能ネットワーク要素が、前記第１ユーザプレーン機能ネットワーク要素と前記第２ユーザプレーン機能ネットワーク要素との間の接続を解放するよう前記第１ユーザプレーン機能ネットワーク要素に通知することで、前記第１ユーザプレーン機能ネットワーク要素が、第２ダウンリンクデータを受信した後に前記第２ダウンリンクデータをバッファリングする段階
を更に備える、請求項１２に記載の方法。
【請求項１４】
前記セッション管理機能ネットワーク要素が前記第２ユーザプレーン機能ネットワーク要素を解放する前記段階は、
前記セッション管理機能ネットワーク要素がセッション・サービス連続性情報、モビリティ情報およびポリシ情報のうちの少なくとも１つに基づいて前記第２ユーザプレーン機能ネットワーク要素の解放を決定する段階
を有する、請求項１２または１３に記載の方法。
【請求項１５】
前記セッション管理機能ネットワーク要素が前記第２ユーザプレーン機能ネットワーク要素を解放する前記段階は、
前記セッション管理機能ネットワーク要素が、
前記第１セッションが第１セッション・サービス連続性モードを有することを前記セッション・サービス連続性情報が示すこと、
前記端末デバイスが高モビリティデバイスであることを前記モビリティ情報が示すこと、
前記ポリシ情報が前記第２ユーザプレーン機能ネットワーク要素の解放を示すこと、または、
前記セッション管理機能ネットワーク要素および前記第１ユーザプレーン機能ネットワーク要素が同じオペレータネットワークに属すること
のうちの少なくとも１つに基づいて前記第２ユーザプレーン機能ネットワーク要素の解放を決定する段階
を有する、請求項１４に記載の方法。
【請求項１６】
セッション管理機能エンティティであって、
第１ユーザプレーン機能エンティティが第２ユーザプレーン機能エンティティを介してアクセスネットワークデバイスに第１セッションの第１ダウンリンクデータを送信するよう、前記第２ユーザプレーン機能エンティティおよび前記第１ユーザプレーン機能エンティティそれぞれと相互作用するように構成されている受信モジュールおよび送信モジュールであって、前記第１ユーザプレーン機能エンティティは、前記第１セッションのアンカである、受信モジュールおよび送信モジュール
を備え、
前記送信モジュールは更に、予め設定された条件に基づいて、前記第１セッションの第２ダウンリンクデータをバッファリングするよう前記第１ユーザプレーン機能エンティティに通知するように構成され、前記第２ダウンリンクデータは、前記第１セッションが非アクティブ状態に切り替えられた後に前記第１ユーザプレーン機能エンティティにより受信されるダウンリンクデータである、
セッション管理機能エンティティ。
【請求項１７】
前記予め設定された条件は、
前記第１セッションが第１セッション・サービス連続性モードを有することをセッション・サービス連続性情報が示すこと、
端末デバイスが高モビリティデバイスであることをモビリティ情報が示すこと、または、
前記セッション管理機能エンティティおよび前記第１ユーザプレーン機能エンティティが同じオペレータネットワークに属すること
のうちの少なくとも１つを含む、請求項１６に記載のセッション管理機能エンティティ。
【請求項１８】
前記受信モジュールおよび前記送信モジュールは更に、前記第１ユーザプレーン機能エンティティが第３ユーザプレーン機能エンティティを介して前記アクセスネットワークデバイスに前記第２ダウンリンクデータおよび第３ダウンリンクデータを送信するよう、前記第３ユーザプレーン機能エンティティおよび前記第１ユーザプレーン機能エンティティそれぞれと相互作用するように構成され、
前記第３ダウンリンクデータは、前記第１セッションがアクティブ状態に切り替えられた後に前記第１ユーザプレーン機能エンティティにより受信されるダウンリンクデータである、
請求項１６または１７に記載のセッション管理機能エンティティ。
【請求項１９】
前記セッション管理機能エンティティは更に、
前記予め設定された条件に基づいて、前記第２ダウンリンクデータをバッファリングするためのバッファデバイスとして前記第１ユーザプレーン機能エンティティを選択するように構成されている選択モジュール
を備え、
前記送信モジュールは、前記第２ダウンリンクデータを受信した後に前記第２ダウンリンクデータをバッファリングするよう前記第１ユーザプレーン機能エンティティに通知するように構成される、
請求項１６から１８の何れか一項に記載のセッション管理機能エンティティ。
【請求項２０】
前記受信モジュールは、モビリティ管理機能エンティティからモビリティ属性を受信するように構成され、前記モビリティ情報は、前記モビリティ属性である、もしくは、前記受信モジュールは、モビリティ統計情報を取得するように構成され、前記モビリティ情報は、前記モビリティ統計情報である、または、
前記セッション管理機能エンティティは更に、決定モジュールを備え、前記受信モジュールは、モビリティ管理機能エンティティからモビリティ属性を受信し、かつ、モビリティ統計情報を取得するように構成され、前記決定モジュールは、前記モビリティ属性および前記モビリティ統計情報に基づいて前記モビリティ情報を決定するように構成され、
前記モビリティ属性は、少なくとも１つの高モビリティ属性または低モビリティ属性を含み、前記モビリティ統計情報は、前記端末デバイスの移動速度または滞在時間を示すために使用される、
請求項１７から１９の何れか一項に記載のセッション管理機能エンティティ。
【請求項２１】
前記受信モジュールは、前記モビリティ管理機能エンティティから前記モビリティ統計情報を受信するように構成される、または、
前記受信モジュールは、ネットワークデータ分析デバイスから前記モビリティ統計情報を取得するように構成される、
請求項２０に記載のセッション管理機能エンティティ。
【請求項２２】
前記選択モジュールが、前記第２ダウンリンクデータをバッファリングするためのバッファデバイスとして前記第１ユーザプレーン機能エンティティを選択した後に前記第２ユーザプレーン機能エンティティを解放するように構成されている解放モジュール
を更に備える、請求項１９から２１の何れか一項に記載のセッション管理機能エンティティ。
【請求項２３】
前記セッション管理機能エンティティおよび前記第３ユーザプレーン機能エンティティは、ホームルーティングされたローミングシナリオにおいて訪問先公衆陸上移動体ネットワークＶＰＬＭＮに配置され、前記セッション管理機能エンティティは更に、
前記バッファデバイスを調整するように構成されている調整モジュールであって、調整された前記バッファデバイスは、前記第１セッションが非アクティブ状態に切り替えられた後に前記第１セッションの第４ダウンリンクデータをバッファリングするために使用される、調整モジュール
を備える、請求項１８から２２の何れか一項に記載のセッション管理機能エンティティ。
【請求項２４】
前記調整モジュールは、前記第３ユーザプレーン機能エンティティを前記バッファデバイスとして決定するように構成される、または、
前記調整モジュールは、前記セッション管理機能エンティティを前記バッファデバイスとして決定するように構成される、
請求項２３に記載のセッション管理機能エンティティ。
【請求項２５】
セッション管理機能ネットワーク要素であって、
第１ユーザプレーン機能ネットワーク要素が第２ユーザプレーン機能ネットワーク要素を介して第１セッションの第１ダウンリンクデータを送信するよう、前記第２ユーザプレーン機能ネットワーク要素および前記第１ユーザプレーン機能ネットワーク要素それぞれと相互作用するように構成されている送受信モジュールであって、前記第２ユーザプレーン機能ネットワーク要素は、アクセスネットワークデバイスに接続されている、前記第１セッションのユーザプレーン機能ネットワーク要素である、送受信モジュールと、
前記第１セッションが非アクティブ状態に入るとき、前記第２ユーザプレーン機能ネットワーク要素を解放するように構成されている解放モジュールと
を備えるセッション管理機能ネットワーク要素。
【請求項２６】
前記送受信モジュールは更に、前記第１セッションの第２ダウンリンクデータをバッファリングするよう前記第１ユーザプレーン機能ネットワーク要素に通知するように構成される、または、
前記送受信モジュールは更に、前記第１ユーザプレーン機能ネットワーク要素が第２ダウンリンクデータを受信した後に前記第２ダウンリンクデータをバッファリングするよう、前記第１ユーザプレーン機能ネットワーク要素と前記第２ユーザプレーン機能ネットワーク要素との間の接続を解放するよう前記第１ユーザプレーン機能ネットワーク要素に通知するように構成される、
請求項２５に記載のセッション管理機能ネットワーク要素。
【請求項２７】
前記解放モジュールは、セッション・サービス連続性情報、モビリティ情報およびポリシ情報のうちの少なくとも１つに基づいて前記第２ユーザプレーン機能ネットワーク要素の解放を決定するように構成される、請求項２５または２６に記載のセッション管理機能ネットワーク要素。
【請求項２８】
前記解放モジュールは、
前記第１セッションが第１セッション・サービス連続性モードを有することを前記セッション・サービス連続性情報が示すこと、
前記端末デバイスが高モビリティデバイスであることを前記モビリティ情報が示すこと、
前記ポリシ情報が前記第２ユーザプレーン機能ネットワーク要素の解放を示すこと、または、
前記セッション管理機能ネットワーク要素および前記第１ユーザプレーン機能ネットワーク要素が同じオペレータネットワークに属すること
のうちの少なくとも１つに基づいて前記第２ユーザプレーン機能ネットワーク要素の解放を決定するように構成される、請求項２７に記載のセッション管理機能ネットワーク要素。
【請求項２９】
データをバッファリングするためのセッション管理機能エンティティであって、
第１ユーザプレーン機能エンティティが第２ユーザプレーン機能エンティティを介してアクセスネットワークデバイスに第１セッションの第１ダウンリンクデータを送信するよう、前記第２ユーザプレーン機能エンティティおよび前記第１ユーザプレーン機能エンティティそれぞれと相互作用するように構成されている受信モジュールおよび送信モジュールであって、前記第１ユーザプレーン機能エンティティは、前記第１セッションのアンカである、受信モジュールおよび送信モジュール
を備え、
前記送信モジュールは更に、予め設定された条件に基づいて、前記第１セッションの第２ダウンリンクデータをバッファリングするよう前記第２ユーザプレーン機能エンティティに通知するように構成され、前記予め設定された条件は、前記第１セッションが第３セッション・サービス連続性モードを有することをセッション・サービス連続性情報が示すこと、および、前記第２ダウンリンクデータが、前記第１セッションが非アクティブ状態に切り替えられた後に前記第２ユーザプレーン機能エンティティにより受信されるダウンリンクデータであることを含み、
前記受信モジュールおよび前記送信モジュールは更に、前記第２ユーザプレーン機能エンティティが第３ユーザプレーン機能エンティティを介して前記アクセスネットワークデバイスに前記第２ダウンリンクデータを送信し、かつ、前記第１ユーザプレーン機能エンティティが前記第２ユーザプレーン機能エンティティおよび前記第３ユーザプレーン機能エンティティを介して前記アクセスネットワークデバイスに第３ダウンリンクデータを送信するよう、前記第３ユーザプレーン機能エンティティおよび前記第２ユーザプレーン機能エンティティそれぞれと相互作用するように構成され、前記第３ダウンリンクデータは、前記第１セッションがアクティブ状態に切り替えられた後に前記第１ユーザプレーン機能エンティティにより受信されるダウンリンクデータである、
セッション管理機能エンティティ。
【請求項３０】
前記セッション管理機能エンティティは更に、
前記予め設定された条件に基づいて、前記第２ダウンリンクデータをバッファリングするためのバッファデバイスとして前記第２ユーザプレーン機能エンティティを選択するように構成されている選択モジュール
を備え、
前記送信モジュールは、前記第２ダウンリンクデータを受信した後に前記第２ダウンリンクデータをバッファリングするよう前記第２ユーザプレーン機能エンティティに通知するように構成される、
請求項２９に記載のセッション管理機能エンティティ。
【請求項３１】
セッション管理機能エンティティであって、
データを受信および送信するように構成されている通信インタフェースと、
命令を記憶するように構成されているメモリと、
前記セッション管理機能エンティティが請求項１から１５の何れか一項に記載の方法を実行するよう、前記メモリ内の前記命令を実行するように構成されている少なくとも１つのプロセッサと
を備えるセッション管理機能エンティティ。
【請求項３２】
命令を備えるコンピュータ可読記憶媒体であって、前記命令がコンピュータ上で実行されるとき、請求項１から１５の何れか一項に記載の方法を前記コンピュータに実行させる、コンピュータ可読記憶媒体。
【請求項３３】
命令を備えるコンピュータプログラム製品であって、前記コンピュータプログラム製品がコンピュータ上で実行されるとき、請求項１から１５の何れか一項に記載の方法を前記コンピュータに実行させる、コンピュータプログラム製品。
【発明の詳細な説明】
【技術分野】
【０００１】
本願は、２０１７年６月２０日に中国特許庁へ出願された「ＤＡＴＡ  ＢＵＦＦＥＲＩＮＧ  ＭＥＴＨＯＤ  ＡＮＤ  ＳＥＳＳＩＯＮ  ＭＡＮＡＧＥＭＥＮＴ  ＦＵＮＣＴＩＯＮ  ＥＮＴＩＴＹ」と題する中国特許出願第２０１７１０４７０６８０．７号に対する優先権を主張し、２０１７年５月１１日に中国特許庁へ出願された「ＤＡＴＡ  ＢＵＦＦＥＲＩＮＧ  ＭＥＴＨＯＤ  ＡＮＤ  ＳＥＳＳＩＯＮ  ＭＡＮＡＧＥＭＥＮＴ  ＦＵＮＣＴＩＯＮ  ＥＮＴＩＴＹ」と題する中国特許出願第２０１７１０３３１４４０．９号に対する優先権を主張するものであり、これら全体が参照により本明細書に組み込まれる。
【０００２】
本願は、無線通信技術の分野、特にデータバッファリング方法およびセッション管理機能エンティティに関する。
【背景技術】
【０００３】
第４世代（ｔｈｅ  ４ｔｈ  ｇｅｎｅｒａｔｉｏｎ、４Ｇ）通信システム、パケットデータネットワークゲートウェイ（ｐａｃｋｅｔ  ｄａｔａ  ｎｅｔｗｏｒｋ  ｇａｔｅｗａｙ、ＰＧＷ）は、インターネットプロトコル（Ｉｎｔｅｒｎｅｔ  Ｐｒｏｔｏｃｏｌ、ＩＰ）連続性を確保するためのアンカとして使用され得る。図１に示すように、時点Ｔ１で、端末デバイスは、サービングゲートウェイ（ｓｅｒｖｉｎｇ  ｇａｔｅｗａｙ、ＳＧＷ）ＳＧＷ１およびＰＧＷを使用することによりデータネットワークからダウンリンクデータを取得して、サービスデータ送受信を実装する。端末デバイスがＳＧＷ１においてアイドル状態に入る場合は、ダウンリンクデータがＳＧＷ１においてバッファリングされる。時点Ｔ２で、端末デバイスが接続状態に切り替えられた後、端末デバイスがＳＧＷ１のサービスエリアから出てＳＧＷ２を選択する場合は、ＳＧＷ２は、ＳＧＷ１との転送トンネルを確立して、ＳＧＷ１においてバッファリングされたダウンリンクデータを取得する必要がある。つまり、バッファリングされたダウンリンクデータの伝送経路は、ＳＧＷ１→ＳＧＷ２→端末デバイスである。加えて、端末デバイスが接続状態に切り替えられた後の新しいダウンリンクサービスデータの伝送経路は、ＰＧＷ→ＳＧＷ２→端末デバイスである。
【０００４】
このように、２つの異なるデータ伝送経路が存在することから、これら２つの異なるデータ伝送経路から端末デバイスにより受信されたダウンリンクデータは順不同であるかもしれない。端末デバイスにより受信されたダウンリンクデータが順不同である場合は、端末デバイスは処理を中断して、受信されたダウンリンクデータをまず調整する必要がある。結果として、ユーザ体験に深刻な影響が及ぶ（例えば、映像サービスにおいて映像のフリーズが起こり得る）。
【０００５】
複数の異なる用途の連続性要件を満たすべく、第５世代（ｔｈｅ  ５ｔｈ  ｇｅｎｅｒａｔｉｏｎ、５Ｇ）システムは、複数の異なるセッション・サービス連続性（Ｓｅｓｓｉｏｎ  ａｎｄ  Ｓｅｒｖｉｃｅ  ｃｏｎｔｉｎｕｉｔｙ、ＳＳＣ）モード、すなわち、ＳＳＣ１モード、ＳＳＣ２モードおよびＳＳＣ３モードをサポートする。ＳＳＣ１モードでは、セッションのアンカユーザプレーン機能（ｕｓｅｒ  ｐｌａｎｅ  ｆｕｎｃｔｉｏｎ、ＵＰＦ）エンティティがサービス終了前に変わらないままである。つまり、アンカＩＰアドレスがサービス終了前に変わらない。ＳＳＣ２モードでは、端末デバイスがソースアンカＵＰＦエンティティのサービスエリアから出た後、端末デバイスとソースアンカＵＰＦエンティティとの間の接続が解放される。ＳＳＣ３モードでは、端末デバイスとソースアンカＵＰＦエンティティとの間の接続が解放される前、端末デバイスが新しい接続を確立するよう新しいアンカＵＰＦエンティティがまず選択され、指定された時間の後にのみ端末デバイスとソースアンカＵＰＦエンティティとの間の接続が解放される。つまり、端末デバイスは、複数のＩＰアドレスを同時に使用することによりサービス提供され得る。
【０００６】
端末デバイスの移動プロセスにおいて、ＳＳＣ１モードを有するセッションのアンカＵＰＦエンティティは変わらないままである。アンカＵＰＦエンティティではない別のＵＰＦエンティティにおいてセッションが非アクティブ状態に入った後、どのＵＰＦエンティティがダウンリンクデータをバッファリングするか、および、次に端末デバイスにより受信されるダウンリンクデータが順不同でないことをいかにして保証するかが解決すべき切実な問題となる。
【発明の概要】
【０００７】
本願では、データバッファリング方法およびセッション管理機能エンティティについて説明する。
【０００８】
ある態様によれば、本願のある実施形態はデータバッファリング方法であって、セッション管理機能エンティティが第２ユーザプレーン機能エンティティおよび第１ユーザプレーン機能エンティティそれぞれと相互作用することで、第１ユーザプレーン機能エンティティが第２ユーザプレーン機能エンティティを介してアクセスネットワークデバイスに第１セッションの第１ダウンリンクデータを送信する段階であって、第１ユーザプレーン機能エンティティは、第１セッションのアンカである、段階と、セッション管理機能エンティティが、予め設定された条件に基づいて、第１セッションの第２ダウンリンクデータをバッファリングするよう第１ユーザプレーン機能エンティティに通知する段階であって、第２ダウンリンクデータは、第１セッションが非アクティブ状態に切り替えられた後に第１ユーザプレーン機能エンティティにより受信されるダウンリンクデータである、段階とを備える方法を提供する。
【０００９】
上述のデータバッファリング解決策に基づいて、セッション管理機能エンティティは、予め設定された条件に基づいて、第２ダウンリンクデータをバッファリングするようアンカユーザプレーン機能エンティティに通知する。このように、第１セッションがアクティブ状態に切り替えられた後、アンカユーザプレーン機能エンティティによりバッファリングされた第２ダウンリンクデータの伝送経路と、第１セッションが再びアクティブ状態に切り替えられた後に受信されることになっている、入ってくる第３ダウンリンクデータの伝送経路とは同じである。従って、端末により受信されたダウンリンクデータが順不同であるという問題が回避される。加えて、バッファリングされたダウンリンクデータが、更なる転送トンネルを確立することも転送トンネルを再び解放することもなく取得され得ることから、ＵＰＦエンティティ間のシグナリング相互作用が減少する。従って、遅延が減少し、ユーザ体験が向上する。
【００１０】
考えられるある設計において、予め設定された条件は、第１セッションが第１セッション・サービス連続性ＳＳＣ１モードを有することをＳＳＣ情報が示すこと、端末デバイスが高モビリティデバイスであることをモビリティ情報が示すこと、または、セッション管理機能エンティティおよび第１ユーザプレーン機能エンティティが同じオペレータネットワークに属することのうちの少なくとも１つを含む。第１セッションがＳＳＣ１モードを有することは、ＰＤＵセッションが最初に確立されるときにＰＤＵセッションアンカとして使用されるＵＰＦが変わらないままであることを示す。つまり、端末デバイスの移動プロセスにおいて、ＳＳＣ１モードを有する第１セッションのアンカＵＰＦエンティティは変わらないままである。セッション管理機能エンティティおよび第１ユーザプレーン機能エンティティが同じオペレータネットワークに属することは、非ローミングシナリオまたはローカルブレークアウトＬＢＯローミングシナリオを含み得る。加えて、バッファデバイスの選択中に端末デバイスのモビリティを更に考慮する必要があるかもしれない。
【００１１】
考えられるある設計において、方法は更に、セッション管理機能エンティティが第３ユーザプレーン機能エンティティおよび第１ユーザプレーン機能エンティティそれぞれと相互作用することで、第１ユーザプレーン機能エンティティが第３ユーザプレーン機能エンティティを介してアクセスネットワークデバイスに第２ダウンリンクデータおよび第３ダウンリンクデータを送信する段階を含む。ここで、第３ダウンリンクデータは、第１セッションがアクティブ状態に切り替えられた後に第１ユーザプレーン機能エンティティにより受信されるダウンリンクデータである。
【００１２】
考えられるある設計において、セッション管理機能エンティティが、予め設定された条件に基づいて、第１セッションの第２ダウンリンクデータをバッファリングするよう第１ユーザプレーン機能エンティティに通知する段階は、セッション管理機能エンティティが、予め設定された条件に基づいて、第２ダウンリンクデータをバッファリングするためのユーザプレーン機能エンティティとして第１ユーザプレーン機能エンティティを選択する段階と、セッション管理機能エンティティが、第２ダウンリンクデータを受信した後に第２ダウンリンクデータをバッファリングするよう第１ユーザプレーン機能エンティティに通知する段階とを有する。
【００１３】
考えられるある設計において、方法は更に、セッション管理機能エンティティが端末デバイスのモビリティ情報を取得する段階を含む。例えば、セッション管理機能エンティティは、端末デバイスのモビリティ情報を以下の方式、すなわち、セッション管理機能エンティティがモビリティ管理機能エンティティからモビリティ属性を受信する方式であって、モビリティ情報は、モビリティ属性である、方式、または、セッション管理機能エンティティがモビリティ統計情報を取得する方式であって、モビリティ情報は、モビリティ統計情報である、方式、または、セッション管理機能エンティティがモビリティ管理機能エンティティからモビリティ属性を受信し、モビリティ統計情報を取得し、かつ、当該モビリティ属性および当該モビリティ統計情報に基づいてモビリティ情報を決定する方式で取得し得る。モビリティ属性は、少なくとも１つの高モビリティ属性または低モビリティ属性を含み、モビリティ統計情報は、端末デバイスの移動速度または滞在時間を示すために使用される。
【００１４】
例えば、セッション管理機能エンティティがモビリティ統計情報を取得する段階は、セッション管理機能エンティティがモビリティ管理機能エンティティからモビリティ統計情報を受信する段階、または、セッション管理機能エンティティがネットワークデータ分析ＮＷＤＡデバイスからモビリティ統計情報を取得する段階を有する。
【００１５】
考えられるある設計において、セッション管理機能エンティティが第２ダウンリンクデータをバッファリングするためのユーザプレーン機能エンティティとして第１ユーザプレーン機能エンティティを選択する段階の後、方法は更に、セッション管理機能エンティティが第２ユーザプレーン機能エンティティを解放する段階を含む。従って、アンカユーザプレーン機能エンティティがバッファデバイスとして選択されるとき、第２ユーザプレーン機能エンティティが直接解放され得ることから、ネットワークリソースが保存される。
【００１６】
考えられるある設計において、上述の方法は、ホームルーティングされたＨＲローミングシナリオに適用可能である。セッション管理機能エンティティおよび第３ユーザプレーン機能エンティティは、ＨＲローミングシナリオにおいてＶＰＬＭＮに配置される。方法は更に、セッション管理機能エンティティがバッファデバイスを調整する段階であって、調整されたバッファデバイスは、第１セッションが非アクティブ状態に切り替えられた後に第１セッションの第４ダウンリンクデータをバッファリングするために使用される、段階を含む。
【００１７】
例えば、セッション管理機能エンティティがバッファデバイスを調整する段階は、セッション管理機能エンティティが第３ユーザプレーン機能エンティティをバッファデバイスとして決定する段階、または、セッション管理機能エンティティがセッション管理機能エンティティをバッファデバイスとして決定する段階を含む。従って、バッファデバイスが更新された後、ＨＰＬＭＮ内のアンカユーザプレーン機能エンティティとの頻繁な相互作用が回避され得ることにより、ユーザ体験が更に向上する。
【００１８】
別の態様によれば、本願は更に、セッション管理機能エンティティが第２ユーザプレーン機能エンティティおよび第１ユーザプレーン機能エンティティそれぞれと相互作用することで、第１ユーザプレーン機能エンティティが第２ユーザプレーン機能エンティティを介してアクセスネットワークデバイスに第１セッションの第１ダウンリンクデータを送信する段階であって、第１ユーザプレーン機能エンティティは、第１セッションのアンカである、段階と、セッション管理機能エンティティが、予め設定された条件に基づいて、第１セッションの第２ダウンリンクデータをバッファリングするよう第２ユーザプレーン機能エンティティに通知する段階であって、予め設定された条件は、第１セッションが第３セッション・サービス連続性ＳＳＣ３モードを有することをＳＳＣ情報が示すこと、および、第２ダウンリンクデータが、第１セッションが非アクティブ状態に切り替えられた後に第２ユーザプレーン機能エンティティにより受信されるダウンリンクデータであることを含む、段階と、セッション管理機能エンティティが第３ユーザプレーン機能エンティティおよび第２ユーザプレーン機能エンティティそれぞれと相互作用することで、第２ユーザプレーン機能エンティティが第３ユーザプレーン機能エンティティを介してアクセスネットワークデバイスに第２ダウンリンクデータを送信し、かつ、第１ユーザプレーン機能エンティティが第２ユーザプレーン機能エンティティおよび第３ユーザプレーン機能エンティティを介してアクセスネットワークデバイスに第３ダウンリンクデータを送信する段階であって、第３ダウンリンクデータは、第１セッションがアクティブ状態に切り替えられた後に第１ユーザプレーン機能エンティティにより受信されるダウンリンクデータである、段階とを備えるデータバッファリング方法を開示する。
【００１９】
第１セッションがＳＳＣ３モードを有することは、ＳＳＣ３モードで複数のアンカＵＰＦが同時に存在し得ることを示す。つまり、複数の「セッション」、または、あるセッションの複数の「セッションブランチ」が存在し得る。
【００２０】
上述のデータバッファリング解決策に基づいて、第２ダウンリンクデータを伝送するためのデータ経路と第３ダウンリンクデータを伝送するためのデータ経路とが第２ユーザプレーン機能エンティティから開始する同じものであることから、端末により受信されたダウンリンクデータが順不同であるという問題が回避され、ユーザ体験が向上する。加えて、バッファリングされたダウンリンクデータが、更なる転送トンネルを確立することも転送トンネルを再び解放することもなく取得され得ることから、ＵＰＦエンティティ間のシグナリング相互作用が減少する。従って、遅延が減少し、ユーザ体験が更に向上する。
【００２１】
考えられるある設計において、セッション管理機能エンティティが、予め設定された条件に基づいて、第１セッションの第２ダウンリンクデータをバッファリングするよう第２ユーザプレーン機能エンティティに通知する段階は、セッション管理機能エンティティが、予め設定された条件に基づいて、第２ダウンリンクデータをバッファリングするためのバッファデバイスとして第２ユーザプレーン機能エンティティを選択する段階と、セッション管理機能エンティティが、第２ダウンリンクデータを受信した後に第２ダウンリンクデータをバッファリングするよう第２ユーザプレーン機能エンティティに通知する段階とを有する。
【００２２】
考えられるある設計では、第１セッションがＳＳＣ３モードを有するので、第２セッションについてダウンリンクデータをバッファリングするために使用されるバッファデバイスが、第１セッションのバッファデバイスと同じものまたは異なるものとして選択され得る。例えば、第２セッションについて、セッション管理機能エンティティは、最初のアンカＵＰＦまたは現在のＮ３  ＵＰＦをバッファデバイスとして選択し、Ｎ４メッセージを使用して、受信されたダウンリンクデータをバッファリングするよう第１セッションおよび第２セッションのそれぞれのバッファデバイスに通知し得る。従って、セッションブランチごとに独立した処理が実装され得ることから、セッションブランチ間の処理が互いに影響を及ぼすことはなく、複数の異なる要件が満たされる。
【００２３】
別の態様によれば、本願のある実施形態はデータバッファリング方法であって、セッション管理機能ネットワーク要素が第２ユーザプレーン機能ネットワーク要素および第１ユーザプレーン機能ネットワーク要素それぞれと相互作用することで、第１ユーザプレーン機能ネットワーク要素が第２ユーザプレーン機能ネットワーク要素を介して第１セッションの第１ダウンリンクデータを送信する段階であって、第２ユーザプレーン機能ネットワーク要素は、アクセスネットワークデバイスに接続されている、第１セッションのユーザプレーン機能ネットワーク要素であり、第１ユーザプレーン機能ネットワーク要素は、例えば、幾つかのシナリオにおいて第２ユーザプレーン機能ネットワーク要素に接続されているユーザプレーン機能ネットワーク要素であり、第１ユーザプレーン機能ネットワーク要素は第１セッションのアンカである、段階と、第１セッションが非アクティブ状態に入るとき、セッション管理機能ネットワーク要素が第２ユーザプレーン機能ネットワーク要素を解放する段階（例えば、セッション・サービス連続性情報、モビリティ情報およびポリシ情報のうちの少なくとも１つに基づいて第２ユーザプレーン機能ネットワーク要素の解放を決定する段階）とを備える方法を提供する。
【００２４】
考えられるある設計において、セッション管理機能ネットワーク要素は、第１セッションの第２ダウンリンクデータをバッファリングするよう第１ユーザプレーン機能ネットワーク要素に通知する。考えられる別の設計では、第２ユーザプレーン機能ネットワーク要素を解放した後、セッション管理機能ネットワーク要素が、第１ユーザプレーン機能ネットワーク要素と第２ユーザプレーン機能ネットワーク要素との間の接続を解放するよう第１ユーザプレーン機能ネットワーク要素に通知することで、第１ユーザプレーン機能ネットワーク要素は「自動的に」、第１セッションが非アクティブ状態に切り替えられた後に第２ダウンリンクデータをバッファリングするためのバッファデバイスになる。
【００２５】
上述の解決策に基づいて、セッション管理機能ネットワーク要素が第２ユーザプレーン機能ネットワーク要素を削除した後、第１ユーザプレーン機能ネットワーク要素は、アクセスネットワークデバイスに接続されている新しいユーザプレーン機能ネットワーク要素になり、第２ダウンリンクデータをバッファリングする。このように、第１セッションが次にアクティブ状態に切り替えられた後、第１ユーザプレーン機能ネットワーク要素によりバッファリングされた第２ダウンリンクデータの伝送経路と、第１セッションが再びアクティブ状態に切り替えられた後に受信されることになっている、入ってくる第３ダウンリンクデータの伝送経路とは同じである。従って、端末により受信されたダウンリンクデータが順不同であるという問題が回避される。加えて、バッファリングされたダウンリンクデータが、更なる転送トンネルを確立することも転送トンネルを再び解放することもなく取得され得ることから、ＵＰＦネットワーク要素間のシグナリング相互作用が減少する。従って、遅延が減少し、ユーザ体験が向上する。
【００２６】
第１セッションが非アクティブ状態に入ることは、端末デバイスがアイドル（ＩＤＬＥ）状態に入り、かつ、アクセスネットワーク内の第１セッションの関連する伝送リソースが解放される手順、または、端末デバイスが依然として接続（ＣＭ−Ｃｏｎｎｅｃｔｅｄ）状態にあり、かつ、アクセスネットワーク内の第１セッションの関連する伝送リソースが解放される手順を指す。
【００２７】
別の態様によれば、本願のある実施形態はセッション管理機能エンティティを提供し、セッション管理機能エンティティは、上述の方法でセッション管理機能エンティティの挙動を実装するという機能を有する。当該機能は、ハードウェアで実装されてもよいし、ハードウェアで対応するソフトウェアを実行することにより実装されてもよい。ハードウェアまたはソフトウェアは、当該機能に対応する１つまたは複数のモジュールを含む。考えられるある設計において、セッション管理機能エンティティの構造はプロセッサおよび送受信機を含む。プロセッサは、上述の方法で対応する機能を実行する際にセッション管理機能エンティティをサポートするように構成される。送受信機は、セッション管理機能エンティティと上述のモビリティ管理機能エンティティ／ユーザプレーン機能エンティティ／別のセッション管理機能エンティティとの間の通信を実装するように構成される。セッション管理機能エンティティは更に、メモリを含み得る。メモリは、プロセッサに連結され、かつ、セッション管理機能エンティティにとって必要なプログラム命令およびデータを記憶するように構成される。
【００２８】
更に別の態様によれば、本願のある実施形態は、コンピュータ可読記憶媒体を提供する。コンピュータ可読記憶媒体は命令を記憶し、当該命令がコンピュータ上で実行されるとき、上述の態様における方法を当該コンピュータに実行させる。
【００２９】
更に別の態様によれば、本願のある実施形態は、命令を含むコンピュータプログラム製品を提供する。コンピュータプログラム製品がコンピュータ上で実行されるとき、上述の態様における方法を当該コンピュータに実行させる。
【図面の簡単な説明】
【００３０】
本願の実施形態をより明確に説明すべく、以下では実施形態の説明に必要とされる添付図面について簡単に説明する。明らかに、以下の説明における添付図面は本願の幾つかの実施形態のみを示しているが、当業者であればそれでも、創造的努力をすることなくこれらの添付図面から他の図面を導き出すことができる。
【００３１】
【図１】従来技術におけるデータバッファリングの概略図である。
【００３２】
【図２】本発明のある実施形態が適用可能である通信システムの概略図である。
【００３３】
【図３Ａ−１】本発明のある実施形態に係るデータバッファリング方法のシグナリング相互作用図である。
【図３Ａ−２】本発明のある実施形態に係るデータバッファリング方法のシグナリング相互作用図である。
【図３Ｂ】本発明のある実施形態に係るデータバッファリング方法のシグナリング相互作用図である。
【００３４】
【図４】図３Ａ−１および図３Ａ−２並びに図３Ｂにおける第１セッションのデータ経路変更の概略図である。
【００３５】
【図５Ａ】本発明のある実施形態に係るデータバッファリング方法の別のシグナリング相互作用図である。
【図５Ｂ】本発明のある実施形態に係るデータバッファリング方法の別のシグナリング相互作用図である。
【００３６】
【図６Ａ】本発明のある実施形態に係るデータバッファリング方法の更に別のシグナリング相互作用図である。
【図６Ｂ】本発明のある実施形態に係るデータバッファリング方法の更に別のシグナリング相互作用図である。
【図６Ｃ】本発明のある実施形態に係るデータバッファリング方法の更に別のシグナリング相互作用図である。
【００３７】
【図７】本発明のある実施形態に係るデータバッファリング方法のフローチャートである。
【００３８】
【図８Ａ−１】本発明の別の実施形態に係るデータバッファリング方法のシグナリング相互作用図である。
【図８Ａ−２】本発明の別の実施形態に係るデータバッファリング方法のシグナリング相互作用図である。
【図８Ａ−３】本発明の別の実施形態に係るデータバッファリング方法のシグナリング相互作用図である。
【００３９】
【図８Ｂ】図８Ａ−１から図８Ａ−３におけるセッションのデータ経路変更の概略図である。
【００４０】
【図９】本発明の別の実施形態に係るデータバッファリング方法のフローチャートである。
【００４１】
【図１０】図９の方法が適用され得るシナリオの概略図である。
【図１１】図９の方法が適用され得るシナリオの概略図である。
【００４２】
【図１２Ａ】本発明のある実施形態に係るセッション管理機能エンティティの概略構造図である。
【図１２Ｂ】本発明のある実施形態に係るセッション管理機能エンティティの概略構造図である。
【発明を実施するための形態】
【００４３】
以下では、本願の実施形態における添付図面を参照して、本願の実施形態における技術的解決策を明確かつ完全に説明する。
【００４４】
本願の実施形態は、図２に示す通信システムに基づく解決策を提供しており、次世代モバイルネットワーク（５Ｇネットワークなど）アーキテクチャにおけるデータのバッファリングに適用可能である。例えば、５Ｇモバイルネットワークアーキテクチャにおいて、モバイルゲートウェイの制御プレーン機能および転送プレーン機能が切り離され、分離されたモバイルゲートウェイの制御プレーン機能と、第３世代パートナーシッププロジェクト（ｔｈｉｒｄ  ｇｅｎｅｒａｔｉｏｎ  ｐａｒｔｎｅｒｓｈｉｐ  ｐｒｏｊｅｃｔ、３ＧＰＰ）におけるＭＭＥのような従来の制御ネットワーク要素とが組み合わされて、統一された制御プレーン（ｃｏｎｔｒｏｌ  ｐｌａｎｅ）エンティティを形成する。ユーザプレーンＵＰＦエンティティは、サービングゲートウェイ（ｓｅｒｖｉｎｇ  ｇａｔｅｗａｙ、ＳＧＷ）およびパケットデータネットワークゲートウェイ（ｐａｃｋｅｔ  ｄａｔａ  ｎｅｔｗｏｒｋ  ｇａｔｅｗａｙ、ＰＧＷ）のユーザプレーン機能（ＳＧＷ−ＵおよびＰＧＷ−Ｕ）を実装し得る。更に、統一された制御プレーンエンティティは、アクセス・モビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）エンティティおよびセッション管理機能（ｓｅｓｓｉｏｎ  ｍａｎａｇｅｍｅｎｔ  ｆｕｎｃｔｉｏｎ、ＳＭＦ）エンティティに分解され得る。ＡＭＦエンティティは、端末デバイスの取り付け、モビリティ管理およびトラッキングエリア更新手順などを担い得る。ＳＭＦエンティティは、端末デバイスのセッション管理、ユーザプレーンデバイスの選択、ユーザプレーンデバイスの再選択、インターネットプロトコル（ｉｎｔｅｒｎｅｔ  ｐｒｏｔｏｃｏｌ、ＩＰ）アドレス割り当て、サービス品質（ｑｕａｌｉｔｙ  ｏｆ  ｓｅｒｖｉｃｅ、ＱｏＳ）管理、並びに、セッションの確立、修正および解放などを担い得る。
【００４５】
加えて、本願の実施形態は、別の未来志向の通信技術にも適用可能である。本願の実施形態で説明するシステムアーキテクチャおよびサービスシナリオは、本願の実施形態における技術的解決策のより明確な説明を意図するものであり、本願の実施形態において提供する技術的解決策の限定を意図するものではない。当業者であれば知っているかもしれないが、ネットワークアーキテクチャが進化し、新しいサービスシナリオが台頭するにつれて、本願の実施形態において提供する技術的解決策は、同様の技術的問題にも適用可能である。
【００４６】
図２に示すように、本願のある実施形態は通信システムを提供する。例えば、通信システムは、端末デバイス２０２、アクセスネットワークデバイス２０４、ＡＭＦエンティティ２０６、ＳＭＦエンティティ２０８、並びに、ユーザプレーン機能エンティティ２１０ａおよび２１０ｂを含む。加えて、ＡＭＦエンティティ、ＳＭＦエンティティおよびユーザプレーン機能エンティティは、ＡＭＦネットワーク要素、ＳＭＦネットワーク要素およびユーザプレーンネットワーク要素ともそれぞれ称され得る。
【００４７】
本願のこの実施形態における端末デバイス（ｔｅｒｍｉｎａｌ  ｄｅｖｉｃｅ）２０２は、無線通信機能を有する様々なハンドヘルドデバイス、車載デバイス、ウェアラブルデバイスもしくはコンピューティングデバイス、または、無線モデムに接続されている別の処理デバイスを含み得る。端末デバイスは、ユーザ機器（ｕｓｅｒ  ｅｑｕｉｐｍｅｎｔ、ＵＥ）、移動局（ｍｏｂｉｌｅ  ｓｔａｔｉｏｎ、ＭＳ）または端末（ｔｅｒｍｉｎａｌ）と称されてもよいし、端末デバイスは、加入者ユニット（ｓｕｂｓｃｒｉｂｅｒ  ｕｎｉｔ）、携帯電話（ｃｅｌｌｕｌａｒ  ｐｈｏｎｅ）、スマートフォン（ｓｍａｒｔｐｈｏｎｅ）、無線データカード、パーソナルデジタルアシスタント（ｐｅｒｓｏｎａｌ  ｄｉｇｉｔａｌ  ａｓｓｉｓｔａｎｔ、ＰＤＡ）コンピュータ、タブレットコンピュータ、無線モデム（ｍｏｄｅｍ）、ハンドヘルド（ｈａｎｄｈｅｌｄ）デバイス、ラップトップコンピュータ（ｌａｐｔｏｐ  ｃｏｍｐｕｔｅｒ）、コードレス電話（ｃｏｒｄｌｅｓｓ  ｐｈｏｎｅ）、無線ローカルループ（ｗｉｒｅｌｅｓｓ  ｌｏｃａｌ  ｌｏｏｐ、ＷＬＬ）局またはマシンタイプ通信（ｍａｃｈｉｎｅ  ｔｙｐｅ  ｃｏｍｍｕｎｉｃａｔｉｏｎ、ＭＴＣ）端末などを含んでもよい。
【００４８】
本願のこの実施形態におけるアクセスネットワークデバイス２０４は、有線または無線のアクセスネットワークに配備される装置であり、端末デバイス２０２に無線通信機能を提供するために使用される。アクセスネットワークデバイスは、マクロ基地局、マイクロ基地局（スモールセルとも称される）、中継局またはアクセスポイントなどの様々な形態の基地局を含み得る。基地局機能を有するデバイスは、複数の異なる無線アクセス技術を使用するシステムにおいて複数の異なる名称を有し得る。例えば、ＬＴＥシステムではデバイスが進化型ノードＢ（ｅｖｏｌｖｅｄ  ＮｏｄｅＢ、ｅＮＢまたはｅＮｏｄｅＢ）と称される、または、第３世代（３ｒｄ  ｇｅｎｅｒａｔｉｏｎ、３Ｇ）システムではデバイスがノードＢ（ＮｏｄｅＢ）と称される、などである。
【００４９】
本願のこの実施形態におけるＡＭＦエンティティ２０６は、端末デバイスの取り付け、モビリティ管理およびトラッキングエリア更新手順などを担い得る。
【００５０】
本願のこの実施形態におけるＳＭＦエンティティ２０８は、端末デバイスのセッション管理、ユーザプレーン機能エンティティ（ユーザプレーン機能エンティティ２１０ａまたは２１０ｂなど）の選択、ユーザプレーン機能エンティティの再選択、ＩＰアドレス割り当て、ＱｏＳ管理、並びに、セッションの確立、修正および解放を担い得る。
【００５１】
図２の例には、２つのＵＰＦエンティティ、すなわち、ＵＰＦエンティティ２１０ａおよびＵＰＦエンティティ２１０ｂが示されている。ＵＰＦエンティティ２１０ａおよびＵＰＦエンティティ２１０ｂはどちらも、データネットワーク（ｄａｔａ  ｎｅｔｗｏｒｋ、ＤＮ）２１２に接続されて、複数の異なるサービスエリアにおけるサービスデータ送受信を実装する。ＵＰＦエンティティ２１０ｂは更に、別のアクセスネットワークデバイスに接続され得る。本発明において制限が課されることはない。加えて、本発明のこの実施形態では、別の数のＵＰＦエンティティが更に含まれ得る。本発明において制限が課されることはない。
【００５２】
５Ｇ通信システムにおいて、アクセスネットワークデバイス２０４とＡＭＦエンティティ２０６との間の接続はＮ２接続であり、アクセスネットワークデバイス２０４とＵＰＦエンティティ２１０ａ（または２１０ｂ）との間の接続はＮ３接続であり、ＳＭＦエンティティ２０８とＵＰＦエンティティ２１０ａ（または２１０ｂ）との間の接続はＮ４接続であり、ＡＭＦエンティティ２０６とＳＭＦエンティティ２０８との間の接続はＮ１１接続であり、ＳＭＦエンティティ間の接続はＮ１６接続であり、ＵＰＦエンティティ間の接続はＮ９接続である。「接続」は、ポイントツーポイント基準点（ｐｏｉｎｔ−ｔｏ−ｐｏｉｎｔ  ｒｅｆｅｒｅｎｃｅ  ｐｏｉｎｔ）または基準点（ｒｅｆｅｒｅｎｃｅ  ｐｏｉｎｔ）と称されてもよい。加えて、上述の接続は上述の名称に限定されることなく、他の名称を有してもよい。以下の説明において、メッセージが接続と呼ばれる場合は、当該メッセージが、接続を使用して伝送されるメッセージであることを示す。例えば、「Ｎ２メッセージ」は、アクセスネットワークデバイス２０４とＡＭＦエンティティ２０６との間の接続を使用して伝送されるメッセージを示す。「Ｎ２メッセージ」は更に、複数の異なるシナリオおよび手順において他の特定の名称を有し得る。本発明において制限が課されることはない。「Ｎ３メッセージ」、「Ｎ４メッセージ」、「Ｎ１１メッセージ」および「Ｎ１６メッセージ」についても同様のことが言える。本明細書では詳細について更に説明しない。
【００５３】
オプションとして、通信システムは更に、ネットワークデータ分析（Ｎｅｔｗｏｒｋ  Ｄａｔａ  Ａｎａｌｙｔｉｃｓ、ＮＷＤＡ）デバイス２１４を含む。ＮＷＤＡデバイスは、端末デバイスのモビリティ統計情報に関する統計を収集するために使用される。例えば、モビリティ統計情報は、ＵＰＦエンティティにおける端末デバイスの滞在時間または端末デバイスの移動速度を示すために使用される。
【００５４】
以下の説明において、「セッション」は、パケットデータユニット（ｐａｃｋｅｔ  ｄａｔａ  ｕｎｉｔ、ＰＤＵ）セッションであってよい。「セッションのデータ経路（ｄａｔａ  ｐａｔｈ）」は、端末デバイス２０２とＵＰＦとの間でセッションのアップリンクデータまたはダウンリンクデータを伝送するためのデータ経路であり、「セッションのユーザプレーン経路（ｕｓｅｒ  ｐｌａｎｅ  ｐａｔｈ）」と称されてもよい。
【００５５】
以下では、図３Ａ−１から図７の実施形態を参照して、本願のある実施形態におけるデータバッファリング方法について説明する。図３Ａ−１および図３Ａ−２並びに図３Ｂについては、図４を参照して説明する。図４は、端末デバイス２０２の移動プロセスにおける第１セッションのデータ経路変更を示している。
【００５６】
図３Ａ−１および図３Ａ−２に示す段階が実行される前（例えば、図４の時点Ｔ１で）、端末デバイスは、ＵＰＦ１との第１セッションを確立し、ＵＰＦ１にサービスデータを伝送するか、ＵＰＦ１からサービスデータを受信する。例えば、ＵＰＦ１は図２のＵＰＦエンティティ２１０ａである。第１セッションは、第１セッション・サービス連続性（ＳＳＣ１）モードを有し、ＵＰＦ１は第１セッションのアンカである。
【００５７】
図３Ａ−１に示すように、段階３０１において、端末デバイス２０２は、アクセスネットワークデバイス２０４を介してＡＭＦエンティティ２０６にセッション確立要求メッセージを送信する。例えば、端末デバイスがＵＰＦ１のサービスエリアから出るとき、セッション確立のトリガ条件が満たされている場合は、端末デバイス２０２はセッション確立要求メッセージを送信する。
【００５８】
オプションとして、セッション確立要求メッセージは、第１セッションのＳＳＣモード情報を保持し得る。
【００５９】
オプションとして、セッション確立要求メッセージは更に、端末デバイス２０２が加入しているＰＬＭＮを示すために使用される公衆陸上移動体ネットワーク（ｐｕｂｌｉｃ  ｌａｎｄ  ｍｏｂｉｌｅ  ｎｅｔｗｏｒｋ、ＰＬＭＮ）情報を保持し得る。例えば、セッション確立要求メッセージは、端末デバイスの加入者永久識別子（ｓｕｂｓｃｒｉｂｅｒ  ｐｅｒｍａｎｅｎｔ  ｉｄｅｎｔｉｆｉｅｒ、ＳＵＰＩ）を保持し、ＰＬＭＮ情報は、ＳＵＰＩ内のフィールドを使用して表され得る。
【００６０】
段階３０２：ＡＭＦエンティティ２０６は、ＳＭＦエンティティ２０８にＮ１１メッセージを送信する。ここで、Ｎ１１メッセージは、ＰＤＵセッション（第１セッション）を確立するために使用され得る。
【００６１】
オプションとして、段階３０２におけるＮ１１メッセージは更に、第１セッションのＳＳＣモード情報を保持し得る。例えば、ＳＳＣモード情報は、第１セッションがＳＳＣ１モードを有することを示すために使用される。Ｎ１１メッセージを受信した後、ＳＭＦエンティティ２０８は、第１セッションがＳＳＣ１モードを有することを認識し得る。
【００６２】
オプションとして、段階３０２におけるＮ１１メッセージは更に、端末デバイス２０２が加入しているＰＬＭＮに関する情報を保持し得る。Ｎ１１メッセージを受信した後、ＳＭＦエンティティ２０８は更に、端末デバイス２０２がホーム公衆移動通信ネットワーク（ｈｏｍｅ  ｐｕｂｌｉｃ  ｌａｎｄ  ｍｏｂｉｌｅ  ｎｅｔｗｏｒｋ、ＨＰＬＭＮ）に現在配置されているかどうか、つまり、端末デバイス２０２が非ローミング状態にあるかどうかを認識し得る。例えば、ＳＭＦエンティティ２０８は、現在のネットワークのＰＬＭＮ情報が、段階３０２において取得されるＰＬＭＮ情報と同じであるかどうかを決定して、端末デバイス２０２がＨＰＬＭＮに現在配置されているかどうかを決定する。
【００６３】
オプションとして、ＡＭＦエンティティ２０６からＮ１１メッセージを受信した後、ＳＭＦエンティティ２０８は、端末デバイス２０２のモビリティ情報を取得する。モビリティ情報は、端末デバイス２０２が高モビリティデバイスであるかどうかを示すために使用される。
【００６４】
例えば、ＳＭＦエンティティは、以下の方式で端末デバイス２０２のモビリティ情報を取得し得る。
【００６５】
［実装１］
【００６６】
段階３０２の前、ＡＭＦエンティティは、段階３０２ａを使用してＮＷＤＡデバイス２１４からモビリティ統計情報を取得する。段階３０２におけるＮ１１メッセージは、取得されたモビリティ統計情報を保持する。ＡＭＦエンティティ２０６からＮ１１メッセージを受信した後、ＳＭＦエンティティ２０８は、当該モビリティ統計情報に基づいて端末デバイス２０２のモビリティ情報を取得する。代わりに、段階３０２におけるＮ１１メッセージは、ＮＷＤＡデバイスから取得されるモビリティ統計情報と、ＡＭＦにより管理される端末デバイス２０２のモビリティ属性とを保持する。ＡＭＦエンティティ２０６からＮ１１メッセージを受信した後、ＳＭＦエンティティ２０８は、当該モビリティ統計情報および当該モビリティ属性に基づいて端末デバイス２０２のモビリティ情報を決定する。
【００６７】
［実装２］
【００６８】
段階３０２におけるＮ１１メッセージは、ＡＭＦにより管理される端末デバイス２０２のモビリティ属性を保持する。ＡＭＦエンティティ２０６からＮ１１メッセージを受信した後、ＳＭＦエンティティ２０８は、段階３０２ｂを使用してＮＷＤＡデバイス２１４からモビリティ統計情報を取得する。最後に、ＳＭＦエンティティは、当該モビリティ統計情報に基づいて端末デバイス２０２のモビリティ情報を取得するか、当該モビリティ統計情報および当該モビリティ属性に基づいて端末デバイス２０２のモビリティ情報を決定する。
【００６９】
［実装３］
【００７０】
ＡＭＦエンティティ２０６からＮ１１メッセージを受信した後、ＳＭＦエンティティ２０８は、段階３０２ｂを使用してＮＷＤＡデバイス２１４からモビリティ統計情報を取得する。ＳＭＦエンティティは、当該モビリティ統計情報に基づいて端末デバイス２０２のモビリティ情報を取得する。
【００７１】
［実装４］
【００７２】
段階３０２におけるＮ１１メッセージは、ＡＭＦにより管理される端末デバイス２０２のモビリティ属性を保持する。ＡＭＦエンティティ２０６からＮ１１メッセージを受信した後、ＳＭＦエンティティ２０８は、当該モビリティ属性に基づいて端末デバイス２０２のモビリティ情報を取得する。
【００７３】
上述の実装において、モビリティ属性は、少なくとも第１タイプのモビリティ（高モビリティなど）または第２タイプのモビリティ（低モビリティなど）を含む。オプションとして、モビリティ属性は更に、第３タイプのモビリティ（中程度モビリティなど）を含み得る。例えば、モビリティ属性は、モビリティパターン（ｍｏｂｉｌｉｔｙ  ｐａｔｔｅｒｎ）のパラメータであってもよいし、モビリティパターンから独立したパラメータであってもよい。モビリティ属性は、ＡＭＦエンティティ２０６により構成されてもよいし、別のネットワークデバイスからＡＭＦエンティティ２０６により取得されてもよい。本発明において制限が課されることはない。
【００７４】
モビリティ統計情報は、ＵＰＦエンティティにおける端末デバイス２０２の滞在時間または端末デバイス２０２の移動速度のうちの少なくとも一方を含み得る。なお、本明細書における移動速度は、予め設定された期間内の各時点における端末デバイスの瞬時速度値に基づく統計収集を通じて生成され得る。同様に、滞在時間も統計収集を通じて生成され得る。
【００７５】
例えば、上述の実装１、２または３において、ＳＭＦエンティティが当該モビリティ統計情報に基づいて端末デバイス２０２のモビリティ情報を取得することは、端末デバイス２０２の移動速度が第１閾値より高いこと、もしくは、ＵＰＦエンティティにおける端末デバイス２０２の滞在時間が第２閾値より大きくないことをモビリティ統計情報が示す場合に、端末デバイス２０２が高モビリティデバイスであることを、決定されたモビリティ情報が示すこと、または、端末デバイス２０２の移動速度が第１閾値より大きくないこと、もしくは、ＵＰＦエンティティにおける端末デバイス２０２の滞在時間が第２閾値より大きいことをモビリティ統計情報が示す場合に、端末デバイス２０２が高モビリティデバイスではないことを、決定されたモビリティ情報が示すことを含み得る。
【００７６】
上述の実装４において、ＳＭＦエンティティが当該モビリティ属性に基づいて端末デバイス２０２のモビリティ情報を取得することは、モビリティ属性が第１タイプのモビリティ（高モビリティなど）である場合に、端末デバイス２０２が高モビリティデバイスであることを、決定されたモビリティ情報が示すこと、または、モビリティ属性が第２タイプのモビリティ（低モビリティなど）もしくは第３タイプのモビリティ（中程度モビリティなど）である場合に、端末デバイス２０２が高モビリティデバイスではないことを、決定されたモビリティ情報が示すことを含み得る。
【００７７】
上述の実装１または２において、ＳＭＦエンティティが当該モビリティ統計情報および当該モビリティ属性に基づいて端末デバイス２０２のモビリティ情報を決定することは、端末デバイス２０２の移動速度が第１閾値より高いこと、もしくは、ＵＰＦエンティティにおける端末デバイス２０２の滞在時間が第２閾値より大きくないことをモビリティ統計情報が示し、かつ、モビリティ属性が第１タイプのモビリティ（高モビリティなど）である場合に、端末デバイス２０２が高モビリティデバイスであることを、決定されたモビリティ情報が示すこと、または、端末デバイス２０２の移動速度が第１閾値より大きくないこと、もしくは、ＵＰＦエンティティにおける端末デバイス２０２の滞在時間が第２閾値より大きいことをモビリティ統計情報が示し、かつ、モビリティ属性が第２タイプのモビリティ（低モビリティなど）もしくは第３タイプのモビリティ（中程度モビリティなど）である場合に、端末デバイス２０２が高モビリティデバイスではないことを、決定されたモビリティ情報が示すこと、または、モビリティ統計情報およびモビリティ属性が互いに矛盾する場合に、端末デバイス２０２が高モビリティデバイスであるかどうかを、ＳＭＦエンティティ２０８が更にローカルポリシに基づいて決定し得ることを含み得る。
【００７８】
段階３０３：ＳＭＦエンティティ２０８は、ＵＰＦ２（図２のＵＰＦエンティティ２１０ｂなど）を選択し、ＵＰＦ２とＮ４メッセージを交換して、ＰＤＵセッション（第１セッション）を確立する。例えば、ＳＭＦエンティティ２０８は、ＵＰＦ２にＮ４セッション確立要求（ｓｅｓｓｉｏｎ  ｅｓｔａｂｌｉｓｈｍｅｎｔ  ｒｅｑｕｅｓｔ）メッセージを送信し、ＵＰＦ２は、ＳＭＦエンティティ２０８にＮ４セッション確立応答（ｓｅｓｓｉｏｎ  ｅｓｔａｂｌｉｓｈｍｅｎｔ  ｒｅｓｐｏｎｓｅ）メッセージを返信する。
【００７９】
ＵＰＦ２はＵＰＦ１に接続される。例えば、ＵＰＦ２は、Ｎ９接続を使用してＵＰＦ１に接続される。
【００８０】
段階３０４：ＳＭＦエンティティ２０８は、ＡＭＦエンティティ２０６にＮ１１メッセージを返信する。Ｎ１１メッセージは、ＰＤＵセッション確立受容メッセージである。例えば、段階３０４におけるＰＤＵセッション確立受容メッセージは、コアネットワーク側のトンネル情報（ＵＰＦ２のアドレス情報など）を保持する。
【００８１】
段階３０５：ＡＭＦエンティティ２０６は、アクセスネットワークデバイス２０４にＮ２メッセージを送信して、段階３０４におけるＰＤＵセッション確立受容メッセージをアクセスネットワークデバイス２０４に転送する。Ｎ２メッセージは、アクセスネットワークデバイス２０４とＵＰＦ２との間における第１セッションに関するＮ３接続をアクティブ化するために使用される。
【００８２】
段階３０６：Ｎ２メッセージを受信した後、アクセスネットワークデバイス２０４は、データ無線ベアラ（ｄａｔａ  ｒａｄｉｏ  ｂｅａｒｅｒ、ＤＲＢ）を確立する。
【００８３】
段階３０７：アクセスネットワークデバイス２０４は、ＡＭＦエンティティにＮ２メッセージを返信する。Ｎ２メッセージは、ＰＤＵセッション確立受容メッセージである。例えば、段階３０７におけるＰＤＵセッション確立受容メッセージは、アクセスネットワーク側のトンネル情報を保持する。
【００８４】
段階３０８：ＡＭＦエンティティ２０６は、ＳＭＦエンティティ２０８にＮ１１メッセージを送信して、段階３０７におけるＰＤＵセッション確立受容メッセージをＳＭＦエンティティ２０８に転送する。
【００８５】
段階３０９ａ：ＳＭＦエンティティ２０８は、ＵＰＦ２とＮ４メッセージを交換して、ＰＤＵセッション修正を通じてアクセスネットワーク側のトンネル情報をＵＰＦ２に転送する。例えば、ＳＭＦエンティティ２０８は、ＵＰＦ２にＮ４セッション修正要求（ｓｅｓｓｉｏｎ  ｍｏｄｉｆｉｃａｔｉｏｎ  ｒｅｑｕｅｓｔ）メッセージを送信し、ＵＰＦ２は、ＳＭＦエンティティ２０８にＮ４セッション修正応答（ｓｅｓｓｉｏｎ  ｍｏｄｉｆｉｃａｔｉｏｎ  ｒｅｓｐｏｎｓｅ）メッセージを返信する。
【００８６】
段階３０９ｂ：ＳＭＦエンティティ２０８は、ＵＰＦ１とＮ４メッセージを交換して、ＰＤＵセッション修正を通じてＵＰＦ１の第１セッションのデータ経路にＵＰＦ２を追加する。例えば、ＳＭＦエンティティ２０８は、ＵＰＦ１にＮ４セッション修正要求メッセージを送信し、ＵＰＦ１は、ＳＭＦエンティティ２０８にＮ４セッション修正応答メッセージを返信する。
【００８７】
段階３１０：ＳＭＦエンティティ２０８は、段階３０８におけるＮ１１メッセージへの応答として、ＡＭＦエンティティ２０６にＮ１１メッセージを返信する。
【００８８】
このように、ＵＰＦ１は、ＵＰＦ２を介してアクセスネットワークデバイス（アクセスネットワークデバイス２０４など）に第１セッションの第１ダウンリンクデータを送信する。図４に示すように、時点Ｔ２で、第１セッションのダウンリンクデータ経路は、ＵＰＦ１→ＵＰＦ２→アクセスネットワークデバイス（図示せず）→端末デバイス２０２である。同様に、第１セッションのアップリンクデータ経路は、端末デバイス２０２→アクセスネットワークデバイス（図示せず）→ＵＰＦ２→ＵＰＦ１である。
【００８９】
この場合は、ＵＰＦ２は、アクセスネットワークデバイス２０４に接続されているＵＰＦエンティティとして使用され、Ｎ３  ＵＰＦと称されてもよい。Ｎ３  ＵＰＦは、Ｎ３接続を終了するために使用され、Ｎ３接続終了点と称されてもよい。以下の説明では、アクセスネットワークデバイス２０４に接続されているＵＰＦエンティティが略してＮ３  ＵＰＦと称される。無論、アクセスネットワークデバイス２０４に接続されているＵＰＦエンティティは、別の名称を有してもよい。本発明において制限が課されることはない。
【００９０】
段階３１１：トリガ条件が満たされているとき、第１セッションは、非アクティブ（ｉｎａｃｔｉｖｅ）状態に切り替えられるようトリガされる。この場合は、端末デバイス２０２は、アクセスネットワークデバイス２０４にトリガメッセージを送信する。トリガメッセージを受信した後、アクセスネットワークデバイス２０４は、ＡＭＦエンティティ２０６にＮ２メッセージを送信して、アクセスネットワークデバイス２０４とＡＭＦエンティティ２０６との間のＮ２接続を解放する。
【００９１】
なお、上術の説明において、第１セッションは、非アクティブ状態に切り替えられるようトリガされる。端末デバイス２０２の全てのセッションが非アクティブ状態に切り替えられる場合は、それに応じて端末デバイス２０２がアイドル（ＣＭ−ＩＤＬＥ）状態に切り替えられる。
【００９２】
段階３１２：ＡＭＦエンティティ２０６は、ＳＭＦエンティティ２０８にＮ１１メッセージを送信して、アクセスネットワークデバイス２０４とＵＰＦ２との間のＮ３接続を解放するよう要求する。
【００９３】
オプションとして、ＡＭＦエンティティ２０６が端末デバイス２０２のモビリティ属性またはモビリティ統計情報の変化を検出した場合は、Ｎ１１メッセージは、モビリティ統計情報およびモビリティ属性のうちの少なくとも一方を保持し得る。ＡＭＦエンティティ２０６からＮ１１メッセージを受信した後、ＳＭＦエンティティ２０８は、端末デバイス２０２のモビリティ情報を更新し得る。ＳＭＦエンティティ２０８が端末デバイス２０２のモビリティ情報を更新する方式については、ＳＭＦエンティティ２０８が段階３０２において端末デバイス２０２のモビリティ情報を取得する方法に関する説明を参照されたい。詳細についてはここで改めて説明しない。
【００９４】
段階３１３：ＳＭＦエンティティ２０８は、予め設定された条件に基づいて、第１セッションが非アクティブ状態に切り替えられた後に第２ダウンリンクデータをバッファリングするためのバッファデバイスとしてＵＰＦ１を選択する。
【００９５】
例えば、予め設定された条件は、以下のうちの少なくとも１つを含む。
第１セッションがＳＳＣ１モードを有することをＳＳＣ情報が示すこと。
端末デバイス２０２が高モビリティデバイスであることを端末デバイス２０２のモビリティ情報が示すこと。または、
セッション管理機能エンティティおよび第１ユーザプレーン機能エンティティが同じオペレータネットワーク（例えば、非ローミングシナリオまたはローカルブレークアウト（ｌｏｃａｌ  ｂｒｅａｋｏｕｔ、ＬＢＯ）ローミングシナリオ）に属すること。
【００９６】
つまり、予め設定された条件の何れか１つが満たされているとき、ＵＰＦ１は、第１セッションが非アクティブ状態に切り替えられた後に第２ダウンリンクデータをバッファリングするためのバッファデバイスとして選択され得る。
【００９７】
例えば、第１セッションがＳＳＣ１モードを有することをＳＳＣ情報が示す場合は、ＳＭＦエンティティ２０８は、ＵＰＦ１を選択して第２ダウンリンクデータをバッファリングする。代わりに、端末デバイス２０２が高モビリティデバイスであることを端末デバイスのモビリティ情報が示す場合は、ＳＭＦエンティティ２０８は、ＵＰＦ１を選択して第２ダウンリンクデータをバッファリングする。代わりに、第１セッションがＳＳＣ１モードを有することをＳＳＣ情報が示し、かつ、端末デバイス２０２が高モビリティデバイスであることを端末デバイスのモビリティ情報が示す場合は、ＳＭＦエンティティ２０８は、ＵＰＦ１を選択して第２ダウンリンクデータをバッファリングする。加えて、上述の方法は、非ローミングシナリオに適用可能であり、ＬＢＯローミングシナリオにも適用可能である。上述の方法がＬＢＯローミングシナリオに適用可能であるとき、ＳＭＦエンティティ２０８は訪問先ＰＬＭＮ（ｖｉｓｉｔ  ＰＬＭＮ、ＶＰＬＭＮ）に配置される。
【００９８】
段階３１４：ＳＭＦエンティティ２０８は、ＵＰＦ２とＮ４メッセージを交換して、アクセスネットワークデバイス２０４とＵＰＦ２との間のＮ３接続を解放するよう要求する。例えば、ＳＭＦエンティティ２０８は、ＵＰＦ２にＮ３接続解放要求（Ｎ３  ｃｏｎｎｅｃｔｉｏｎ  ｒｅｌｅａｓｅ  ｒｅｑｕｅｓｔ）メッセージまたはセッション修正要求メッセージを送信し、ＵＰＦ２は、ＳＭＦエンティティ２０８にＮ３接続解放応答（Ｎ３  ｃｏｎｎｅｃｔｉｏｎ  ｒｅｌｅａｓｅ  ｒｅｓｐｏｎｓｅ）メッセージまたはセッション修正応答メッセージを返信して、アクセスネットワークデバイス２０４とＵＰＦ２との間のＮ３接続を解放する。
【００９９】
代わりに、ＳＭＦエンティティ２０８は、ＵＰＦ２とＮ４メッセージを交換して、ＵＰＦ２を解放するよう要求する。例えば、ＳＭＦエンティティ２０８は、ＵＰＦ２にセッション終了要求（ｓｅｓｓｉｏｎ  ｔｅｒｍｉｎａｔｉｏｎ  ｒｅｑｕｅｓｔ）メッセージを送信し、ＵＰＦ２は、ＳＭＦエンティティ２０８にセッション終了応答（ｓｅｓｓｉｏｎ  ｔｅｒｍｉｎａｔｉｏｎ  ｒｅｓｐｏｎｓｅ）メッセージを返信して、ＵＰＦ２を直接解放する。なお、「ＵＰＦを解放する」ことは、ＵＰＦ上の指定された／全てのセッションを解放すること、つまり、ＵＰＦ上の指定された／全てのセッションの関連情報を削除することを意味し、「ＵＰＦを削除する」こととして表現されてもよい。以下の同様の説明についても同様のことが言える。
【０１００】
段階３１５：ＳＭＦエンティティ２０８は、ＵＰＦ１にＮ４メッセージを送信して、第２ダウンリンクデータをバッファリングするようＵＰＦ１に通知する。例えば、ＳＭＦエンティティ２０８は、ＰＤＵセッション修正を通じてＵＰＦ１にＮ４セッション修正要求メッセージを送信して、第２ダウンリンクデータをバッファリングするようＵＰＦ１に通知し、ＵＰＦ１は、ＳＭＦエンティティ２０８にＮ４セッション修正応答メッセージを返信する。
【０１０１】
代わりに、上述の段階３１３から３１５は、ＳＭＦエンティティ２０８がＵＰＦ２を解放し、ＵＰＦ１にＮ４メッセージを送信して、ＵＰＦ１とＵＰＦ２との間の接続を解放するようＵＰＦ１に通知する段階に置き換えられ得る。
【０１０２】
例えば、ＳＭＦエンティティ２０８はまず、ポリシ情報に基づいて、ＵＰＦ２を解放するかどうかを決定する。ポリシ情報がＵＰＦ２の解放を示すとき、ＳＭＦエンティティ２０８は、ＵＰＦ２の解放を決定する。例えば、オペレータは、ユーザプレーン管理ポリシが全てのセッションについてＮ３  ＵＰＦを削除すべきか、指定されたセッションについてＮ３  ＵＰＦを削除すべきかを設定することで、対応するポリシ情報を生成する。代わりに、ＳＭＦエンティティ２０８は、上述の予め設定された条件（セッション・サービス連続性情報またはモビリティ情報など）内の別のパラメータに基づいて、ＵＰＦ２を解放するかどうかを決定し得る。詳細については、予め設定された条件に基づいてＳＭＦエンティティ２０８がＵＰＦ１をバッファデバイスとして選択する方法に関する説明を参照されたい。詳細については改めて説明しない。つまり、上述の条件の何れか１つが満たされているとき、ＳＭＦエンティティ２０８はＵＰＦ２の解放を決定する。
【０１０３】
ＵＰＦ２の解放を決定した後、ＳＭＦエンティティ２０８は、ＵＰＦ２とＮ４メッセージを交換して、ＵＰＦ２を解放するよう要求する。例えば、ＳＭＦエンティティ２０８は、ＵＰＦ２にセッション終了要求メッセージを送信し、ＵＰＦ２は、ＳＭＦエンティティ２０８にセッション終了応答メッセージを返信して、ＵＰＦ２を直接解放する。
【０１０４】
加えて、ＳＭＦエンティティ２０８は、ＵＰＦ１とＮ４メッセージを交換して、ＵＰＦ１とＵＰＦ２との間の接続を解放するようＵＰＦ１に要求する。例えば、ＳＭＦエンティティ２０８は、ＵＰＦ１にセッション修正要求メッセージを送信し、ＵＰＦ１は、ＳＭＦエンティティ２０８にセッション修正応答メッセージを返信する。ある実装において、ＳＭＦエンティティ２０８は、セッション修正要求に明示的なインジケーション情報（バッファリングオン／オフ、バッファオン／オフなど）を追加して、第２ダウンリンクデータを受信した後に当該第２ダウンリンクデータをバッファリングするようＵＰＦ１に通知し得る。別の実装において、セッション修正要求はインジケーションを保持しないかもしれず、セッション修正要求メッセージには、第２ダウンリンクデータを受信した後に当該第２ダウンリンクデータをバッファリングするようＵＰＦ１に暗黙的に通知するために、明示的なインジケーション情報が保持されない。つまり、ＳＭＦエンティティ２０８が、ＵＰＦ１とＵＰＦ２との間の接続を解放するようＵＰＦ１に通知することで、ＵＰＦ１は「自動的に」、第１セッションが非アクティブ状態に切り替えられた後に第２ダウンリンクデータをバッファリングするためのバッファデバイスになる。
【０１０５】
ＵＰＦ２が解放された後、ＵＰＦ１は新しいＮ３  ＵＰＦになり、ＵＰＦ１は、第１セッションが非アクティブ状態に切り替えられた後に第２ダウンリンクデータをバッファリングするためのバッファデバイスになることが理解され得る。なお、ＵＰＦ１は、アンカＵＰＦであってもよいし、アンカＵＰＦとＵＰＦ２との間にあるＵＰＦであってもよい。
【０１０６】
段階３１６：ＳＭＦエンティティ２０８は、ＡＭＦエンティティ２０６にＮ１１メッセージを返信して、アクセスネットワークデバイス２０４とＵＰＦ２との間のＮ３接続の解放を確認し、Ｎ１１メッセージを受信した後、ＡＭＦエンティティ２０６は、第１セッションが非アクティブ状態に切り替えられることを記録する。
【０１０７】
図３Ａ−１および図３Ａ−２における上述の段階に基づいて、予め設定された条件に基づいてＵＰＦ１を選択した後、または、予め設定された条件に基づいてＵＰＦ２を削除した後、ＳＭＦエンティティは、第２ダウンリンクデータをバッファリングするようアンカＵＰＦ１に通知する。第１セッションがアクティブ状態に切り替えられた後、アンカユーザプレーン機能エンティティによりバッファリングされた第２ダウンリンクデータの伝送経路と、第１セッションが再びアクティブ状態に切り替えられた後に受信されることになっている、入ってくる第３ダウンリンクデータの伝送経路とはどちらも、ＵＰＦ１→ＵＰＦ３→アクセスネットワークデバイス→端末デバイス２０２である。従って、端末により受信されたダウンリンクデータが順不同であるという問題が回避される。加えて、バッファリングされたダウンリンクデータが、更なる転送トンネルを確立することも確立された転送トンネルを解放することもなく取得され得ることから、ＵＰＦエンティティ間のシグナリング相互作用が減少する。従って、遅延が減少し、ユーザ体験が向上する。これについては、図３Ｂおよび図４を参照して詳細に説明する。
【０１０８】
加えて、バッファデバイスの選択中に端末デバイスのモビリティを更に考慮する必要があり、アンカユーザプレーン機能エンティティは、端末デバイスが高モビリティデバイスである（ことから、順不同および転送経路の再確立の可能性が比較的高くなり得る）ときだけ、バッファデバイスとして選択される。同様に、アクセスネットワークデバイスに接続されているＮ３  ＵＰＦを削除するかどうかをＳＭＦエンティティが決定するときにも端末デバイスのモビリティを考慮する必要があるかもしれず、ＳＭＦエンティティは、端末デバイスが高モビリティデバイスである（ことから、順不同および転送経路の再確立の可能性が比較的高くなり得る）ときだけ、Ｎ３  ＵＰＦの削除を選択し、Ｎ９インタフェースを使用してＮ３  ＵＰＦに接続されている別のＵＰＦ（アンカユーザプレーン機能エンティティなど）をバッファデバイスとして設定する。加えて、Ｎ９インタフェースを使用してＮ３  ＵＰＦに接続されているＵＰＦは、アンカユーザプレーン機能エンティティとＮ３  ＵＰＦとの間に配置されるＵＰＦであってもよい。
【０１０９】
オプションとして、端末デバイス２０２が高モビリティデバイスではない（ことから、順不同および転送経路の再確立の可能性が比較的低くなり得る）ことを端末デバイスのモビリティ情報が示す場合は、ＳＭＦエンティティは、別のバッファデバイス（例えば、このバッファデバイスは、ＵＰＦ２、すなわち、Ｎ３接続を提供するＵＰＦである）を選択するか、Ｎ３  ＵＰＦ（ＵＰＦ２など）を削除せずにＮ３  ＵＰＦをバッファデバイスとして直接設定することを選択し得る。このように、第１セッションのデータ経路は依然として、ＵＰＦ１→ＵＰＦ２→アクセスネットワークデバイス→端末デバイス２０２である。ページング応答を行った後、端末デバイスは、バッファリングされたダウンリンクデータを、アクセスネットワークデバイスに接続されているＵＰＦ２から直接取得し得る。端末デバイスがＵＰＦ２のサービスエリアから出る可能性が比較的低い（順不同および転送経路の再確立の可能性が比較的低い）ときは、端末デバイスがより短い経路を使用して、バッファリングされたダウンリンクデータを取得し得ることから、シグナリングリソースが保存される。
【０１１０】
オプションとして、ＳＭＦはＳＭＦをバッファデバイスとして選択してもよい。例えば、ＵＰＦがダウンリンクデータのバッファリングの能力を有さない場合は、ＳＭＦはＳＭＦをバッファデバイスとして選択してもよいし、ＳＭＦはポリシに基づいてＳＭＦをバッファデバイスとして選択してもよい。
【０１１１】
図３Ｂに示すように、第１セッションが非アクティブ状態にあるとき、データネットワーク２１２からの第２ダウンリンクデータがＵＰＦ１に到着する。
【０１１２】
段階４０１：ＵＰＦ１は、第２ダウンリンクデータをバッファリングする。
【０１１３】
段階４０２ａ：第２ダウンリンクデータを受信した後、ＵＰＦ１は、ＳＭＦエンティティ２０８にデータ通知メッセージを送信する。
【０１１４】
本発明において段階４０１および段階４０２ａの実行順序は限定されない。段階４０２ａが段階４０１の後に実行されてもよいし、段階４０１が段階４０２ａの後に実行されてもよく、または、段階４０１および段階４０２ａが同時に実行される。
【０１１５】
オプションとして、段階４０２ｂにおいて、ＳＭＦエンティティ２０８は、ＵＰＦ１にデータ通知確認メッセージを返信する。
【０１１６】
段階４０３：データ通知メッセージを受信した後、ＳＭＦエンティティ２０８は、ＡＭＦエンティティ２０６を決定し、ＡＭＦエンティティ２０６にＮ１１メッセージを送信する。
【０１１７】
段階４０４：ＡＭＦエンティティ２０６は、アクセスネットワークデバイス２０４を介して端末デバイス２０２にページングメッセージを送信して、接続状態に切り替えられるよう端末デバイス２０２をトリガする。
【０１１８】
ページングメッセージを受信した後、端末デバイス２０２は、段階４０５から４１１を使用してサービス要求手順を実行する。
【０１１９】
段階４０５：端末デバイス２０２は、アクセスネットワークデバイス２０４にサービス要求メッセージを送信し、サービス要求メッセージを受信した後、アクセスネットワークデバイス２０４は、Ｎ２メッセージを使用してサービス要求メッセージを転送する。
【０１２０】
オプションとして、段階４０５ａにおいて、ＡＭＦエンティティ２０６は、アクセスネットワークデバイス２０４にＮ２メッセージを送信する。Ｎ２メッセージは、ＵＰＦ２のアドレス情報を保持する。ＵＰＦ２、または、アクセスネットワークデバイス２０４とＵＰＦ２との間のＮ３接続が段階３１４を使用して解放されるので、メッセージは無効であり、ひいては、省略されてもよい。
【０１２１】
段階４０５ｂ：ＡＭＦエンティティ２０６は、ＳＭＦエンティティ２０８にＮ１１メッセージを送信する。
【０１２２】
段階４０６：Ｎ１１メッセージを受信した後、ＳＭＦエンティティ２０８は、ＵＰＦ３（図２には図示せず）を選択し、ＵＰＦ３とＮ４メッセージを交換して、ＰＤＵセッション（第１セッション）を確立する。例えば、ＳＭＦエンティティ２０８は、ＵＰＦ３にＮ４セッション確立要求メッセージを送信し、ＵＰＦ３は、ＳＭＦエンティティ２０８にＮ４セッション確立応答メッセージを返信する。
【０１２３】
段階４０７：ＳＭＦエンティティ２０８は、ＵＰＦ１とＮ４メッセージを交換して、ＰＤＵセッション修正を通じてＵＰＦ１の第１セッションのデータ経路にＵＰＦ３を追加する。例えば、ＳＭＦエンティティ２０８は、ＵＰＦ１にＮ４セッション修正要求メッセージを送信し、ＵＰＦ１は、ＳＭＦエンティティ２０８にＮ４セッション修正応答メッセージを返信する。
【０１２４】
オプションとして、図３Ａ−２の段階３１４で、アクセスネットワークデバイス２０４とＵＰＦ２との間のＮ３接続だけが解放され、かつ、ＵＰＦ２が解放されない場合は、段階４０８が実行され得る。図３Ａ−２の段階３１４でＵＰＦ２が解放された場合は、段階４０８が省略され得る。
【０１２５】
段階４０８：ＳＭＦエンティティ２０８は、ＵＰＦ２とＮ４メッセージを交換して、ＵＰＦ２を解放する。例えば、ＳＭＦエンティティ２０８は、ＵＰＦ２にセッション終了要求メッセージを送信してＵＰＦ２を解放し、ＵＰＦ２は、ＳＭＦエンティティ２０８にセッション終了応答メッセージを返信する。
【０１２６】
段階４０９：セッション確立応答メッセージおよびセッション修正応答メッセージを受信した後、ＳＭＦエンティティ２０８は、ＡＭＦエンティティ２０６にＮ１１メッセージを送信する。
【０１２７】
段階４１０：ＡＭＦエンティティ２０６は、アクセスネットワークデバイス２０４にＮ２メッセージを送信する。Ｎ２メッセージはサービス受容を示す。Ｎ２メッセージは、ＵＰＦ３のアドレス情報を保持する。
【０１２８】
段階４１１：Ｎ２メッセージを受信した後、アクセスネットワークデバイス２０４は、端末デバイス２０２と相互作用して、ＲＲＣ接続再構成を実行する。
【０１２９】
このように、ＵＰＦ３はＮ３  ＵＰＦである。ＵＰＦ１は、バッファリングされた第２ダウンリンクデータおよび受信された新しい第３ダウンリンクデータを、ＵＰＦ３を介してアクセスネットワークデバイス２０４に送信する。図４に示すように、時点Ｔ３で、第１セッションの第２ダウンリンクデータおよび第３ダウンリンクデータを伝送するために使用されるデータ経路は、ＵＰＦ１→ＵＰＦ３→アクセスネットワークデバイス（図示せず）→端末デバイス２０２である。従って、第２ダウンリンクデータを伝送するためのデータ経路と第３ダウンリンクデータを伝送するためのデータ経路とが同じであることから、端末により受信されたダウンリンクデータガ順不同であるという問題が回避され、ユーザ体験が向上する。加えて、バッファリングされたダウンリンクデータが、更なる転送トンネルを確立することも確立された転送トンネルを解放することもなく取得され得ることから、ＵＰＦエンティティ間のシグナリング相互作用が減少する。従って、遅延が減少し、ユーザ体験が更に向上する。
【０１３０】
トリガ条件が満たされているとき、第１セッションは、非アクティブ状態に切り替えられるよう再びトリガされ得る。プロセスについては、図３Ａ−２の段階３１１から３１６における説明を参照されたい。詳細についてはここで改めて説明しない。同様に、このプロセスでは、アクセスネットワークデバイス２０４とＡＭＦエンティティ２０６との間のＮ２接続が解放され、アクセスネットワークデバイス２０４とＵＰＦ３との間のＮ３接続が解放される（または、ＵＰＦ３が直接解放される）。
【０１３１】
端末が移動プロセスにおいてソースＳＭＦエンティティ２０８のサービスエリアから出る場合は、ＳＭＦエンティティ再割当（再配置）を実行する必要がある。例えば、上述のＵＰＦ１およびＵＰＦ２はＳＭＦエンティティ２０８に接続されるが、上述のＵＰＦ３はＳＭＦエンティティ２０８'に接続される。
【０１３２】
図５Ａに示すように、段階５０１から５０５ｂについては、図３Ｂの段階４０１から４０５ｂにおける説明を参照されたい。詳細についてはここで改めて説明しない。
【０１３３】
段階５０６：ＳＭＦエンティティ２０８は、ＳＭＦエンティティ２０８'にＮ１６メッセージを送信する。
【０１３４】
段階５０７：Ｎ１６メッセージを受信した後、ＳＭＦエンティティ２０８'は、ＵＰＦ３を選択し、ＵＰＦ３と相互作用して、ＰＤＵセッションを確立する。
【０１３５】
段階５０８：ＳＭＦエンティティ２０８'は、ＳＭＦエンティティ２０８にＮ１６メッセージを返信する。
【０１３６】
段階５０９から５１３については、図３Ｂの段階４０７から４１１における説明を参照されたい。詳細についてはここで改めて説明しない。
【０１３７】
同様に、トリガ条件が満たされているとき、第１セッションが、非アクティブ状態に切り替えられるよう再びトリガされ得る。プロセスについては、図３Ａ−２の段階３１１から３１６における説明を参照されたい。詳細についてはここで改めて説明しない。このプロセスでは、アクセスネットワークデバイス２０４とＡＭＦエンティティ２０６との間のＮ２接続が解放される。加えて、ＳＭＦがＳＭＦエンティティ２０８'に再配置された後、段階３１２におけるＮ１１メッセージの受信端は、ＳＭＦエンティティ２０８'である（または、Ｎ１１メッセージは、ＳＭＦエンティティ２０８を介してＳＭＦエンティティ２０８'に転送される）。ＳＭＦエンティティ２０８'は、ＵＰＦ３と相互作用して、ＵＰＦ３またはアクセスネットワークデバイス２０４とＵＰＦ３との間のＮ３接続を解放する。
【０１３８】
加えて、複数のＳＭＦエンティティに関わるセッションについては、端末デバイス２０２に最近サービス提供しているＳＭＦにより管理されるＮ３  ＵＰＦがバッファデバイスとして設定（または更新）されてよく、または、端末デバイス２０２に最近サービス提供しているＳＭＦにより管理されるＮ３  ＵＰＦは削除されない。
【０１３９】
加えて、本発明における上述の方法は更に、ローミングシナリオにおいて使用され得る。例えば、ローミングシナリオは、ローカルブレークアウト（ｌｏｃａｌ  ｂｒｅａｋｏｕｔ、ＬＢＯ）シナリオまたはホームルーティングされた（ｈｏｍｅ  ｒｏｕｔｅｄ、ＨＲ）シナリオを含む。
【０１４０】
ＬＢＯローミングシナリオについては、図３Ａ−１および図３Ａ−２、図３Ｂ並びに図４を参照して説明する。
【０１４１】
例えば、最初の時点で、端末デバイス２０２が、ＨＰＬＭＮ内のＵＰＦ０（図示せず）を使用してサービスデータを取得する。時点Ｔ１で、端末デバイス２０２は、ＨＰＬＭＮから訪問先ＰＬＭＮ（ｖｉｓｉｔ  ＰＬＭＮ、ＶＰＬＭＮ）にローミングし、端末デバイスは、ＶＰＬＭＮ内のＵＰＦ１との第１セッションを確立し、ＵＰＦ１を使用してサービスデータを伝送する。ＵＰＦ１は、ＶＰＬＭＮ内の第１セッションのアンカである。
【０１４２】
次に、端末デバイス２０２がＵＰＦ１のサービスエリアからＶＰＬＭＮ内のＵＰＦ２のサービスエリアに移動した後、端末デバイスは、図３Ａ−１の段階３０１から３１０を使用して（例えば、時点Ｔ２で）ＵＰＦ２との第１セッションを確立し得る。なお、この時点でのＳＭＦエンティティ２０８が、ＶＰＬＭＮに配置されるＳＭＦエンティティである。第１セッションが非アクティブ状態に切り替えられる手順において、例えば、図３Ａ−２の段階３１１から３１６を使用して、予め設定された条件に基づいてＵＰＦ１が選択された後、または、予め設定された条件に基づいてＵＰＦ２が削除された後、アンカＵＰＦ１は、第１セッションのダウンリンクデータをバッファリングするよう通知される。次に、図３Ｂの段階４０１から４１１が実行され得ることから、アンカＵＰＦ１は、ダウンリンクデータをバッファリングし、端末デバイス２０２は、（例えば、時点Ｔ３で）ＵＰＦ３との第１セッションを確立するようトリガされる。
【０１４３】
第１セッションが再び非アクティブ状態に切り替えられる手順（詳細については、図３Ａ−２の段階３１１から３１６における説明を参照されたい）では、同様に、アクセスネットワークデバイス２０４とＡＭＦエンティティ２０６との間のＮ２接続が解放され、アクセスネットワークデバイス２０４とＵＰＦ３との間のＮ３接続が解放される。
【０１４４】
加えて、図３Ａ−２の段階３１３と同様に、第１セッションが非アクティブ状態に切り替えられた後にダウンリンクデータをバッファリングするためのバッファデバイスが更に、予め設定された条件に基づいて再び選択され得る。上述の予め設定された条件が満たされている場合は、ＳＭＦエンティティは依然として、アンカＵＰＦ１をバッファデバイスとして選択し、段階３１５を使用して、データをバッファリングするようアンカＵＰＦ１に通知し得る。詳細についてはここで改めて説明しない。予め設定された条件が満たされない場合は、ＳＭＦエンティティは、ＵＰＦ３をバッファデバイスとして選択し、段階３１４と同様の段階を使用して、データをバッファリングするようＵＰＦ３に通知し得る。本明細書において、ＳＭＦエンティティは、予め設定された条件に基づいて、ＵＰＦ２を削除するか、バッファデバイスを決定するかを再び選択し得る。代わりに、ＳＭＦエンティティは、（例えば、ＵＰＦ３がダウンリンクデータをバッファリングする能力を有さないときに）ＶＰＬＭＮ内のＳＭＦエンティティをバッファデバイスとして選択し得る。
【０１４５】
上術の説明からは、図３Ａ−１および図３Ａ−２並びに図３Ｂの方法がＬＢＯローミングシナリオにも適用可能であることが認識され得る。
【０１４６】
ＨＲローミングシナリオについては、図６Ａから図６Ｃを参照して説明する。図６Ａから図６Ｃは、ＨＲローミングシナリオにおける上述の方法のシグナリング相互作用を示している。図６Ａから図６Ｃの例において、この場合は、Ｈ−ＵＰＦ１およびｈＳＭＦがＨＰＬＭＮに配置されることを示すべく、ＨＰＬＭＮに配置されるＵＰＦ１およびＳＭＦエンティティがＨ−ＵＰＦ１およびｈＳＭＦとそれぞれ称され得る。この場合は、Ｖ−ＵＰＦ２、Ｖ−ＵＰＦ３およびｖＳＭＦがＶＰＬＭＮに配置されることを示すべく、ＶＰＬＭＮに配置されるＵＰＦ２、ＵＰＦ３およびＳＭＦエンティティがＶ−ＵＰＦ２、Ｖ−ＵＰＦ３およびｖＳＭＦとそれぞれ称され得る。
【０１４７】
図６Ａから図６Ｃに示す段階が実行される前、端末デバイス２０２が依然として非ローミング状態にある。端末デバイス２０２は、Ｈ−ＵＰＦ１との第１セッションを確立し、Ｈ−ＵＰＦ１にサービスデータを伝送するか、Ｈ−ＵＰＦ１からサービスデータを受信する。第１セッションはＳＳＣ１モードを有し、Ｈ−ＵＰＦ１は第１セッションのアンカである。
【０１４８】
図６Ａに示すように、端末デバイス２０２がＶＰＬＭＮにローミングした後、段階６０１において、端末デバイス２０２は、アクセスネットワークデバイス２０４を介してＡＭＦエンティティ２０６にセッション確立要求メッセージを送信する。
【０１４９】
段階６０２：ＡＭＦエンティティ２０６は、ｖＳＭＦにＮ１１メッセージを送信する。ここで、Ｎ１１メッセージは、ＰＤＵセッション（第１セッション）を確立するために使用され得る。
【０１５０】
段階６０３：ｖＳＭＦは、Ｖ−ＵＰＦ２を選択し、Ｖ−ＵＰＦ２とＮ４メッセージを交換して、ＰＤＵセッション（第１セッション）を確立する。例えば、ｖＳＭＦは、Ｖ−ＵＰＦ２にＮ４セッション確立要求メッセージを送信し、Ｖ−ＵＰＦ２は、ｖＳＭＦにＮ４セッション確立応答メッセージを返信する。
【０１５１】
段階６０４：ｖＳＭＦは、ｈＳＭＦにＮ１６メッセージを送信して、第１セッションを確立する。
【０１５２】
段階６０５：ｈＳＭＦは、Ｈ−ＵＰＦ１とＮ４メッセージを交換する。
【０１５３】
考えられるある実装では、ＨＰＬＭＮとＶＰＬＭＮとの間のローミングがサポートされ得ることから、通常はセッションを切り替えることができる。この場合は、ソースＨ−ＵＰＦ１は依然として、アンカとして使用されてよく、Ｖ−ＵＰＦ２は、ＰＤＵセッション修正を通じてＨ−ＵＰＦ１の第１セッションのデータ経路に追加されてよい。
【０１５４】
考えられる別の実装では、通常はセッションを切り替えることができず、ＨＰＬＭＮにおいて新しいアンカＵＰＦ１'を選択する必要がある。この場合は、Ｖ−ＵＰＦ２をＮ３  ＵＰＦとして、かつ、ＵＰＦ１'をアンカとして使用する、第１セッションのデータ経路がＰＤＵセッション確立を通じて形成され得る。
【０１５５】
段階６０６：ｈＳＭＦは、ｖＳＭＦにＮ１６メッセージを送信する。
【０１５６】
段階６０７：ｖＳＭＦは、ＡＭＦエンティティ２０６にＮ１１メッセージを返信する。Ｎ１１メッセージは、ＰＤＵセッション確立受容メッセージである。
【０１５７】
段階６０８：ＡＭＦエンティティ２０６は、アクセスネットワークデバイス２０４にＮ２メッセージを送信して、段階６０７におけるＰＤＵセッション確立受容メッセージをアクセスネットワークデバイス２０４に転送する。
【０１５８】
段階６０９：Ｎ２メッセージを受信した後、アクセスネットワークデバイス２０４はＤＲＢを確立する。
【０１５９】
段階６１０：アクセスネットワークデバイス２０４は、ＡＭＦエンティティにＮ２メッセージを返信する。Ｎ２メッセージは、ＰＤＵセッション確立受容メッセージである。
【０１６０】
段階６１１：ＡＭＦエンティティ２０６は、ｖＳＭＦにＮ１１メッセージを送信して、段階６１０におけるＰＤＵセッション確立受容メッセージをｖＳＭＦに転送する。
【０１６１】
段階６１２：ｖＳＭＦは、Ｖ−ＵＰＦ２とＮ４メッセージを交換して、ＰＤＵセッション修正を通じてＶ−ＵＰＦ２にアクセスネットワーク側のトンネル情報を転送する。
【０１６２】
段階６１３：ｖＳＭＦは、段階６１１におけるＮ１１メッセージへの応答として、ＡＭＦエンティティ２０６にＮ１１メッセージを返信する。
【０１６３】
上述の段階については、図３Ａ−１の段階３０１から３１０を参照されたい。ｖＳＭＦは、Ｖ−ＵＰＦ２およびＶ−ＵＰＦ３がｖＳＭＦにより制御されるので、Ｖ−ＵＰＦ２およびＶ−ＵＰＦ３と関連付けられる段階を直接実行し得ることが理解され得る。しかしながら、Ｈ−ＵＰＦ１がｈＳＭＦにより制御されるので、Ｈ−ＵＰＦ１に関連するメッセージをｈＳＭＦとｖＳＭＦとの間で転送する必要がある。
【０１６４】
段階６１４：トリガ条件が満たされているとき、第１セッションは、非アクティブ状態に切り替えられるようトリガされる。この場合は、端末デバイス２０２は、アクセスネットワークデバイス２０４にトリガメッセージを送信する。トリガメッセージを受信した後、アクセスネットワークデバイス２０４は、ＡＭＦエンティティ２０６にＮ２メッセージを送信して、アクセスネットワークデバイス２０４とＡＭＦエンティティ２０６との間のＮ２接続を解放する。
【０１６５】
段階６１５：ＡＭＦエンティティ２０６は、ｖＳＭＦにＮ１１メッセージを送信して、アクセスネットワークデバイス２０４とＶ−ＵＰＦ２との間のＮ３接続を解放するよう要求する。
【０１６６】
段階６１６：ｖＳＭＦは、予め設定された条件に基づいて、第１セッションの第２ダウンリンクデータをバッファリングするようＶ−ＵＰＦ２に通知する。ここで、予め設定された条件は、第１セッションがＳＳＣ１モードを有することをＳＳＣ情報が示すことを含む。
【０１６７】
例えば、ｖＳＭＦは、Ｖ−ＵＰＦ２とＮ４メッセージを交換して、アクセスネットワークデバイス２０４とＶ−ＵＰＦ２との間のＮ３接続を解放するよう要求する。オプションとして、ｖＳＭＦは、Ｎ３接続の解放を要求するためのＮ４メッセージを使用して、第１セッションの第２ダウンリンクデータをバッファリングするようＶ−ＵＰＦ２に通知し得る。つまり、段階６１６におけるＮ４メッセージは、２つの機能、すなわち、（１）アクセスネットワークデバイス２０４とＶ−ＵＰＦ２との間のＮ３接続を解放するよう要求する機能、および（２）第１セッションの第２ダウンリンクデータをバッファリングするようＶ−ＵＰＦ２に通知する機能を有する。
【０１６８】
段階６１７：ｖＳＭＦは、ＡＭＦエンティティ２０６にＮ１１メッセージを返信して、アクセスネットワークデバイス２０４とＶ−ＵＰＦ２との間のＮ３接続の解放を確認し、Ｎ１１メッセージを受信した後、ＡＭＦエンティティ２０６は、第１セッションが非アクティブ状態に切り替えられることを記録する。
【０１６９】
従って、第２ダウンリンクデータを受信した後、Ｈ−ＵＰＦ１（またはＵＰＦ１'）は、Ｖ−ＵＰＦ２に第２ダウンリンクデータを転送する。段階６１８において、Ｖ−ＵＰＦ２は、第２ダウンリンクデータをバッファリングする。
【０１７０】
次に、段階６１９ａから６３１を使用して、端末デバイス２０２とＶ−ＵＰＦ３との間における第１セッションの確立がトリガされ得る。段階６１９ａから６３１については、図３Ｂの段階４０２ａから４１１における説明を参照されたい。違いは、第２ダウンリンクデータがＶ−ＵＰＦ２においてバッファリングされるので、Ｖ−ＵＰＦ２を制御するｖＳＭＦに対してＶ−ＵＰＦ２によりデータ通知メッセージが送信されること、図３ＢにおけるＳＭＦエンティティ２０８の動作がｖＳＭＦにより実行され得ること、および、ｖＳＭＦとｈＳＭＦとの間の転送を通じて、ｈＳＭＦにより制御されるＵＰＦ１の動作を実装する必要があることである。
【０１７１】
第１セッションが再び非アクティブ状態に切り替えられる手順（詳細については段階６１４から６１７における説明を参照されたい）では、段階６３２において、ｖＳＭＦは更に、第１セッションが非アクティブ状態に切り替えられた後にダウンリンクデータをバッファリングするようバッファデバイスを更新し得る。例えば、端末デバイス２０２が長時間にわたってＶＰＬＭＮに滞在する（例えば、端末デバイス２０２がＶＰＬＭＮに滞在する時間が第３閾値より大きい）ことをモビリティ統計情報が示す場合は、ｖＳＭＦは、ＵＰＦ３をバッファデバイスとして更新し、データをバッファリングするようＵＰＦ３に通知し得る。代わりに、ｖＳＭＦは、（例えば、ＵＰＦ３がダウンリンクデータをバッファリングする能力を有さないときに）ｖＳＭＦをバッファデバイスとして更新し得る。
【０１７２】
すなわち、ＨＲローミングシナリオにおいて、ｖＳＭＦは、Ｎ３  ＵＰＦをバッファデバイスとして選択する。
【０１７３】
加えて、上述の段階に基づいて、ローミング（ＬＢＯまたはＨＲ）シナリオにおける端末デバイス２０２のセッションが、非アクティブ状態に切り替えられるよう再びトリガされるときは、ＨＰＬＭＮ内のアンカとの頻繁な相互作用を回避するようバッファデバイスが更新され得ることにより、ユーザ体験が更に向上する。
【０１７４】
図７は、本発明のある実施形態に係るデータバッファリング方法を示している。方法は、セッション管理機能エンティティ（例えば、上述のＳＭＦエンティティ２０８またはＬＢＯローミングシナリオにおけるｖＳＭＦ）により実行され得る。図７については、図２から図６Ｃを参照して説明する。例えば、方法は以下の段階を含む。
【０１７５】
段階７０２：セッション管理機能エンティティが第２ユーザプレーン機能エンティティ（ＵＰＦ２など）および第１ユーザプレーン機能エンティティ（ＵＰＦ１など）それぞれと相互作用することで、第１ユーザプレーン機能エンティティは、第２ユーザプレーン機能エンティティを介してアクセスネットワークデバイス（アクセスネットワークデバイス２０４など）に第１セッションの第１ダウンリンクデータを送信する。ここで、第１ユーザプレーン機能エンティティは、第１セッションのアンカである。
【０１７６】
例えば、段階７０２は、図３Ａ−１の段階３０３および３０９ｂを使用して実装され得る。
【０１７７】
段階７０４：セッション管理機能エンティティは、予め設定された条件に基づいて、第１セッションの第２ダウンリンクデータをバッファリングするよう第１ユーザプレーン機能エンティティに通知する。ここで、予め設定された条件は、第１セッションが第１セッション・サービス連続性ＳＳＣ１モードを有することをＳＳＣ情報が示すこと、および、第２ダウンリンクデータが、第１セッションが非アクティブ状態に切り替えられた後に第１ユーザプレーン機能エンティティにより受信されるダウンリンクデータであることを含む。
【０１７８】
例えば、段階７０４は、図３Ａ−２の段階３１５を使用して実装され得る。
【０１７９】
上述のデータバッファリング解決策に基づいて、セッション管理機能エンティティは、予め設定された条件に基づいて、第２ダウンリンクデータをバッファリングするようアンカユーザプレーン機能エンティティに通知する。このように、第１セッションがアクティブ状態に切り替えられた後、アンカユーザプレーン機能エンティティによりバッファリングされた第２ダウンリンクデータの伝送経路と、第１セッションが再びアクティブ状態に切り替えられた後に受信されることになっている、入ってくる第３ダウンリンクデータの伝送経路とは同じである。従って、端末により受信されたダウンリンクデータが順不同であるという問題が回避され、ユーザ体験が向上する。加えて、バッファリングされたダウンリンクデータが、更なる転送トンネルを確立することも確立された転送トンネルを解放することもなく取得され得ることから、ＵＰＦエンティティ間のシグナリング相互作用が減少する。従って、遅延が減少し、ユーザ体験が更に向上する。
【０１８０】
オプションとして、予め設定された条件は、第１セッションが第１セッション・サービス連続性ＳＳＣ１モードを有することをＳＳＣ情報が示すこと、端末デバイスが高モビリティデバイスであることをモビリティ情報が示すこと、または、セッション管理機能エンティティおよび第１ユーザプレーン機能エンティティが同じオペレータネットワークに属することのうちの少なくとも１つを含む。第１セッションがＳＳＣ１モードを有することは、ＰＤＵセッションが最初に確立されるときにＰＤＵセッションアンカとして使用されるＵＰＦが変わらないままであることを示す。つまり、端末デバイスの移動プロセスにおいて、ＳＳＣ１モードを有する第１セッションのアンカＵＰＦエンティティは変わらないままである。セッション管理機能エンティティおよび第１ユーザプレーン機能エンティティが同じオペレータネットワークに属することは、非ローミングシナリオまたはローカルブレークアウトＬＢＯローミングシナリオを含み得る。代わりに、バッファデバイスの選択中に端末デバイスのモビリティを更に考慮する必要がある。
【０１８１】
オプションとして、方法は更に、セッション管理機能エンティティが第３ユーザプレーン機能エンティティ（ＵＰＦ３など）および第１ユーザプレーン機能エンティティそれぞれと相互作用することで、第１ユーザプレーン機能エンティティが第３ユーザプレーン機能エンティティを介してアクセスネットワークデバイス（アクセスネットワークデバイス２０４または別のアクセスネットワークデバイスであってよい）に第２ダウンリンクデータおよび第３ダウンリンクデータを送信する段階を含む。第３ダウンリンクデータは、第１セッションがアクティブ状態に切り替えられた後に第１ユーザプレーン機能エンティティにより受信されるダウンリンクデータである（例えば、詳細については、図３Ｂの段階４０６および４０７を参照されたい）。
【０１８２】
オプションとして、段階７０４は、セッション管理機能エンティティが、予め設定された条件に基づいて、第２ダウンリンクデータをバッファリングするためのユーザプレーン機能エンティティとして第１ユーザプレーン機能エンティティを選択する段階と、セッション管理機能エンティティが、第２ダウンリンクデータを受信した後に第２ダウンリンクデータをバッファリングするよう第１ユーザプレーン機能エンティティに通知する段階とを含む（例えば、詳細については、図３Ａ−２の段階３１３から３１５を参照されたい）。
【０１８３】
オプションとして、方法は更に、セッション管理機能エンティティが端末デバイスのモビリティ情報を取得する段階を含む。例えば、セッション管理機能エンティティは、端末デバイスのモビリティ情報を以下の方式、すなわち、セッション管理機能エンティティがモビリティ管理機能エンティティ（ＡＭＦエンティティ２０６など）からモビリティ属性を受信する方式であって、モビリティ情報は、モビリティ属性である、方式、または、セッション管理機能エンティティがモビリティ統計情報を取得する方式であって、モビリティ情報は、モビリティ統計情報である、方式、または、セッション管理機能エンティティがモビリティ管理機能エンティティからモビリティ属性を受信し、モビリティ統計情報を取得し、かつ、当該モビリティ属性および当該モビリティ統計情報に基づいてモビリティ情報を決定する方式で取得し得る。モビリティ属性は、少なくとも１つの高モビリティ属性または低モビリティ属性を含み、モビリティ統計情報は、端末デバイスの移動速度または滞在時間を示すために使用される（例えば、詳細については、図３Ａ−１の段階３０２、３０２ａおよび３０２ｂを参照されたい）。
【０１８４】
例えば、セッション管理機能エンティティがモビリティ統計情報を取得することは、セッション管理機能エンティティがモビリティ管理機能エンティティからモビリティ統計情報を受信する段階、または、セッション管理機能エンティティがネットワークデータ分析ＮＷＤＡデバイス（ＮＷＤＡデバイス２１４など）からモビリティ統計情報を取得する段階を含む。
【０１８５】
オプションとして、方法は更に、セッション管理機能エンティティが、第２ダウンリンクデータをバッファリングするためのユーザプレーン機能エンティティとして第１ユーザプレーン機能エンティティを選択した後、セッション管理機能エンティティが第２ユーザプレーン機能エンティティを解放する段階を含む（例えば、詳細については、図３Ａ−２の段階３１４を参照されたい）。従って、アンカユーザプレーン機能エンティティがバッファデバイスとして選択されるとき、第２ユーザプレーン機能エンティティが直接解放され得ることから、ネットワークリソースが保存される。
【０１８６】
オプションとして、段階７０２および７０４は、セッション管理機能エンティティが第２ユーザプレーン機能エンティティおよび第１ユーザプレーン機能エンティティそれぞれと相互作用することで、第１ユーザプレーン機能エンティティが第２ユーザプレーン機能エンティティを介して第１セッションの第１ダウンリンクデータを送信する段階と、第１セッションが非アクティブ状態に入るとき、セッション管理機能エンティティが第２ユーザプレーン機能エンティティを解放する（例えば、セッション管理機能エンティティがまず、第２ユーザプレーン機能エンティティの解放を決定する）段階とに置き換えられ得る。第２ユーザプレーン機能エンティティは、アクセスネットワークデバイスに接続されている、第１セッションのユーザプレーン機能エンティティである。第１ユーザプレーン機能エンティティは、アンカＵＰＦであってもよいし、第２ユーザプレーン機能エンティティとアンカＵＰＦとの間にあるＵＰＦであってもよい。
【０１８７】
オプションとして、セッション管理機能エンティティは、第１セッションの第２ダウンリンクデータをバッファリングするよう第１ユーザプレーン機能エンティティに通知する。代わりに、セッション管理機能ネットワーク要素が、第１ユーザプレーン機能ネットワーク要素と第２ユーザプレーン機能ネットワーク要素との間の接続を解放するよう第１ユーザプレーン機能ネットワーク要素に通知することで、第１ユーザプレーン機能エンティティは「自動的に」、第１セッションが非アクティブ状態に切り替えられた後に第２ダウンリンクデータをバッファリングするためのバッファデバイスになる。
【０１８８】
上述の解決策に基づいて、セッション管理機能エンティティが第２ユーザプレーン機能エンティティを削除した後、第１ユーザプレーン機能エンティティは、アクセスネットワークデバイスに接続されている新しいユーザプレーン機能エンティティになり、第２ダウンリンクデータをバッファリングする。このように、第１セッションがアクティブ状態に切り替えられた後、第１ユーザプレーン機能エンティティによりバッファリングされた第２ダウンリンクデータの伝送経路と、第１セッションが再びアクティブ状態に切り替えられた後に受信されることになっている、入ってくる第３ダウンリンクデータの伝送経路とは同じである。従って、端末により受信されたダウンリンクデータが順不同であるという問題が回避される。加えて、バッファリングされたダウンリンクデータが、更なる転送トンネルを確立することも確立された転送トンネルを解放することもなく取得され得ることから、ＵＰＦエンティティ間のシグナリング相互作用が減少する。従って、遅延が減少し、ユーザ体験が向上する。
【０１８９】
例えば、セッション管理機能エンティティはまず、セッション・サービス連続性情報、モビリティ情報およびポリシ情報のうちの少なくとも１つに基づいて、第２ユーザプレーン機能エンティティの解放を決定する。例えば、以下の条件の何れか１つが満たされているとき、セッション管理機能エンティティは、第２ユーザプレーン機能エンティティの解放を決定する。
第１セッションが第１セッション・サービス連続性モードを有することをセッション・サービス連続性情報が示すこと。
端末デバイスが高モビリティデバイスであることをモビリティ情報が示すこと。
第２ユーザプレーン機能エンティティの解放をポリシ情報が示すこと。または、
セッション管理機能エンティティおよび第１ユーザプレーン機能エンティティが（非ローミングシナリオまたはローカルブレークアウトＬＢＯローミングシナリオに適用可能である）同じオペレータネットワークに属すること。
【０１９０】
オプションとして、上述の方法は、ホームルーティングされたＨＲローミングシナリオに適用可能である。セッション管理機能エンティティ（ｖＳＭＦなど）および第３ユーザプレーン機能エンティティは、ＨＲローミングシナリオにおいてＶＰＬＭＮに配置される。方法は更に、セッション管理機能エンティティがバッファデバイスを調整する段階であって、バッファデバイスは、第１セッションが非アクティブ状態に切り替えられた後に第１セッションの第４ダウンリンクデータをバッファリングするために使用される、段階を含む（例えば、詳細については、図６Ｃの段階６３２を参照されたい）。
【０１９１】
例えば、セッション管理機能エンティティがバッファデバイスを調整することは、セッション管理機能エンティティが第３ユーザプレーン機能エンティティをバッファデバイスとして決定する段階、または、セッション管理機能エンティティがセッション管理機能エンティティをバッファデバイスとして決定する段階を含む。従って、バッファデバイスが更新された後、ＨＰＬＭＮ内のアンカユーザプレーン機能エンティティとの頻繁な相互作用が回避され得ることにより、ユーザ体験が更に向上する。
【０１９２】
以下では、図８Ａ−１から図８Ａ−３および図８Ｂを参照して、本願の別の実施形態におけるデータバッファリング方法について説明する。図８Ａ−１から図８Ａ−３は、当該方法のシグナリング相互作用を示している。図８Ｂは、端末デバイス２０２の移動プロセスにおけるデータ経路変更を示している。方法は、ＳＳＣ３モードを有するＰＤＵセッションに適用可能である。ＳＳＣ３モードでは複数のアンカＵＰＦが同時に存在し得る。このシナリオでは、複数の「セッション」（多数のＰＤＵセッションなど）、または、あるセッションの複数の「セッションブランチ」が存在し得る。以下では、複数の「セッション」を例に挙げて説明する。
【０１９３】
図８Ａ−１から図８Ａ−３に示す段階が実行される前（例えば、図８Ｂの時点Ｔ１で）、端末デバイスは、ＵＰＦ１との第１セッションを確立し、ＵＰＦ１にサービスデータを伝送するか、ＵＰＦ１からサービスデータを受信する。第１セッションはＳＳＣ３モードを有し、ＵＰＦ１は第１セッションの最初のアンカである。
【０１９４】
図８Ａ−１において、段階８０１から８１０については、図３Ａ−１の段階３０１から３１０における説明を参照されたい。詳細についてはここで改めて説明しない。
【０１９５】
なお、第１セッションがＳＳＣ３モードを有するので、段階８０３におけるＮ４メッセージは、２つの機能、すなわち、（１）第１セッションを確立する、すなわち、上述のアンカＵＰＦ１の第１セッションのデータ経路にＵＰＦ２をＮ３  ＵＰＦとして追加する機能、および（２）ＵＰＦ２をアンカとして使用することにより新しい第２セッションを確立する機能を有する。
【０１９６】
上述の段階に基づいて、ＵＰＦ１はＵＰＦ２を介してアクセスネットワークデバイス２０４に第１セッションの第１ダウンリンクデータを送信する。図８Ｂに示すように、時点Ｔ２で、第１セッションのデータ経路は、ＵＰＦ１→ＵＰＦ２→アクセスネットワークデバイス（図示せず）→端末デバイス２０２である。
【０１９７】
加えて、ＵＰＦ２をアンカとして使用することにより確立された第２セッションのデータ経路（図示せず）は、ＵＰＦ２→アクセスネットワークデバイス→端末デバイス２０２である。
【０１９８】
段階８１１：トリガ条件が満たされているとき、第１セッションは、非アクティブ状態に切り替えられるようトリガされる。この場合は、端末デバイス２０２は、アクセスネットワークデバイス２０４にトリガメッセージを送信する。トリガメッセージを受信した後、アクセスネットワークデバイス２０４は、ＡＭＦエンティティ２０６にＮ２メッセージを送信して、アクセスネットワークデバイス２０４とＡＭＦエンティティ２０６との間における第１セッションのＮ２接続を解放する。
【０１９９】
段階８１２：ＡＭＦエンティティ２０６は、ＳＭＦエンティティ２０８にＮ１１メッセージを送信して、アクセスネットワークデバイス２０４とＵＰＦ２との間における第１セッションのＮ３接続を解放するよう要求する。
【０２００】
段階８１３：ＳＭＦエンティティ２０８は、予め設定された条件に基づいてＵＰＦ２を選択するか、予め設定された条件に基づいて、ＵＰＦ２を削除しないことを決定し、第１セッションの第２ダウンリンクデータをバッファリングするようＵＰＦ２に通知する。ここで、予め設定された条件は、第１セッションがＳＳＣ３モードを有することをＳＳＣ情報が示すことを含む。
【０２０１】
例えば、ＳＭＦエンティティ２０８は、ＵＰＦ２とＮ４メッセージを交換して、アクセスネットワークデバイス２０４とＵＰＦ２との間における第１セッションのＮ３接続を解放するよう要求する。オプションとして、ＳＭＦエンティティ２０８は、Ｎ３接続の解放を要求するためのＮ４メッセージを使用して、第１セッションの第２ダウンリンクデータをバッファリングするようＵＰＦ２に通知し得る。つまり、段階８１３におけるＮ４メッセージは、２つの機能、すなわち、（１）アクセスネットワークデバイス２０４とＵＰＦ２との間における第１セッションのＮ３接続を解放するよう要求する機能、および（２）第１セッションの第２ダウンリンクデータをバッファリングするようＵＰＦ２に通知する機能を有する。
【０２０２】
段階８１４：ＳＭＦエンティティ２０８は、ＡＭＦエンティティ２０６にＮ１１メッセージを返信して、アクセスネットワークデバイス２０４とＵＰＦ２との間における第１セッションのＮ３接続の解放を確認し、Ｎ１１メッセージを受信した後、ＡＭＦエンティティ２０６は、第１セッションが非アクティブ状態に切り替えられることを記録する。
【０２０３】
同様に、トリガ条件が満たされているとき、第２セッションは、非アクティブ状態に切り替えられるようトリガされ得る。端末デバイス２０２の全てのセッションが非アクティブ状態に切り替えられる場合は、それに応じて端末デバイス２０２がアイドル（ＣＭ−ＩＤＬＥ）状態に切り替えられる。
【０２０４】
考えられるある実装において、第１セッションおよび第２セッションは、１つの手順を使用して非アクティブ状態に切り替えられ得る。
【０２０５】
考えられる別の実装において、第２セッションは、第１セッションの手順から独立した手順を使用して非アクティブ状態に切り替えられ得る。第２セッションについてダウンリンクデータをバッファリングするために使用されるバッファデバイスが、第１セッションのバッファデバイスと同じものまたは異なるものとして選択され得る。例えば、最初のアンカＵＰＦ１（詳細については、図３Ａ−１から図７の説明を参照されたい）または現在のＮ３  ＵＰＦ（すなわち、ＵＰＦ２）は、第２セッションに関するバッファデバイスとして選択され得る。本発明において制限が課されることはない。ＳＳＣ３モードでは、複数の「セッション」、または、あるセッションの複数の「セッションブランチ」が存在し得る。ＳＭＦエンティティ２０８は、複数のセッション、または、あるセッションの複数のセッションブランチについてそれぞれ異なるバッファデバイスを選択し、Ｎ４メッセージを使用して、受信されるダウンリンクデータをバッファリングするようそれぞれのバッファデバイスに通知し得る。
【０２０６】
以下では依然として、第１セッション（セッションブランチ）を例に取って説明する。
【０２０７】
第１セッションが非アクティブ状態にあるとき、データネットワーク２１２からの第１セッションの第２ダウンリンクデータは、ＵＰＦ２に到着する。
【０２０８】
段階８１５：ＵＰＦ２は、第２ダウンリンクデータをバッファリングする。
【０２０９】
段階８１６ａ：第２ダウンリンクデータを受信した後、ＵＰＦ２は、ＳＭＦエンティティ２０８にデータ通知メッセージを送信する。
【０２１０】
本発明において、段階８１５および段階８１６ａの実行順序は限定されない。段階８１６ａが段階８１５の後に実行されてもよいし、段階８１５が段階８１６ａの後に実行されてもよく、または、段階８１５および段階８１６ａが同時に実行される。
【０２１１】
オプションとして、段階８１６ｂにおいて、ＳＭＦエンティティ２０８は、ＵＰＦ２にデータ通知確認メッセージを返信する。
【０２１２】
段階８１７から８１９ｂについては、図３Ｂの段階４０３から４０５ｂにおける説明を参照されたい。詳細についてはここで改めて説明しない。
【０２１３】
段階８２０：ＳＭＦエンティティ２０８は、ＵＰＦ３とＮ４メッセージを交換して、ＰＤＵセッションを確立する。本明細書において、Ｎ４メッセージを交換する目的は、第１セッションおよび第２セッションを確立し、ＵＰＦ３をアンカＵＰＦとして使用して新しい第３セッションを確立することにある。
【０２１４】
段階８２１：ＳＭＦエンティティ２０８は、ＵＰＦ２とＮ４メッセージを交換して、ＰＤＵセッションを修正する。例えば、ＳＭＦエンティティ２０８がＵＰＦ２とＮ４メッセージを交換して、既存のセッション（例えば、第１セッションおよび第２セッション）のデータ経路にＵＰＦ３をＮ３  ＵＰＦとして追加することで、ＵＰＦ２はＵＰＦ３に接続される。
【０２１５】
すなわち、段階８２０および８２１に基づいて、受信されることになっている、第１セッションの入ってくる第３ダウンリンクデータのデータ経路は、ＵＰＦ１→ＵＰＦ２→ＵＰＦ３→アクセスネットワークデバイス→端末デバイス２０２に変更され、受信されることになっている、第２セッションの入ってくるダウンリンクデータのデータ経路は、ＵＰＦ２→ＵＰＦ３→アクセスネットワークデバイス→端末デバイス２０２に変更され、新たに確立される第３セッションのダウンリンクデータのデータ経路は、ＵＰＦ３→アクセスネットワークデバイス→端末デバイス２０２である。
【０２１６】
加えて、バッファリングされた第１セッションの第２ダウンリンクデータのデータ経路は、ＵＰＦ２→ＵＰＦ３→アクセスネットワークデバイス→端末デバイス２０２である。
【０２１７】
段階８２２から８２４については、図３Ｂの段階４０９から４１１における説明を参照されたい。詳細についてはここで改めて説明しない。
【０２１８】
このように、第１セッションについては、ＵＰＦ３がＮ３  ＵＰＦである。ＵＰＦ２は、バッファリングされた第２ダウンリンクデータを、ＵＰＦ３を介して端末デバイス２０２に送信し、ＵＰＦ１は、第１セッションの受信された新しい第３ダウンリンクデータを、ＵＰＦ２およびＵＰＦ３を順次介して端末デバイス２０２に送信する。例えば、時点Ｔ３で、バッファリングされた第２ダウンリンクデータのデータ経路（図示せず）は、ＵＰＦ２→ＵＰＦ３→アクセスネットワークデバイス→端末デバイス２０２である。図８Ｂに示すように、時点Ｔ３で、第３ダウンリンクデータの伝送経路は、ＵＰＦ１→ＵＰＦ２→ＵＰＦ３→アクセスネットワークデバイス（図示せず）→端末デバイス２０２である。従って、第２ダウンリンクデータを伝送するためのデータ経路と第３ダウンリンクデータを伝送するためのデータ経路とがＵＰＦ２から開始する同じものであることから、端末により受信されたダウンリンクデータが順不同であるという問題が回避され、ユーザ体験が向上する。加えて、図８Ａ−１から図８Ａ−３の方法が使用された後、バッファリングされたダウンリンクデータが、更なる転送トンネルを確立することも確立された転送トンネルを解放することもなく取得され得ることから、ＵＰＦエンティティ間のシグナリング相互作用が減少する。従って、遅延が減少し、ユーザ体験が更に向上する。
【０２１９】
オプションとして、トリガ条件が満たされているとき、第１セッションは、非アクティブ状態に切り替えられるよう再びトリガされ得る。プロセスについては、段階８１１から８１４における説明を参照されたい。詳細についてはここで改めて説明しない。同様に、このプロセスでは、アクセスネットワークデバイス２０４とＡＭＦエンティティ２０６との間のＮ２接続が解放され、アクセスネットワークデバイス２０４とＵＰＦ３との間のＮ３接続が解放される。オプションとして、ＳＭＦエンティティ２０８は更に、バッファデバイスを（例えば、アンカＵＰＦ３に）更新し、更新されたバッファデバイスに対して、ダウンリンクデータをバッファリングするよう通知し得る。
【０２２０】
図９は、本発明のある実施形態に係るデータバッファリング方法を示している。方法は、セッション管理機能エンティティ（ＳＭＦエンティティ２０８など）により実行され得る。図９については、図２から図４、図８Ａ−１から図８Ａ−３、および図８Ｂを参照して説明する。例えば、方法は以下の段階を含む。
【０２２１】
段階９０２：セッション管理機能エンティティが第２ユーザプレーン機能エンティティ（ＵＰＦ２など）および第１ユーザプレーン機能エンティティ（ＵＰＦ１など）それぞれと相互作用することで、第１ユーザプレーン機能エンティティは、第２ユーザプレーン機能エンティティを介してアクセスネットワークデバイス（アクセスネットワークデバイス２０４など）に第１セッションの第１ダウンリンクデータを送信する。ここで、第１ユーザプレーン機能エンティティは、第１セッションのアンカである。
【０２２２】
例えば、段階９０２は、図８Ａ−１の段階８０３および８０９ｂを使用して実装され得る。
【０２２３】
段階９０４：セッション管理機能エンティティは、予め設定された条件に基づいて、第１セッションの第２ダウンリンクデータをバッファリングするよう第２ユーザプレーン機能エンティティに通知する。ここで、予め設定された条件は、第１セッションが第３セッション・サービス連続性ＳＳＣ３モードを有することをＳＳＣ情報が示すこと、および、第２ダウンリンクデータが、第１セッションが非アクティブ状態に切り替えられた後に第２ユーザプレーン機能エンティティにより受信されるダウンリンクデータであることを含む。
【０２２４】
例えば、段階９０４は、図８Ａ−２の段階８１３を使用して実装され得る。
【０２２５】
第１セッションがＳＳＣ３モードを有することは、ＳＳＣ３モードで複数のアンカＵＰＦが同時に存在し得ることを示す。つまり、複数の「セッション」、または、あるセッションの複数の「セッションブランチ」が存在し得る。
【０２２６】
段階９０６：セッション管理機能エンティティが第３ユーザプレーン機能エンティティおよび第２ユーザプレーン機能エンティティそれぞれと相互作用することで、第２ユーザプレーン機能エンティティは、第３ユーザプレーン機能エンティティを介してアクセスネットワークデバイス（アクセスネットワークデバイス２０４または別のアクセスネットワークデバイスであってよい）に第２ダウンリンクデータを送信し、第１ユーザプレーン機能エンティティは、第２ユーザプレーン機能エンティティおよび第３ユーザプレーン機能エンティティを介してアクセスネットワークデバイス（アクセスネットワークデバイス２０４または別のアクセスネットワークデバイスであってよい）に第３ダウンリンクデータを送信する。ここで、第３ダウンリンクデータは、第１セッションがアクティブ状態に切り替えられた後に第１ユーザプレーン機能エンティティにより受信されるダウンリンクデータである。
【０２２７】
例えば、段階９０６は、図８Ａ−３の段階８２０および８２１を使用して実装され得る。
【０２２８】
オプションとして、段階９０４は、セッション管理機能エンティティが、予め設定された条件に基づいて、第２ダウンリンクデータをバッファリングするためのバッファデバイスとして第２ユーザプレーン機能エンティティを選択する段階と、セッション管理機能エンティティが、第２ダウンリンクデータを受信した後に第２ダウンリンクデータをバッファリングするよう第２ユーザプレーン機能エンティティに通知する段階とを含む。
【０２２９】
オプションとして、第１セッションがＳＳＣ３モードを有するので、第２セッションについてダウンリンクデータをバッファリングするために使用されるバッファデバイスが、第１セッションのバッファデバイスと同じものまたは異なるものとして選択され得る。例えば、第２セッションについては、セッション管理機能エンティティが、最初のアンカＵＰＦ１（詳細については、図３Ａ−１から図７の説明を参照されたい）または現在のＮ３  ＵＰＦ（すなわち、ＵＰＦ２）をバッファデバイスとして選択し、Ｎ４メッセージを使用して、受信されたダウンリンクデータをバッファリングするようそれぞれのバッファデバイスに通知し得る。
【０２３０】
加えて、図８Ａ−１から図８Ａ−３に示す方法は更に、マルチホームＰＤＵセッション（ｍｕｌｔｉ−ｈｏｍｉｎｇ  ＰＤＵ  ｓｅｓｓｉｏｎ）シナリオまたはアップリンク分類子（ｕｐｌｉｎｋ  ｃｌａｓｓｉｆｉｅｒ、ＵＬＣＬ）シナリオに適用可能である。
【０２３１】
図１０は、マルチホームＰＤＵセッションシナリオの概略図である。アクセスネットワークデバイス２０４が、分岐点（ｂｒａｎｃｈｉｎｇ  ｐｏｉｎｔ、ＢＰ）機能（略してＢＰ  ＵＰＦ）をサポートするＵＰＦエンティティに接続される。ＢＰ  ＵＰＦは、各ＰＤＵセッションアンカ（ＰＤＵセッションアンカ１およびＰＤＵセッションアンカ２など）に接続される。マルチホームＰＤＵセッション技術では、データネットワーク２１２に到達する複数の経路が、複数のＰＤＵセッションアンカを使用して提供される。ＢＰ  ＵＰＦは、複数の異なるＰＤＵセッションアンカにアップリンクデータを転送し、複数の異なるＰＤＵセッションアンカからのダウンリンクデータを組み合わせることができる。
【０２３２】
例えば、ＰＤＵセッションアンカ１は、図８Ａ−１から図８Ａ−３におけるＵＰＦ１の動作を実行し得る。ＵＰＦ２が、ＢＰ  ＵＰＦの機能を実装するために使用されてよく、ＰＤＵセッションアンカ１のセッションブランチ１およびＰＤＵセッションアンカ２のセッションブランチ２を使用してデータネットワーク２１２に接続される。ＰＤＵセッションアンカ２およびＢＰ  ＵＰＦ  ＵＰＦ２は別個に配設されてもよいし、ＰＤＵセッションアンカ２およびＢＰ  ＵＰＦ  ＵＰＦ２は共に配設されてもよい。同様に、ＵＰＦ３が、ＢＰ  ＵＰＦの機能を実装するために使用されてもよく、ＰＤＵセッションアンカ１のセッションブランチ１およびＰＤＵセッションアンカ２のセッションブランチ２を使用してデータネットワーク２１２に接続される。ＰＤＵセッションアンカ２およびＢＰ  ＵＰＦ  ＵＰＦ３は別個に配設されてもよいし、ＰＤＵセッションアンカ２およびＢＰ  ＵＰＦ  ＵＰＦ３は共に配設されてもよい。
【０２３３】
例えば、時点Ｔ１で、ＳＳＣ３モードを有するセッションブランチ１は作成され、アンカＵＰＦ１は、ダウンリンクデータをバッファリングするためのバッファデバイスとして使用される。時点Ｔ２で、ＵＰＦ２は、マルチホームＰＤＵセッション技術を使用することによりＢＰ  ＵＰＦとして追加され、セッションブランチ２は作成される。ここで、ＵＰＦ２は、セッションブランチ１およびセッションブランチ２の分岐点である。これらのセッションブランチの各々が非アクティブ状態に入った後、ＵＰＦ２は、ダウンリンクデータをバッファリングするためのバッファデバイスとして更新される。Ｔ２からＴ３までの期間内に、端末デバイス２０２が移動し、ダウンリンクサービスが開始された後にダウンリンクデータがＵＰＦ２においてバッファリングされる。ページング応答が行われた後にＢＰ  ＵＰＦ再割当（再配置）がトリガされる。つまり、時点Ｔ３で、ＢＰ  ＵＰＦはＵＰＦ３に変更される。ＵＰＦ３は、バッファリングされたダウンリンクデータをＵＰＦ２から取得し、新しいセッションブランチ３を確立し得る。ＵＰＦ３は、セッションブランチ１、セッションブランチ２およびセッションブランチ３の分岐点である。これらのセッションブランチの各々が再び非アクティブ状態に入った後、ＵＰＦ３は、ダウンリンクデータをバッファリングするためのバッファデバイスとして更新される。
【０２３４】
マルチホームＰＤＵセッションシナリオについては、Ｎ３  ＵＰＦが、ダウンリンクデータをバッファリングするＢＰ  ＵＰＦとの転送トンネルを確立し、当該転送トンネルを使用して、バッファリングされたダウンリンクデータを取得する、従来技術方式を参照されたい。バッファリングされたダウンリンクデータが取得された後、転送トンネルは削除され得る。
【０２３５】
なお、上述のシナリオでは、セッションブランチが非アクティブ状態に切り替えられるようトリガされるとき、ＢＰ  ＵＰＦのＮ３接続だけを解放する必要があり、ＢＰ  ＵＰＦを削除する必要はない。
【０２３６】
従って、マルチホームＰＤＵセッションシナリオでは、端末デバイス２０２に最近サービス提供しているＢＰ  ＵＰＦがバッファデバイスとして設定され得る。よって、ＢＰ  ＵＰＦに接続されている各セッションブランチのダウンリンクデータが、分岐点ＢＰ  ＵＰＦにおいてバッファリングされ得る。任意のセッションブランチのダウンリンクデータがアクティブ化された後、ＢＰ  ＵＰＦは更新される。加えて、セッションブランチのダウンリンクサービスがアクティブ化されなくても、バッファリングされたデータ取得手順がＢＰ  ＵＰＦ再割当で最適化される。
【０２３７】
同様に、図１１はＵＬＣＬシナリオの概略図である。アクセスネットワークデバイス２０４が、ＵＬＣＬ機能（略してＵＬＣＬ  ＵＰＦ）をサポートするＵＰＦエンティティに接続される。ＵＬＣＬ  ＵＰＦは、各ＰＤＵセッションアンカ（ＰＤＵセッションアンカ１およびＰＤＵセッションアンカ２など）に接続される。ＵＬＣＬ技術では、データネットワーク２１２に到達する複数のセッションブランチが、複数のＰＤＵセッションアンカを使用して提供される。ＵＬＣＬ  ＵＰＦは、複数の異なるＰＤＵセッションアンカにアップリンクデータを転送し、複数の異なるＰＤＵセッションアンカからのダウンリンクデータを組み合わせることができる。
【０２３８】
例えば、ＰＤＵセッションアンカ１は、図８Ａ−１から図８Ａ−３におけるＵＰＦ１の動作を実行し得る。ＵＰＦ２が、ＵＬＣＬ  ＵＰＦの機能を実装するために使用されてよく、ＰＤＵセッションアンカ１のセッションブランチ１およびＰＤＵセッションアンカ２のセッションブランチ２を使用してデータネットワーク２１２に接続される。ＰＤＵセッションアンカ２およびＵＬＣＬ  ＵＰＦ  ＵＰＦ２が別個に配設されてもよいし、ＰＤＵセッションアンカ２およびＵＬＣＬ  ＵＰＦ  ＵＰＦ２が共に配設されてもよい。同様に、ＵＬＣＬ  ＵＰＦの機能を実装するためにＵＰＦ３が使用されてもよく、ＵＰＦ３は、ＰＤＵセッションアンカ１のセッションブランチ１およびＰＤＵセッションアンカ２のセッションブランチ２を使用してデータネットワーク２１２に接続される。ＰＤＵセッションアンカ２およびＵＬＣＬ  ＵＰＦ  ＵＰＦ３は別個に配設されてもよいし、ＰＤＵセッションアンカ２およびＵＬＣＬ  ＵＰＦ  ＵＰＦ３は共に配設されてもよい。
【０２３９】
例えば、時点Ｔ１で、ＳＳＣ３モードを有するセッションブランチ１は作成され、アンカＵＰＦ１は、ダウンリンクデータをバッファリングするためのバッファデバイスとして使用される。時点Ｔ２で、ＵＰＦ２は、ＵＬＣＬ技術を使用することによりＵＬＣＬ  ＵＰＦとして追加され、セッションブランチ２は作成される。ここで、ＵＰＦ２は、セッションブランチ１およびセッションブランチ２のアップリンク分類子である。これらのセッションブランチの各々が非アクティブ状態に入った後、ＵＰＦ２は、ダウンリンクデータをバッファリングするためのバッファデバイスとして更新される。Ｔ２からＴ３までの期間内に、端末デバイス２０２が移動し、ダウンリンクサービスが開始された後にダウンリンクデータがＵＰＦ２においてバッファリングされる。ページング応答が行われた後にＵＬＣＬ  ＵＰＦ再割当（再配置）がトリガされる。つまり、時点Ｔ３で、ＵＬＣＬ  ＵＰＦはＵＰＦ３に変更される。ＵＰＦ３は、バッファリングされたダウンリンクデータをＵＰＦ２から取得し、新しいセッションブランチ３を確立し得る。ＵＰＦ３は、セッションブランチ１、セッションブランチ２およびセッションブランチ３のアップリンク分類子である。これらのセッションブランチの各々が再び非アクティブ状態に入った後、ＵＰＦ３は、ダウンリンクデータをバッファリングするためのバッファデバイスとして更新される。
【０２４０】
従って、ＵＬＣＬシナリオでは、端末デバイス２０２に最近サービス提供しているＵＬＣＬ  ＵＰＦがバッファデバイスとして設定され得る。
【０２４１】
加えて、マルチホームＰＤＵセッションシナリオおよびＵＬＣＬシナリオでは、複数のセッションブランチについて複数の異なるバッファデバイスが設定され得る。例えば、ＰＤＵセッションアンカ１（ＵＰＦ１）は、ＵＰＦ１に接続されているセッションブランチ１に関するバッファデバイスとして設定され、ＰＤＵセッションアンカ２は、セッションブランチ２に関するバッファデバイスとして設定される。従って、セッションブランチごとに独立した処理が実装され得ることから、セッションブランチ間の処理が互いに影響を及ぼすことはなく、複数の異なる要件が満たされる。
【０２４２】
本願において提供される上述の実施形態では、本願の実施形態において提供されるデータバッファリング方法などの様々な解決策を、各ネットワーク要素およびネットワーク要素間の相互作用の観点から説明した。上述の機能を実装すべく、上述のセッション管理機能エンティティのような各ネットワーク要素が、各機能を実行するための対応するハードウェア構造および／またはソフトウェアモジュールを含むことが理解され得る。本願では、本明細書で開示される実施形態を参照して説明される例におけるユニットおよびアルゴリズム段階がハードウェアまたはハードウェアとコンピュータソフトウェアとの組み合わせの形態で実装され得ることが、当業者であれば容易に分かるはずである。ある機能がハードウェアによって実行されるかコンピュータソフトウェアにより駆動されるハードウェアによって実行されるかは、技術的解決策の設計上の制約および特定の用途によって決まる。当業者であれば、複数の異なる方法を使用して、説明されている機能を特定の用途ごとに実装し得るが、実装が本願の範囲を超えるものと考慮すべきではない。
【０２４３】
例えば、上述のネットワーク要素がソフトウェアモジュールを使用して対応する機能を実装するとき、図１２Ａに示すように、セッション管理機能エンティティは、受信モジュール１２０１および送信モジュール１２０３を含み得る。
【０２４４】
ある実施形態において、受信モジュール１２０１および送信モジュール１２０３は、第１ユーザプレーン機能エンティティが第２ユーザプレーン機能エンティティを介してアクセスネットワークデバイスに第１セッションの第１ダウンリンクデータを送信するよう、第２ユーザプレーン機能エンティティおよび第１ユーザプレーン機能エンティティそれぞれと相互作用するように構成される。ここで、第１ユーザプレーン機能エンティティは、第１セッションのアンカである。
【０２４５】
送信モジュール１２０３は更に、予め設定された条件に基づいて、第１セッションの第２ダウンリンクデータをバッファリングするよう第１ユーザプレーン機能エンティティに通知するように構成される。
【０２４６】
オプションとして、予め設定された条件は、以下のうちのうちの少なくとも１つを含む。
第１セッションが第１セッション・サービス連続性ＳＳＣ１モードを有することをＳＳＣ情報が示すこと。
端末デバイスが高モビリティデバイスであることをモビリティ情報が示すこと。または、
セッション管理機能エンティティおよび第１ユーザプレーン機能エンティティが同じオペレータネットワークに属すること。
【０２４７】
オプションとして、受信モジュール１２０１および送信モジュール１２０３は更に、第１ユーザプレーン機能エンティティが第３ユーザプレーン機能エンティティを介してアクセスネットワークデバイスに第２ダウンリンクデータおよび第３ダウンリンクデータを送信するよう、第３ユーザプレーン機能エンティティおよび第１ユーザプレーン機能エンティティそれぞれと相互作用するように構成される。ここで、第３ダウンリンクデータは、第１セッションがアクティブ状態に切り替えられた後に第１ユーザプレーン機能エンティティにより受信されるダウンリンクデータである。
【０２４８】
オプションとして、上述の命令機能を実装すべく、セッション管理機能エンティティは更に、選択モジュール１２０５を含む。選択モジュール１２０５は、予め設定された条件に基づいて、第２ダウンリンクデータをバッファリングするためのバッファデバイスとして第１ユーザプレーン機能エンティティを選択するように構成される。この場合は、送信モジュール１２０３は、第２ダウンリンクデータを受信した後に第２ダウンリンクデータをバッファリングするよう第１ユーザプレーン機能エンティティに通知するように構成される。
【０２４９】
オプションとして、受信モジュール１２０１は更に、端末デバイスのモビリティ情報を取得するように構成される。例えば、受信モジュール１２０１は、モビリティ管理機能エンティティからモビリティ属性を受信するように構成され、ここで、モビリティ情報は、モビリティ属性である。または、受信モジュール１２０１は、モビリティ統計情報を取得するように構成され、ここで、モビリティ情報は、モビリティ統計情報である。または、セッション管理機能エンティティは更に、決定モジュール１２０７を含み、ここで、受信モジュール１２０１は、モビリティ管理機能エンティティからモビリティ属性を受信し、かつ、モビリティ統計情報を取得するように構成され、決定モジュール１２０７は、当該モビリティ属性および当該モビリティ統計情報に基づいてモビリティ情報を決定するように構成される。モビリティ属性は、少なくとも１つの高モビリティ属性または低モビリティ属性を含み、モビリティ統計情報は、端末デバイスの移動速度または滞在時間を示すために使用される。例えば、受信モジュール１２０１は、モビリティ管理機能エンティティからモビリティ統計情報を受信するか、ネットワークデータ分析ＮＷＤＡデバイスからモビリティ統計情報を取得するように構成される。
【０２５０】
オプションとして、セッション管理機能エンティティは更に、解放モジュール１２０９を含む。解放モジュール１２０９は、選択モジュール１２０５が、第２ダウンリンクデータをバッファリングするためのバッファデバイスとして第１ユーザプレーン機能エンティティを選択した後に、第２ユーザプレーン機能エンティティを解放するように構成される。
【０２５１】
オプションとして、セッション管理機能エンティティおよび第３ユーザプレーン機能エンティティは、ＨＲローミングシナリオにおいてＶＰＬＭＮに配置され、セッション管理機能エンティティは更に、調整モジュール１２１１を含む。調整モジュール１２１１は、バッファデバイスを調整するように構成される。ここで、バッファデバイスは、第１セッションが非アクティブ状態に切り替えられた後に第１セッションの第４ダウンリンクデータをバッファリングするために使用される。例えば、調整モジュール１２１１は、第３ユーザプレーン機能エンティティをバッファデバイスとして決定するか、セッション管理機能エンティティをバッファデバイスとして決定するように構成される。
【０２５２】
従って、セッション管理機能エンティティは、予め設定された条件に基づいて、第２ダウンリンクデータをバッファリングするようアンカユーザプレーン機能エンティティに通知する。このように、第１セッションがアクティブ状態に切り替えられた後、アンカユーザプレーン機能エンティティによりバッファリングされた第２ダウンリンクデータの伝送経路と、第１セッションが再びアクティブ状態に切り替えられた後に受信されることになっている、入ってくる第３ダウンリンクデータの伝送経路とは同じである。従って、端末により受信されたダウンリンクデータが順不同であるという問題が回避される。加えて、バッファリングされたダウンリンクデータが、更なる転送トンネルを確立することも転送トンネルを再び解放することもなく取得され得ることから、ＵＰＦエンティティ間のシグナリング相互作用が減少する。従って、遅延が減少し、ユーザ体験が向上する。
【０２５３】
別の実施形態において、受信モジュール１２０１および送信モジュール１２０３は、第１ユーザプレーン機能エンティティが第２ユーザプレーン機能エンティティを介してアクセスネットワークデバイスに第１セッションの第１ダウンリンクデータを送信するよう、第２ユーザプレーン機能エンティティおよび第１ユーザプレーン機能エンティティそれぞれと相互作用するように構成される。第１ユーザプレーン機能エンティティは、第１セッションのアンカである。送信モジュール１２０３は更に、予め設定された条件に基づいて、第１セッションの第２ダウンリンクデータをバッファリングするよう第２ユーザプレーン機能エンティティに通知するように構成される。予め設定された条件は、第１セッションが第３セッション・サービス連続性ＳＳＣ３モードを有することを、（例えば、受信モジュール１２０１により取得される）ＳＳＣ情報が示すことを含む。第２ダウンリンクデータは、第１セッションが非アクティブ状態に切り替えられた後に第２ユーザプレーン機能エンティティにより受信されるダウンリンクデータである。受信モジュール１２０１および送信モジュール１２０３は更に、第２ユーザプレーン機能エンティティが第３ユーザプレーン機能エンティティを介してアクセスネットワークデバイスに第２ダウンリンクデータを送信し、かつ、第１ユーザプレーン機能エンティティが第２ユーザプレーン機能エンティティおよび第３ユーザプレーン機能エンティティを介してアクセスネットワークデバイスに第３ダウンリンクデータを送信するよう、第３ユーザプレーン機能エンティティおよび第２ユーザプレーン機能エンティティそれぞれと相互作用するように構成される。第３ダウンリンクデータは、第１セッションがアクティブ状態に切り替えられた後に第１ユーザプレーン機能エンティティにより受信されるダウンリンクデータである。
【０２５４】
オプションとして、上述の命令機能を実装すべく、セッション管理機能エンティティは更に、選択モジュール１２０５を含む。選択モジュール１２０５は、予め設定された条件に基づいて、第２ダウンリンクデータをバッファリングするためのバッファデバイスとして第２ユーザプレーン機能エンティティを選択するように構成される。送信モジュール１２０３は、第２ダウンリンクデータを受信した後に第２ダウンリンクデータをバッファリングするよう第２ユーザプレーン機能エンティティに通知するように構成される。
【０２５５】
従って、第２ダウンリンクデータを伝送するためのデータ経路と第３ダウンリンクデータを伝送するためのデータ経路とが第２ユーザプレーン機能エンティティから開始する同じものであることから、端末により受信されたダウンリンクデータが順不同であるという問題が回避され、ユーザ体験が向上する。加えて、バッファリングされたダウンリンクデータが、更なる転送トンネルを確立することも転送トンネルを再び解放することもなく取得され得ることから、ＵＰＦエンティティ間のシグナリング相互作用が減少する。従って、遅延が減少し、ユーザ体験が更に向上する。
【０２５６】
オプションとして、別の実施形態において、セッション管理機能エンティティは、受信モジュール１２０１、送信モジュール１２０３および解放モジュール１２０９を含み得る。受信モジュール１２０１および送信モジュール１２０３は、送受信モジュールにより実装されてもよい。
【０２５７】
送受信モジュールは、第１ユーザプレーン機能エンティティが第２ユーザプレーン機能エンティティを介して第１セッションの第１ダウンリンクデータを送信するよう、第２ユーザプレーン機能エンティティおよび第１ユーザプレーン機能エンティティそれぞれと相互作用するように構成される。第２ユーザプレーン機能エンティティは、アクセスネットワークデバイスに接続されている、第１セッションのユーザプレーン機能エンティティである。
【０２５８】
解放モジュール１２０９は、第１セッションが非アクティブ状態に入るとき、第２ユーザプレーン機能エンティティを解放するように構成される。例えば、解放モジュール１２０９は、セッション・サービス連続性情報、モビリティ情報およびポリシ情報のうちの少なくとも１つに基づいて、第２ユーザプレーン機能エンティティの解放を決定する。詳細については、上術の説明を参照されたい。詳細については改めて説明しない。
【０２５９】
オプションとして、送受信モジュールは更に、第１セッションの第２ダウンリンクデータをバッファリングするよう第１ユーザプレーン機能エンティティに通知するように構成される。代わりに、送受信モジュールは更に、第１セッションが非アクティブ状態に切り替えられた後に第１ユーザプレーン機能エンティティが第２ダウンリンクデータをバッファリングするためのバッファデバイスに「自動的に」なるよう、第１ユーザプレーン機能ネットワーク要素と第２ユーザプレーン機能ネットワーク要素との間の接続を解放するよう第１ユーザプレーン機能ネットワーク要素に通知するように構成される。
【０２６０】
上述の解決策に基づいて、セッション管理機能エンティティが第２ユーザプレーン機能エンティティを削除した後、第１ユーザプレーン機能エンティティは、アクセスネットワークデバイスに接続されている新しいユーザプレーン機能エンティティになり、第２ダウンリンクデータをバッファリングする。このように、第１セッションがアクティブ状態に切り替えられた後、第１ユーザプレーン機能エンティティによりバッファリングされた第２ダウンリンクデータの伝送経路と、第１セッションが再びアクティブ状態に切り替えられた後に受信されることになっている、入ってくる第３ダウンリンクデータの伝送経路とは同じである。従って、端末により受信されたダウンリンクデータが順不同であるという問題が回避される。加えて、バッファリングされたダウンリンクデータが、更なる転送トンネルを確立することも転送トンネルを再び解放することもなく取得され得ることから、ＵＰＦエンティティ間のシグナリング相互作用が減少する。従って、遅延が減少し、ユーザ体験が向上する。
【０２６１】
選択モジュール１２０５、決定モジュール１２０７、解放モジュール１２０９および調整モジュール１２１１は全て、セッション管理機能エンティティ内の処理モジュールにより実装され得る。
【０２６２】
加えて、セッション管理機能エンティティ内の受信モジュール１２０１および送信モジュール１２０３は、上述の方法でＳＭＦデバイス２０６（またはｖＳＭＦ）の別の動作または機能を更に実装してよく、別の機能を実行する別のモジュールを更に含んでよい。詳細についてはここで説明しない。
【０２６３】
図１２Ｂは、上述の実施形態におけるセッション管理機能エンティティの考えられる別の概略構造図である。図１２Ｂに示すように、セッション管理機能エンティティは、送受信機１２０２およびプロセッサ１２０４を含む。例えば、プロセッサ１２０４は、上述の方法でＳＭＦデバイス２０６（またはｖＳＭＦ）の対応する機能を実行する際にセッション管理機能エンティティをサポートするように構成される。送受信機１２０２は、セッション管理機能エンティティと上述のモビリティ管理機能エンティティ／ユーザプレーン機能エンティティ／別のセッション管理機能エンティティとの間の通信を実装するように構成される。セッション管理機能エンティティは更に、メモリ１２０６を含み得る。メモリは、プロセッサに連結され、かつ、セッション管理機能エンティティにとって必要なプログラム命令およびデータを記憶するように構成される。
【０２６４】
図１２Ｂは上述のデバイスの簡略化された設計だけを示していることが理解され得る。実際の適用では、各デバイスが任意の数のトランスミッタ、受信機、プロセッサ、コントローラ、メモリおよび通信ユニットなどを含んでよく、本願を実装し得る全てのデバイスが本願の保護範囲に含まれる。
【０２６５】
本願におけるセッション管理機能エンティティの機能を実行するように構成されているコントローラ／プロセッサは、中央処理装置（ＣＰＵ）、汎用プロセッサ、デジタルシグナルプロセッサ（ＤＳＰ）、特定用途向け集積回路（ＡＳＩＣ）、フィールドプログラマブルゲートアレイ（ＦＰＧＡ）、別のプログラマブル論理デバイス、トランジスタ論理デバイス、ハードウェアコンポーネント、または、これらの任意の組み合わせであってよい。コントローラ／プロセッサは、本願において開示される内容を参照して説明される様々な論理ブロック、モジュールおよび回路の例を実装または実行し得る。代わりに、プロセッサは、コンピューティング機能を実装するプロセッサの組み合わせ、例えば、１つまたは複数のマイクロプロセッサの組み合わせ、または、ＤＳＰとマイクロプロセッサとの組み合わせであってよい。
【０２６６】
本願において開示される内容を参照して説明される方法またはアルゴリズム段階は、ハードウェアにより実装されてもよいし、ソフトウェア命令を実行することによってプロセッサにより実装されてもよい。ソフトウェア命令は、対応するソフトウェアモジュールにより形成され得る。ソフトウェアモジュールは、ＲＡＭ、フラッシュメモリ、ＲＯＭ、ＥＰＲＯＭ、ＥＥＰＲＯＭ、レジスタ、ハードディスク、リムーバブル磁気ディスク、ＣＤ−ＲＯＭ、または、当技術分野でよく知られている任意の他の形態の記憶媒体に記憶され得る。記憶媒体の例がプロセッサに連結されることで、プロセッサは、記憶媒体から情報を読み取るか、記憶媒体に情報を書き込むことができる。無論、記憶媒体は、プロセッサのコンポーネントであってよい。プロセッサおよび記憶媒体は、ＡＳＩＣに配置され得る。加えて、ＡＳＩＣは、セッション管理機能エンティティに配置され得る。無論、プロセッサおよび記憶媒体は、ディスクリートコンポーネントとしてセッション管理機能エンティティに存在し得る。
【０２６７】
上述の実施形態のうちの全てまたは幾つかが、ソフトウェア、ハードウェア、ファームウェア、または、これらの任意の組み合わせにより実装され得る。実施形態がソフトウェアにより実装されるとき、これらの実施形態のうちの全てまたは幾つかが、コンピュータプログラム製品の形態で実装され得る。コンピュータプログラム製品は、１つまたは複数のコンピュータ命令を含む。コンピュータプログラム命令がコンピュータにロードされ、コンピュータで実行されるとき、本発明の実施形態に係る手順または機能のうちの全てまたは幾つかが生成される。コンピュータは、汎用コンピュータ、専用コンピュータ、コンピュータネットワーク、または別のプログラマブル装置であってよい。コンピュータ命令は、コンピュータ可読記憶媒体に記憶されてもよいし、コンピュータ可読記憶媒体から別のコンピュータ可読記憶媒体に伝送されてもよい。例えば、コンピュータ命令は、あるウェブサイト、コンピュータ、サーバまたはデータセンタから別のウェブサイト、コンピュータ、サーバまたはデータセンタに有線（例えば、同軸ケーブル、光ファイバまたはデジタル加入者線（ＤＳＬ））または無線（例えば、赤外線、無線またはマイクロ波）の方式で伝送され得る。コンピュータ可読記憶媒体は、コンピュータからアクセスできる任意の使用可能な媒体、または、１つまたは複数の使用可能な媒体が統合されたサーバもしくはデータセンタなどのデータ記憶デバイスであってよい。使用可能な媒体は、磁気媒体（例えば、フロッピーディスク、ハードディスクまたは磁気テープ）、光媒体（例えば、ＤＶＤ）または半導体媒体（例えば、ソリッドステートディスクＳｏｌｉｄ  Ｓｔａｔｅ  Ｄｉｓｋ（ＳＳＤ））などであってよい。
【０２６８】
上述の特定の実装では更に、本願の目的、技術的解決策および有益な効果について詳細に説明した。上術の説明は、単に本願の特定の実装であり、本願の保護範囲の限定を意図するものではないことを理解されたい。本願の技術的解決策に基づいて行われる修正、同等の置き換えまたは改良は何れも、本願の保護範囲に含まれるものとする。
【図１】
2020520137.tif 000003
【図２】
2020520137.tif 000004
【図３Ａ−１】
2020520137.tif 000005
【図３Ａ−２】
2020520137.tif 000006
【図３Ｂ】
2020520137.tif 000007
【図４】
2020520137.tif 000008
【図５Ａ】
2020520137.tif 000009
【図５Ｂ】
2020520137.tif 000010
【図６Ａ】
2020520137.tif 000011
【図６Ｂ】
2020520137.tif 000012
【図６Ｃ】
2020520137.tif 000013
【図７】
2020520137.tif 000014
【図８Ａ−１】
2020520137.tif 000015
【図８Ａ−２】
2020520137.tif 000016
【図８Ａ−３】
2020520137.tif 000017
【図８Ｂ】
2020520137.tif 000018
【図９】
2020520137.tif 000019
【図１０】
2020520137.tif 000020
【図１１】
2020520137.tif 000021
【図１２Ａ】
2020520137.tif 000022
【図１２Ｂ】
2020520137.tif 000023
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
セッション管理機能ネットワーク要素と、第１ユーザプレーン機能ネットワーク要素と、第２ユーザプレーン機能ネットワーク要素と、第３ユーザプレーン機能ネットワーク要素とを備える通信システムであって、端末デバイスと前記第１ユーザプレーン機能ネットワーク要素との間に第１セッションが確立され、前記第１ユーザプレーン機能ネットワーク要素は、前記第１セッションのアンカユーザプレーン機能ネットワーク要素であり、
前記セッション管理機能ネットワーク要素が前記第２ユーザプレーン機能ネットワーク要素および前記第１ユーザプレーン機能ネットワーク要素それぞれと相互作用した後、前記第２ユーザプレーン機能ネットワーク要素は、前記第１セッションのデータ経路に追加され、前記第１ユーザプレーン機能ネットワーク要素は、前記第２ユーザプレーン機能ネットワーク要素を介して前記端末デバイスに前記第１セッションの第１ダウンリンクデータを送信し、
前記端末デバイスがアイドル状態に入り、かつ、アクセスネットワーク内の前記第１セッションと関連付けられる伝送リソースが解放される手順において、前記セッション管理機能ネットワーク要素は、前記第２ユーザプレーン機能ネットワーク要素を解放し、前記第１ユーザプレーン機能ネットワーク要素は、前記第１セッションの第２ダウンリンクデータをバッファリングし、
前記端末デバイスが接続状態に切り替えられた後、前記セッション管理機能ネットワーク要素は、前記第２ユーザプレーン機能ネットワーク要素および前記第３ユーザプレーン機能ネットワーク要素それぞれと相互作用し、前記第３ユーザプレーン機能ネットワーク要素は、前記第１セッションのデータ経路に追加され、前記第１ユーザプレーン機能ネットワーク要素は、前記第１セッションの前記バッファリングされた第２ダウンリンクデータおよび第３ダウンリンクデータを、前記第３ユーザプレーン機能ネットワーク要素を介して前記端末デバイスに送信する、
システム。
【請求項２】
前記セッション管理機能ネットワーク要素は更に、前記第２ダウンリンクデータをバッファリングするよう前記第１ユーザプレーン機能ネットワーク要素に通知する、請求項１に記載のシステム。
【請求項３】
前記第２ダウンリンクデータをバッファリングするよう前記第１ユーザプレーン機能ネットワーク要素に通知すべく、前記セッション管理機能ネットワーク要素は、前記第１ユーザプレーン機能ネットワーク要素にセッション修正要求メッセージを送信し、前記セッション修正要求メッセージは、前記第２ダウンリンクデータをバッファリングするよう前記第１ユーザプレーン機能ネットワーク要素に示すバッファリングオンインジケーションを含む、請求項２に記載のシステム。
【請求項４】
前記セッション管理機能ネットワーク要素は更に、前記第１ユーザプレーン機能ネットワーク要素と前記第２ユーザプレーン機能ネットワーク要素との間の接続を解放するよう前記第１ユーザプレーン機能ネットワーク要素に通知する、請求項１に記載のシステム。
【請求項５】
データバッファリング方法であって、
セッション管理機能ネットワーク要素が第２ユーザプレーン機能ネットワーク要素および第１ユーザプレーン機能ネットワーク要素それぞれと相互作用する段階であって、前記第１ユーザプレーン機能ネットワーク要素は、第１セッションのアンカユーザプレーン機能ネットワーク要素であり、前記第２ユーザプレーン機能ネットワーク要素は、アクセスネットワークデバイスに接続されている、前記第１セッションのユーザプレーン機能ネットワーク要素であり、前記第１セッションの第１ダウンリンクデータの伝送経路が前記第１ユーザプレーン機能ネットワーク要素、前記第２ユーザプレーン機能ネットワーク要素、前記アクセスネットワークデバイスおよび端末デバイスを順次通過する、段階と、
前記端末デバイスがアイドル状態に入り、かつ、アクセスネットワーク内の前記第１セッションと関連付けられる伝送リソースが解放される手順において、前記セッション管理機能ネットワーク要素が前記第２ユーザプレーン機能ネットワーク要素を解放する段階と
を備える方法。
【請求項６】
前記セッション管理機能ネットワーク要素が、第２ダウンリンクデータをバッファリングするよう前記第１ユーザプレーン機能ネットワーク要素に通知する段階
を更に備える、請求項５に記載の方法。
【請求項７】
前記セッション管理機能ネットワーク要素が、第２ダウンリンクデータをバッファリングするよう前記第１ユーザプレーン機能ネットワーク要素に通知する前記段階は、
前記セッション管理機能ネットワーク要素が前記第１ユーザプレーン機能ネットワーク要素にセッション修正要求メッセージを送信する段階であって、前記セッション修正要求メッセージは、前記第２ダウンリンクデータをバッファリングするよう前記第１ユーザプレーン機能ネットワーク要素に示すバッファリングオンインジケーションを含む、段階
を有する、請求項６に記載の方法。
【請求項８】
前記セッション管理機能ネットワーク要素が、前記第１ユーザプレーン機能ネットワーク要素と前記第２ユーザプレーン機能ネットワーク要素との間の接続を解放するよう前記第１ユーザプレーン機能ネットワーク要素に通知する段階
を更に備える、請求項５に記載の方法。
【請求項９】
前記端末デバイスが接続状態に切り替えられた後、前記セッション管理機能ネットワーク要素が前記第２ユーザプレーン機能ネットワーク要素および第３ユーザプレーン機能ネットワーク要素それぞれと相互作用する段階であって、前記第３ユーザプレーン機能ネットワーク要素は、前記第１セッションのものであり、かつ、前記アクセスネットワークデバイスに接続されており、前記第１セッションの入ってくる第３ダウンリンクデータの伝送経路と、前記第１ユーザプレーン機能ネットワーク要素においてバッファリングされた前記第１セッションの前記第２ダウンリンクデータの伝送経路とはどちらも、前記第１ユーザプレーン機能ネットワーク要素、前記第３ユーザプレーン機能ネットワーク要素、前記アクセスネットワークデバイスおよび前記端末デバイスを順次通過する、段階
を更に備える、請求項６または７に記載の方法。
【請求項１０】
前記セッション管理機能ネットワーク要素が前記第２ユーザプレーン機能ネットワーク要素を解放する前記段階は、
前記セッション管理機能ネットワーク要素がセッション・サービス連続性情報、モビリティ情報またはポリシ情報のうちの少なくとも１つに基づいて前記第２ユーザプレーン機能ネットワーク要素の解放を決定する段階
を有する、請求項５から９の何れか一項に記載の方法。
【請求項１１】
前記セッション管理機能ネットワーク要素が前記第２ユーザプレーン機能ネットワーク要素を解放する前記段階は、
前記セッション管理機能ネットワーク要素が、
前記第１セッションが第１セッション・サービス連続性モードを有することを前記セッション・サービス連続性情報が示すこと、
前記端末デバイスが高モビリティデバイスであることを前記モビリティ情報が示すこと、
前記ポリシ情報が前記第２ユーザプレーン機能ネットワーク要素の解放を示すこと、または、
前記セッション管理機能ネットワーク要素および前記第１ユーザプレーン機能ネットワーク要素が同じオペレータネットワークに属すること
のうちの少なくとも１つに基づいて前記第２ユーザプレーン機能ネットワーク要素の解放を決定する段階
を有する、請求項１０に記載の方法。
【請求項１２】
インタフェースと、
プロセッサと、
前記プロセッサにより実行されるプログラムを記憶する非一時的コンピュータ可読記憶媒体と
を備えるセッション管理機能エンティティであって、前記プログラムは、
前記インタフェースを介して第２ユーザプレーン機能ネットワーク要素および第１ユーザプレーン機能ネットワーク要素それぞれと相互作用するための命令であって、前記第１ユーザプレーン機能ネットワーク要素は、第１セッションのアンカユーザプレーン機能ネットワーク要素であり、前記第２ユーザプレーン機能ネットワーク要素は、アクセスネットワークデバイスに接続されている、前記第１セッションのユーザプレーン機能ネットワーク要素であり、前記第１セッションの第１ダウンリンクデータの伝送経路が前記第１ユーザプレーン機能ネットワーク要素、前記第２ユーザプレーン機能ネットワーク要素、前記アクセスネットワークデバイスおよび端末デバイスを順次通過する、相互作用するための命令、および、
前記端末デバイスがアイドル状態に入り、かつ、アクセスネットワーク内の前記第１セッションと関連付けられる伝送リソースが解放される手順において、前記第２ユーザプレーン機能ネットワーク要素を解放するための命令
を含む、セッション管理機能エンティティ。
【請求項１３】
前記プログラムは更に、
前記インタフェースを介して、第２ダウンリンクデータをバッファリングするよう前記第１ユーザプレーン機能ネットワーク要素に通知する
ための命令を含む、請求項１２に記載のセッション管理機能エンティティ。
【請求項１４】
前記第２ダウンリンクデータをバッファリングするよう前記第１ユーザプレーン機能ネットワーク要素に通知すべく、前記プログラムは、
前記インタフェースを介して前記第１ユーザプレーン機能ネットワーク要素にセッション修正要求メッセージを送信するための命令であって、前記セッション修正要求メッセージは、前記第２ダウンリンクデータをバッファリングするよう前記第１ユーザプレーン機能ネットワーク要素に示すバッファリングオンインジケーションを含む、送信するための命令
を含む、請求項１３に記載のセッション管理機能エンティティ。
【請求項１５】
前記プログラムは更に、
前記インタフェースを介して、前記第１ユーザプレーン機能ネットワーク要素と前記第２ユーザプレーン機能ネットワーク要素との間の接続を解放するよう前記第１ユーザプレーン機能ネットワーク要素に通知するための命令
を含む、請求項１２に記載のセッション管理機能エンティティ。
【請求項１６】
前記プログラムは更に、
前記端末デバイスが接続状態に切り替えられた後、前記インタフェースを介して前記第２ユーザプレーン機能ネットワーク要素および第３ユーザプレーン機能ネットワーク要素それぞれと相互作用するための命令であって、前記第３ユーザプレーン機能ネットワーク要素は、前記第１セッションのものであり、かつ、前記アクセスネットワークデバイスに接続されており、前記第１セッションの入ってくる第３ダウンリンクデータの伝送経路と、前記第１ユーザプレーン機能ネットワーク要素においてバッファリングされた前記第１セッションの前記第２ダウンリンクデータの伝送経路とはどちらも、前記第１ユーザプレーン機能ネットワーク要素、前記第３ユーザプレーン機能ネットワーク要素、前記アクセスネットワークデバイスおよび前記端末デバイスを順次通過する、相互作用するための命令
を含む、請求項１３または１４に記載のセッション管理機能エンティティ。
【手続補正２】
【補正対象書類名】明細書
【補正対象項目名】００１４
【補正方法】変更
【補正の内容】
【００１４】
例えば、セッション管理機能エンティティがモビリティ統計情報を取得する段階は、セッション管理機能エンティティがモビリティ管理機能エンティティからモビリティ統計情報を受信する段階、または、セッション管理機能エンティティがネットワークデータ分析（ＮＷＤＡ）デバイスからモビリティ統計情報を取得する段階を有する。
【手続補正３】
【補正対象書類名】明細書
【補正対象項目名】００１６
【補正方法】変更
【補正の内容】
【００１６】
考えられるある設計において、上述の方法は、ホームルーティングされた（ＨＲ）ローミングシナリオに適用可能である。セッション管理機能エンティティおよび第３ユーザプレーン機能エンティティは、ＨＲローミングシナリオにおいてＶＰＬＭＮに配置される。方法は更に、セッション管理機能エンティティがバッファデバイスを調整する段階であって、調整されたバッファデバイスは、第１セッションが非アクティブ状態に切り替えられた後に第１セッションの第４ダウンリンクデータをバッファリングするために使用される、段階を含む。
【手続補正４】
【補正対象書類名】明細書
【補正対象項目名】００４４
【補正方法】変更
【補正の内容】
【００４４】
本願の実施形態は、図２に示す通信システムに基づく解決策を提供しており、次世代モバイルネットワーク（５Ｇネットワークなど）アーキテクチャにおけるデータのバッファリングに適用可能である。例えば、５Ｇモバイルネットワークアーキテクチャにおいて、モバイルゲートウェイの制御プレーン機能および転送プレーン機能が切り離され、分離されたモバイルゲートウェイの制御プレーン機能と、第３世代パートナーシッププロジェクト（ｔｈｉｒｄ  ｇｅｎｅｒａｔｉｏｎ  ｐａｒｔｎｅｒｓｈｉｐ  ｐｒｏｊｅｃｔ、３ＧＰＰ）におけるＭＭＥのような従来の制御ネットワーク要素とが組み合わされて、統一された制御プレーン（ｃｏｎｔｒｏｌ  ｐｌａｎｅ）エンティティを形成する。ユーザプレーン機能（ＵＰＦ）エンティティは、サービングゲートウェイ（ｓｅｒｖｉｎｇ  ｇａｔｅｗａｙ、ＳＧＷ）およびパケットデータネットワークゲートウェイ（ｐａｃｋｅｔ  ｄａｔａ  ｎｅｔｗｏｒｋ  ｇａｔｅｗａｙ、ＰＧＷ）のユーザプレーン機能（ＳＧＷ−ＵおよびＰＧＷ−Ｕ）を実装し得る。更に、統一された制御プレーンエンティティは、アクセス・モビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）エンティティおよびセッション管理機能（ｓｅｓｓｉｏｎ  ｍａｎａｇｅｍｅｎｔ  ｆｕｎｃｔｉｏｎ、ＳＭＦ）エンティティに分解され得る。ＡＭＦエンティティは、端末デバイスの取り付け、モビリティ管理およびトラッキングエリア更新手順などを担い得る。ＳＭＦエンティティは、端末デバイスのセッション管理、ユーザプレーンデバイスの選択、ユーザプレーンデバイスの再選択、インターネットプロトコル（ｉｎｔｅｒｎｅｔ  ｐｒｏｔｏｃｏｌ、ＩＰ）アドレス割り当て、サービス品質（ｑｕａｌｉｔｙ  ｏｆ  ｓｅｒｖｉｃｅ、ＱｏＳ）管理、並びに、セッションの確立、修正および解放などを担い得る。
【手続補正５】
【補正対象書類名】明細書
【補正対象項目名】０１８４
【補正方法】変更
【補正の内容】
【０１８４】
例えば、セッション管理機能エンティティがモビリティ統計情報を取得することは、セッション管理機能エンティティがモビリティ管理機能エンティティからモビリティ統計情報を受信する段階、または、セッション管理機能エンティティがネットワークデータ分析（ＮＷＤＡ）デバイス（ＮＷＤＡデバイス２１４など）からモビリティ統計情報を取得する段階を含む。
【手続補正６】
【補正対象書類名】明細書
【補正対象項目名】０１９０
【補正方法】変更
【補正の内容】
【０１９０】
オプションとして、上述の方法は、ホームルーティングされた（ＨＲ）ローミングシナリオに適用可能である。セッション管理機能エンティティ（ｖＳＭＦなど）および第３ユーザプレーン機能エンティティは、ＨＲローミングシナリオにおいてＶＰＬＭＮに配置される。方法は更に、セッション管理機能エンティティがバッファデバイスを調整する段階であって、バッファデバイスは、第１セッションが非アクティブ状態に切り替えられた後に第１セッションの第４ダウンリンクデータをバッファリングするために使用される、段階を含む（例えば、詳細については、図６Ｃの段階６３２を参照されたい）。
【手続補正７】
【補正対象書類名】明細書
【補正対象項目名】０２４９
【補正方法】変更
【補正の内容】
【０２４９】
オプションとして、受信モジュール１２０１は更に、端末デバイスのモビリティ情報を取得するように構成される。例えば、受信モジュール１２０１は、モビリティ管理機能エンティティからモビリティ属性を受信するように構成され、ここで、モビリティ情報は、モビリティ属性である。または、受信モジュール１２０１は、モビリティ統計情報を取得するように構成され、ここで、モビリティ情報は、モビリティ統計情報である。または、セッション管理機能エンティティは更に、決定モジュール１２０７を含み、ここで、受信モジュール１２０１は、モビリティ管理機能エンティティからモビリティ属性を受信し、かつ、モビリティ統計情報を取得するように構成され、決定モジュール１２０７は、当該モビリティ属性および当該モビリティ統計情報に基づいてモビリティ情報を決定するように構成される。モビリティ属性は、少なくとも１つの高モビリティ属性または低モビリティ属性を含み、モビリティ統計情報は、端末デバイスの移動速度または滞在時間を示すために使用される。例えば、受信モジュール１２０１は、モビリティ管理機能エンティティからモビリティ統計情報を受信するか、ネットワークデータ分析（ＮＷＤＡ）デバイスからモビリティ統計情報を取得するように構成される。
【手続補正８】
【補正対象書類名】明細書
【補正対象項目名】０２６７
【補正方法】変更
【補正の内容】
【０２６７】
上述の実施形態のうちの全てまたは幾つかが、ソフトウェア、ハードウェア、ファームウェア、または、これらの任意の組み合わせにより実装され得る。実施形態がソフトウェアにより実装されるとき、これらの実施形態のうちの全てまたは幾つかが、コンピュータプログラム製品の形態で実装され得る。コンピュータプログラム製品は、１つまたは複数のコンピュータ命令を含む。コンピュータプログラム命令がコンピュータにロードされ、コンピュータで実行されるとき、本発明の実施形態に係る手順または機能のうちの全てまたは幾つかが生成される。コンピュータは、汎用コンピュータ、専用コンピュータ、コンピュータネットワーク、または別のプログラマブル装置であってよい。コンピュータ命令は、コンピュータ可読記憶媒体に記憶されてもよいし、コンピュータ可読記憶媒体から別のコンピュータ可読記憶媒体に伝送されてもよい。例えば、コンピュータ命令は、あるウェブサイト、コンピュータ、サーバまたはデータセンタから別のウェブサイト、コンピュータ、サーバまたはデータセンタに有線（例えば、同軸ケーブル、光ファイバまたはデジタル加入者線（ＤＳＬ））または無線（例えば、赤外線、無線またはマイクロ波）の方式で伝送され得る。コンピュータ可読記憶媒体は、コンピュータからアクセスできる任意の使用可能な媒体、または、１つまたは複数の使用可能な媒体が統合されたサーバもしくはデータセンタなどのデータ記憶デバイスであってよい。使用可能な媒体は、磁気媒体（例えば、フロッピーディスク、ハードディスクまたは磁気テープ）、光媒体（例えば、ＤＶＤ）または半導体媒体（例えば、ソリッドステートディスク（Ｓｏｌｉｄ  Ｓｔａｔｅ  Ｄｉｓｋ、ＳＳＤ））などであってよい。
【手続補正９】
【補正対象書類名】明細書
【補正対象項目名】０２６８
【補正方法】変更
【補正の内容】
【０２６８】
上述の特定の実装では更に、本願の目的、技術的解決策および有益な効果について詳細に説明した。上術の説明は、単に本願の特定の実装であり、本願の保護範囲の限定を意図するものではないことを理解されたい。本願の技術的解決策に基づいて行われる修正、同等の置き換えまたは改良は何れも、本願の保護範囲に含まれるものとする。
（項目１）
データバッファリング方法であって、
セッション管理機能エンティティが第２ユーザプレーン機能エンティティおよび第１ユーザプレーン機能エンティティそれぞれと相互作用することで、上記第１ユーザプレーン機能エンティティが上記第２ユーザプレーン機能エンティティを介してアクセスネットワークデバイスに第１セッションの第１ダウンリンクデータを送信する段階であって、上記第１ユーザプレーン機能エンティティは、上記第１セッションのアンカである、段階と、
上記セッション管理機能エンティティが、予め設定された条件に基づいて、上記第１セッションの第２ダウンリンクデータをバッファリングするよう上記第１ユーザプレーン機能エンティティに通知する段階であって、上記第２ダウンリンクデータは、上記第１セッションが非アクティブ状態に切り替えられた後に上記第１ユーザプレーン機能エンティティにより受信されるダウンリンクデータである、段階と
を備える方法。
（項目２）
上記予め設定された条件は、
上記第１セッションが第１セッション・サービス連続性モードを有することをセッション・サービス連続性情報が示すこと、
端末デバイスが高モビリティデバイスであることをモビリティ情報が示すこと、または、
上記セッション管理機能エンティティおよび上記第１ユーザプレーン機能エンティティが同じオペレータネットワークに属すること
のうちの少なくとも１つを含む、項目１に記載の方法。
（項目３）
上記方法は更に、
上記セッション管理機能エンティティが第３ユーザプレーン機能エンティティおよび上記第１ユーザプレーン機能エンティティそれぞれと相互作用することで、上記第１ユーザプレーン機能エンティティが上記第３ユーザプレーン機能エンティティを介して上記アクセスネットワークデバイスに上記第２ダウンリンクデータおよび第３ダウンリンクデータを送信する段階
を備え、
上記第３ダウンリンクデータは、上記第１セッションがアクティブ状態に切り替えられた後に上記第１ユーザプレーン機能エンティティにより受信されるダウンリンクデータである、
項目１または２に記載の方法。
（項目４）
上記セッション管理機能エンティティが、予め設定された条件に基づいて、上記第１セッションの第２ダウンリンクデータをバッファリングするよう上記第１ユーザプレーン機能エンティティに通知する上記段階は、
上記セッション管理機能エンティティが、上記予め設定された条件に基づいて、上記第２ダウンリンクデータをバッファリングするためのバッファデバイスとして上記第１ユーザプレーン機能エンティティを選択する段階と、
上記セッション管理機能エンティティが、上記第２ダウンリンクデータを受信した後に上記第２ダウンリンクデータをバッファリングするよう上記第１ユーザプレーン機能エンティティに通知する段階と
を有する、項目１から３の何れか一項に記載の方法。
（項目５）
上記セッション管理機能エンティティがモビリティ管理機能エンティティからモビリティ属性を受信する段階であって、上記モビリティ情報は、上記モビリティ属性である、段階、または、
上記セッション管理機能エンティティがモビリティ統計情報を取得する段階であって、上記モビリティ情報は、上記モビリティ統計情報である、段階、または、
上記セッション管理機能エンティティがモビリティ管理機能エンティティからモビリティ属性を受信し、モビリティ統計情報を取得し、上記モビリティ属性および上記モビリティ統計情報に基づいて上記モビリティ情報を決定する段階であって、上記モビリティ属性は、少なくとも１つの高モビリティ属性または低モビリティ属性を含み、上記モビリティ統計情報は、上記端末デバイスの移動速度または滞在時間を示すために使用される、段階
を更に備える、項目２から４の何れか一項に記載の方法。
（項目６）
上記セッション管理機能エンティティがモビリティ統計情報を取得する上記段階は、
上記セッション管理機能エンティティが上記モビリティ管理機能エンティティから上記モビリティ統計情報を受信する段階、または、
上記セッション管理機能エンティティがネットワークデータ分析デバイスから上記モビリティ統計情報を取得する段階
を有する、項目５に記載の方法。
（項目７）
上記セッション管理機能エンティティが、上記第２ダウンリンクデータをバッファリングするためのバッファデバイスとして上記第１ユーザプレーン機能エンティティを選択する上記段階の後、
上記セッション管理機能エンティティが上記第２ユーザプレーン機能エンティティを解放する段階
を更に備える、項目４から６の何れか一項に記載の方法。
（項目８）
上記セッション管理機能エンティティおよび上記第３ユーザプレーン機能エンティティは、ホームルーティングされたローミングシナリオにおいて訪問先公衆陸上移動体ネットワークＶＰＬＭＮに配置され、上記方法は更に、
上記セッション管理機能エンティティが上記バッファデバイスを調整する段階であって、調整された上記バッファデバイスは、上記第１セッションが非アクティブ状態に切り替えられた後に上記第１セッションの第４ダウンリンクデータをバッファリングするために使用される、段階
を備える、項目３から７の何れか一項に記載の方法。
（項目９）
上記セッション管理機能エンティティが上記バッファデバイスを調整する上記段階は、
上記セッション管理機能エンティティが上記第３ユーザプレーン機能エンティティを上記バッファデバイスとして決定する段階、または、
上記セッション管理機能エンティティが上記セッション管理機能エンティティを上記バッファデバイスとして決定する段階
を有する、項目８に記載の方法。
（項目１０）
データバッファリング方法であって、
セッション管理機能エンティティが第２ユーザプレーン機能エンティティおよび第１ユーザプレーン機能エンティティそれぞれと相互作用することで、上記第１ユーザプレーン機能エンティティが上記第２ユーザプレーン機能エンティティを介してアクセスネットワークデバイスに第１セッションの第１ダウンリンクデータを送信する段階であって、上記第１ユーザプレーン機能エンティティは、上記第１セッションのアンカである、段階と、
上記セッション管理機能エンティティが、予め設定された条件に基づいて、上記第１セッションの第２ダウンリンクデータをバッファリングするよう上記第２ユーザプレーン機能エンティティに通知する段階であって、上記予め設定された条件は、上記第１セッションが第３セッション・サービス連続性モードを有することをセッション・サービス連続性情報が示すこと、および、上記第２ダウンリンクデータが、上記第１セッションが非アクティブ状態に切り替えられた後に上記第２ユーザプレーン機能エンティティにより受信されるダウンリンクデータであることを含む、段階と、
上記セッション管理機能エンティティが第３ユーザプレーン機能エンティティおよび上記第２ユーザプレーン機能エンティティそれぞれと相互作用することで、上記第２ユーザプレーン機能エンティティが上記第３ユーザプレーン機能エンティティを介して上記アクセスネットワークデバイスに上記第２ダウンリンクデータを送信し、かつ、上記第１ユーザプレーン機能エンティティが上記第２ユーザプレーン機能エンティティおよび上記第３ユーザプレーン機能エンティティを介して上記アクセスネットワークデバイスに第３ダウンリンクデータを送信する段階であって、上記第３ダウンリンクデータは、上記第１セッションがアクティブ状態に切り替えられた後に上記第１ユーザプレーン機能エンティティにより受信されるダウンリンクデータである、段階と
を備える方法。
（項目１１）
上記セッション管理機能エンティティが、予め設定された条件に基づいて、上記第１セッションの第２ダウンリンクデータをバッファリングするよう上記第２ユーザプレーン機能エンティティに通知する上記段階は、
上記セッション管理機能エンティティが、上記予め設定された条件に基づいて、上記第２ダウンリンクデータをバッファリングするためのバッファデバイスとして上記第２ユーザプレーン機能エンティティを選択する段階と、
上記セッション管理機能エンティティが、上記第２ダウンリンクデータを受信した後に上記第２ダウンリンクデータをバッファリングするよう上記第２ユーザプレーン機能エンティティに通知する段階と
を有する、項目１０に記載の方法。
（項目１２）
データバッファリング方法であって、
セッション管理機能ネットワーク要素が第２ユーザプレーン機能ネットワーク要素および第１ユーザプレーン機能ネットワーク要素それぞれと相互作用することで、上記第１ユーザプレーン機能ネットワーク要素が上記第２ユーザプレーン機能ネットワーク要素を介して第１セッションの第１ダウンリンクデータを送信する段階であって、上記第２ユーザプレーン機能ネットワーク要素は、アクセスネットワークデバイスに接続されている、上記第１セッションのユーザプレーン機能ネットワーク要素である、段階と、
上記第１セッションが非アクティブ状態に入るとき、上記セッション管理機能ネットワーク要素が上記第２ユーザプレーン機能ネットワーク要素を解放する段階と
を備える方法。
（項目１３）
上記セッション管理機能ネットワーク要素が、第２ダウンリンクデータを受信した後に上記第２ダウンリンクデータをバッファリングするよう上記第１ユーザプレーン機能ネットワーク要素に通知する段階、または、
上記セッション管理機能ネットワーク要素が、上記第１ユーザプレーン機能ネットワーク要素と上記第２ユーザプレーン機能ネットワーク要素との間の接続を解放するよう上記第１ユーザプレーン機能ネットワーク要素に通知することで、上記第１ユーザプレーン機能ネットワーク要素が、第２ダウンリンクデータを受信した後に上記第２ダウンリンクデータをバッファリングする段階
を更に備える、項目１２に記載の方法。
（項目１４）
上記セッション管理機能ネットワーク要素が上記第２ユーザプレーン機能ネットワーク要素を解放する上記段階は、
上記セッション管理機能ネットワーク要素がセッション・サービス連続性情報、モビリティ情報およびポリシ情報のうちの少なくとも１つに基づいて上記第２ユーザプレーン機能ネットワーク要素の解放を決定する段階
を有する、項目１２または１３に記載の方法。
（項目１５）
上記セッション管理機能ネットワーク要素が上記第２ユーザプレーン機能ネットワーク要素を解放する上記段階は、
上記セッション管理機能ネットワーク要素が、
上記第１セッションが第１セッション・サービス連続性モードを有することを上記セッション・サービス連続性情報が示すこと、
上記端末デバイスが高モビリティデバイスであることを上記モビリティ情報が示すこと、
上記ポリシ情報が上記第２ユーザプレーン機能ネットワーク要素の解放を示すこと、または、
上記セッション管理機能ネットワーク要素および上記第１ユーザプレーン機能ネットワーク要素が同じオペレータネットワークに属すること
のうちの少なくとも１つに基づいて上記第２ユーザプレーン機能ネットワーク要素の解放を決定する段階
を有する、項目１４に記載の方法。
（項目１６）
セッション管理機能エンティティであって、
第１ユーザプレーン機能エンティティが第２ユーザプレーン機能エンティティを介してアクセスネットワークデバイスに第１セッションの第１ダウンリンクデータを送信するよう、上記第２ユーザプレーン機能エンティティおよび上記第１ユーザプレーン機能エンティティそれぞれと相互作用するように構成されている受信モジュールおよび送信モジュールであって、上記第１ユーザプレーン機能エンティティは、上記第１セッションのアンカである、受信モジュールおよび送信モジュール
を備え、
上記送信モジュールは更に、予め設定された条件に基づいて、上記第１セッションの第２ダウンリンクデータをバッファリングするよう上記第１ユーザプレーン機能エンティティに通知するように構成され、上記第２ダウンリンクデータは、上記第１セッションが非アクティブ状態に切り替えられた後に上記第１ユーザプレーン機能エンティティにより受信されるダウンリンクデータである、
セッション管理機能エンティティ。
（項目１７）
上記予め設定された条件は、
上記第１セッションが第１セッション・サービス連続性モードを有することをセッション・サービス連続性情報が示すこと、
端末デバイスが高モビリティデバイスであることをモビリティ情報が示すこと、または、
上記セッション管理機能エンティティおよび上記第１ユーザプレーン機能エンティティが同じオペレータネットワークに属すること
のうちの少なくとも１つを含む、項目１６に記載のセッション管理機能エンティティ。
（項目１８）
上記受信モジュールおよび上記送信モジュールは更に、上記第１ユーザプレーン機能エンティティが第３ユーザプレーン機能エンティティを介して上記アクセスネットワークデバイスに上記第２ダウンリンクデータおよび第３ダウンリンクデータを送信するよう、上記第３ユーザプレーン機能エンティティおよび上記第１ユーザプレーン機能エンティティそれぞれと相互作用するように構成され、
上記第３ダウンリンクデータは、上記第１セッションがアクティブ状態に切り替えられた後に上記第１ユーザプレーン機能エンティティにより受信されるダウンリンクデータである、
項目１６または１７に記載のセッション管理機能エンティティ。
（項目１９）
上記セッション管理機能エンティティは更に、
上記予め設定された条件に基づいて、上記第２ダウンリンクデータをバッファリングするためのバッファデバイスとして上記第１ユーザプレーン機能エンティティを選択するように構成されている選択モジュール
を備え、
上記送信モジュールは、上記第２ダウンリンクデータを受信した後に上記第２ダウンリンクデータをバッファリングするよう上記第１ユーザプレーン機能エンティティに通知するように構成される、
項目１６から１８の何れか一項に記載のセッション管理機能エンティティ。
（項目２０）
上記受信モジュールは、モビリティ管理機能エンティティからモビリティ属性を受信するように構成され、上記モビリティ情報は、上記モビリティ属性である、もしくは、上記受信モジュールは、モビリティ統計情報を取得するように構成され、上記モビリティ情報は、上記モビリティ統計情報である、または、
上記セッション管理機能エンティティは更に、決定モジュールを備え、上記受信モジュールは、モビリティ管理機能エンティティからモビリティ属性を受信し、かつ、モビリティ統計情報を取得するように構成され、上記決定モジュールは、上記モビリティ属性および上記モビリティ統計情報に基づいて上記モビリティ情報を決定するように構成され、
上記モビリティ属性は、少なくとも１つの高モビリティ属性または低モビリティ属性を含み、上記モビリティ統計情報は、上記端末デバイスの移動速度または滞在時間を示すために使用される、
項目１７から１９の何れか一項に記載のセッション管理機能エンティティ。
（項目２１）
上記受信モジュールは、上記モビリティ管理機能エンティティから上記モビリティ統計情報を受信するように構成される、または、
上記受信モジュールは、ネットワークデータ分析デバイスから上記モビリティ統計情報を取得するように構成される、
項目２０に記載のセッション管理機能エンティティ。
（項目２２）
上記選択モジュールが、上記第２ダウンリンクデータをバッファリングするためのバッファデバイスとして上記第１ユーザプレーン機能エンティティを選択した後に上記第２ユーザプレーン機能エンティティを解放するように構成されている解放モジュール
を更に備える、項目１９から２１の何れか一項に記載のセッション管理機能エンティティ。
（項目２３）
上記セッション管理機能エンティティおよび上記第３ユーザプレーン機能エンティティは、ホームルーティングされたローミングシナリオにおいて訪問先公衆陸上移動体ネットワークＶＰＬＭＮに配置され、上記セッション管理機能エンティティは更に、
上記バッファデバイスを調整するように構成されている調整モジュールであって、調整された上記バッファデバイスは、上記第１セッションが非アクティブ状態に切り替えられた後に上記第１セッションの第４ダウンリンクデータをバッファリングするために使用される、調整モジュール
を備える、項目１８から２２の何れか一項に記載のセッション管理機能エンティティ。
（項目２４）
上記調整モジュールは、上記第３ユーザプレーン機能エンティティを上記バッファデバイスとして決定するように構成される、または、
上記調整モジュールは、上記セッション管理機能エンティティを上記バッファデバイスとして決定するように構成される、
項目２３に記載のセッション管理機能エンティティ。
（項目２５）
セッション管理機能ネットワーク要素であって、
第１ユーザプレーン機能ネットワーク要素が第２ユーザプレーン機能ネットワーク要素を介して第１セッションの第１ダウンリンクデータを送信するよう、上記第２ユーザプレーン機能ネットワーク要素および上記第１ユーザプレーン機能ネットワーク要素それぞれと相互作用するように構成されている送受信モジュールであって、上記第２ユーザプレーン機能ネットワーク要素は、アクセスネットワークデバイスに接続されている、上記第１セッションのユーザプレーン機能ネットワーク要素である、送受信モジュールと、
上記第１セッションが非アクティブ状態に入るとき、上記第２ユーザプレーン機能ネットワーク要素を解放するように構成されている解放モジュールと
を備えるセッション管理機能ネットワーク要素。
（項目２６）
上記送受信モジュールは更に、上記第１セッションの第２ダウンリンクデータをバッファリングするよう上記第１ユーザプレーン機能ネットワーク要素に通知するように構成される、または、
上記送受信モジュールは更に、上記第１ユーザプレーン機能ネットワーク要素が第２ダウンリンクデータを受信した後に上記第２ダウンリンクデータをバッファリングするよう、上記第１ユーザプレーン機能ネットワーク要素と上記第２ユーザプレーン機能ネットワーク要素との間の接続を解放するよう上記第１ユーザプレーン機能ネットワーク要素に通知するように構成される、
項目２５に記載のセッション管理機能ネットワーク要素。
（項目２７）
上記解放モジュールは、セッション・サービス連続性情報、モビリティ情報およびポリシ情報のうちの少なくとも１つに基づいて上記第２ユーザプレーン機能ネットワーク要素の解放を決定するように構成される、項目２５または２６に記載のセッション管理機能ネットワーク要素。
（項目２８）
上記解放モジュールは、
上記第１セッションが第１セッション・サービス連続性モードを有することを上記セッション・サービス連続性情報が示すこと、
上記端末デバイスが高モビリティデバイスであることを上記モビリティ情報が示すこと、
上記ポリシ情報が上記第２ユーザプレーン機能ネットワーク要素の解放を示すこと、または、
上記セッション管理機能ネットワーク要素および上記第１ユーザプレーン機能ネットワーク要素が同じオペレータネットワークに属すること
のうちの少なくとも１つに基づいて上記第２ユーザプレーン機能ネットワーク要素の解放を決定するように構成される、項目２７に記載のセッション管理機能ネットワーク要素。
（項目２９）
データをバッファリングするためのセッション管理機能エンティティであって、
第１ユーザプレーン機能エンティティが第２ユーザプレーン機能エンティティを介してアクセスネットワークデバイスに第１セッションの第１ダウンリンクデータを送信するよう、上記第２ユーザプレーン機能エンティティおよび上記第１ユーザプレーン機能エンティティそれぞれと相互作用するように構成されている受信モジュールおよび送信モジュールであって、上記第１ユーザプレーン機能エンティティは、上記第１セッションのアンカである、受信モジュールおよび送信モジュール
を備え、
上記送信モジュールは更に、予め設定された条件に基づいて、上記第１セッションの第２ダウンリンクデータをバッファリングするよう上記第２ユーザプレーン機能エンティティに通知するように構成され、上記予め設定された条件は、上記第１セッションが第３セッション・サービス連続性モードを有することをセッション・サービス連続性情報が示すこと、および、上記第２ダウンリンクデータが、上記第１セッションが非アクティブ状態に切り替えられた後に上記第２ユーザプレーン機能エンティティにより受信されるダウンリンクデータであることを含み、
上記受信モジュールおよび上記送信モジュールは更に、上記第２ユーザプレーン機能エンティティが第３ユーザプレーン機能エンティティを介して上記アクセスネットワークデバイスに上記第２ダウンリンクデータを送信し、かつ、上記第１ユーザプレーン機能エンティティが上記第２ユーザプレーン機能エンティティおよび上記第３ユーザプレーン機能エンティティを介して上記アクセスネットワークデバイスに第３ダウンリンクデータを送信するよう、上記第３ユーザプレーン機能エンティティおよび上記第２ユーザプレーン機能エンティティそれぞれと相互作用するように構成され、上記第３ダウンリンクデータは、上記第１セッションがアクティブ状態に切り替えられた後に上記第１ユーザプレーン機能エンティティにより受信されるダウンリンクデータである、
セッション管理機能エンティティ。
（項目３０）
上記セッション管理機能エンティティは更に、
上記予め設定された条件に基づいて、上記第２ダウンリンクデータをバッファリングするためのバッファデバイスとして上記第２ユーザプレーン機能エンティティを選択するように構成されている選択モジュール
を備え、
上記送信モジュールは、上記第２ダウンリンクデータを受信した後に上記第２ダウンリンクデータをバッファリングするよう上記第２ユーザプレーン機能エンティティに通知するように構成される、
項目２９に記載のセッション管理機能エンティティ。
（項目３１）
セッション管理機能エンティティであって、
データを受信および送信するように構成されている通信インタフェースと、
命令を記憶するように構成されているメモリと、
上記セッション管理機能エンティティが項目１から１５の何れか一項に記載の方法を実行するよう、上記メモリ内の上記命令を実行するように構成されている少なくとも１つのプロセッサと
を備えるセッション管理機能エンティティ。
（項目３２）
命令を備えるコンピュータ可読記憶媒体であって、上記命令がコンピュータ上で実行されるとき、項目１から１５の何れか一項に記載の方法を上記コンピュータに実行させる、コンピュータ可読記憶媒体。
（項目３３）
命令を備えるコンピュータプログラム製品であって、上記コンピュータプログラム製品がコンピュータ上で実行されるとき、項目１から１５の何れか一項に記載の方法を上記コンピュータに実行させる、コンピュータプログラム製品。
【国際調査報告】
2020520137.tif 000024
2020520137.tif 000025
2020520137.tif 000026
2020520137.tif 000027